(57)【要約】ユニバーサルジムは、延在ケーブルを用いて浮動滑車にさらに係合する、運動取付点にケーブルを介して接続される、ウェイトスタックを支持するフレームを採用して、改良された多用途性を呈する。フレームの全体を通した付属品受容ポートは、事実上、運動者が所望するいずれの場所にも浮動滑車の設置を可能にし、ウェイトスタックを採用する広範囲の運動を利用可能にする。フリーウェイト、弾性バンド、およびウェイトスタックが、単独で、または組み合わせて、多様な抵抗を提供することができる。随意に、パネル搭載リベットを受容および保定するための軸方向陥凹をそれぞれ有する、中空頭ボルトを用いて搭載される、装飾パネルは、使用時ではないときにユニバーサルジムを覆隠することができる。
2021520973.tif 000002
【特許請求の範囲】
【請求項１】
抵抗に対して運動するための装置であって、
複数の水平部材を相互に支持する複数の垂直部材を備えるフレームと、
前記フレームによって含有される少なくとも１つのウェイトスタックを備える前記抵抗と、
１つ以上のケーブルであって、前記１つ以上のケーブルは、前記少なくとも１つのウェイトスタックを１つ以上の運動取付点に選択的に接続する複数の滑車を介して前記フレームを中心として配索される、１つ以上のケーブルと、
少なくとも１つの浮動滑車であって、前記少なくとも１つの浮動滑車は、第２の端部の反対側に第１の端部を有する少なくとも１つの延在ケーブルを備える前記フレームに除去可能かつ調節可能に取り付けられ、前記第１の端部は、前記１つ以上の運動取付点に取付可能であり、前記第２の端部は、少なくとも１つの浮動運動取付点を提供する、浮動滑車と
を備え、
前記複数の垂直部材のうちの垂直部材のうちの少なくともいくつかは、第１の方向に軸を有する第１の垂直付属品受容ポートと、第２の方向に軸を有する第２の垂直付属品受容ポートとを有する、装置。
【請求項２】
前記複数の水平部材のうちの水平部材のうちの少なくともいくつかは、前記第１の方向に軸を有する第１の水平付属品受容ポートと、第３の方向に軸を有する第２の水平付属品受容ポートとを有する、請求項１に記載の装置。
【請求項３】
前記フレームは、正方形管類を備える、請求項１に記載の装置。
【請求項４】
前記第１の方向は、前記第２の方向と略垂直である、請求項１に記載の装置。
【請求項５】
前記抵抗は、前記フレームによって含有される２つの独立ウェイトスタックを備える、請求項１に記載の装置。
【請求項６】
前記１つ以上の運動取付点のうちの少なくとも１つは、前記複数の垂直部材のうちの垂直部材のうちの１つに沿って摺動可能に調節可能である、請求項１に記載の装置。
【請求項７】
前記１つ以上の運動取付点のうちの少なくとも１つは、前記複数の水平部材のうちの水平部材のうちの１つに沿って摺動可能に調節可能である、請求項１に記載の装置。
【請求項８】
前記複数の垂直部材のうちの少なくとも１つの垂直部材は、垂直長を有し、実質的に垂直長全体に、第１の垂直付属品受容ポートと、第２の垂直付属品受容ポートとを備える、請求項１に記載の装置。
【請求項９】
前記複数の水平部材のうちの少なくとも１つの水平部材は、水平長を有し、実質的に水平長全体に、第１の水平付属品受容ポートと、第２の水平付属品受容ポートとを備える、請求項１に記載の装置。
【請求項１０】
前記第１の方向および前記第２の方向は、前記水平と略平行である、請求項１に記載の装置。
【請求項１１】
前記第３の方向は、前記水平に対して略法線である、請求項２に記載の装置。
【請求項１２】
前記フレームはさらに、前記複数の垂直部材の中の少なくとも１つの垂直部材の上に枢動可能に搭載される少なくとも１つのドアを備える、請求項１に記載の装置。
【請求項１３】
前記少なくとも１つのドアは、２つのドアを備える、請求項１２に記載の装置。
【請求項１４】
前記少なくとも１つのドアは、
少なくとも１つのドア水平部材を相互に支持する少なくとも１つのドア垂直部材を備え、
前記少なくとも１つのドア垂直部材は、第４の方向に軸を有する第１のドア垂直付属品受容ポートと、第５の方向に第２のドア垂直付属品受容ポートとを備える、請求項１２に記載の装置。
【請求項１５】
前記少なくとも１つのドア水平部材は、前記第４の方向に軸を有する第１のドア水平付属品受容ポートと、第６の方向に軸を有する第２のドア水平付属品受容ポートとを備える、請求項１４に記載の装置。
【請求項１６】
前記第４の方向は、前記第５の方向と略垂直である、請求項１４に記載の装置。
【請求項１７】
前記第４の方向および前記第５の方向は、前記水平と略平行である、請求項１４に記載の装置。
【請求項１８】
前記第６の方向は、前記水平に対して略法線である、請求項１５に記載の装置。
【請求項１９】
前記少なくとも１つのドア垂直部材は、正方形管類を備える、請求項１４に記載の装置。
【請求項２０】
前記少なくとも１つのドア水平部材は、正方形管類を備える、請求項１４に記載の装置。
【請求項２１】
前記フレームに搭載される少なくとも１つの装飾パネルを備える、請求項１に記載の装置。
【請求項２２】
前記少なくとも１つのドアに搭載される少なくとも１つの装飾パネルを備える、請求項１２に記載の装置。
【請求項２３】
前記少なくとも１つの装飾パネルは、少なくとも１つの中空頭ボルトを使用して搭載され、前記中空頭ボルトは、頭部と、ねじ山付きシャフトとを備え、前記頭部は、パネル搭載リベットを受容および保定するための軸方向陥凹を備える、請求項２１に記載の装置。
【請求項２４】
前記少なくとも１つのドアは、前記１つ以上の運動取付点、前記少なくとも１つの浮動運動取付点、またはそれらの組み合わせのうちの少なくとも１つを備える、請求項１２に記載の装置。
【請求項２５】
前記２つのドアはそれぞれ、前記１つ以上の運動取付点、前記少なくとも１つの浮動運動取付点、またはそれらの組み合わせのうちの少なくとも１つを備える、請求項１３に記載の装置。
【請求項２６】
前記少なくとも１つの浮動滑車は、前記第１の垂直付属品受容ポートのうちの１つ以上のもの、前記第２の垂直付属品受容ポートのうちの１つ以上のもの、またはそれらの組み合わせに結合することによって、前記フレームに除去可能かつ調節可能に取り付けられる、請求項１に記載の装置。
【請求項２７】
前記少なくとも１つの浮動滑車は、前記第１の水平付属品受容ポートのうちの１つ以上のもの、前記第２の水平付属品受容ポートのうちの１つ以上のもの、またはそれらの組み合わせに結合することによって、前記フレームに除去可能かつ調節可能に取り付けられる、請求項２に記載の装置。
【請求項２８】
前記少なくとも１つの浮動滑車は、前記第１のドア垂直付属品受容ポートのうちの１つ以上のもの、前記第２のドア垂直付属品受容ポートのうちの１つ以上のもの、またはそれらの組み合わせに結合することによって、前記フレームに除去可能かつ調節可能に取り付けられる、請求項１４に記載の装置。
【請求項２９】
前記少なくとも１つの浮動滑車は、前記第１のドア水平付属品受容ポートのうちの１つ以上のもの、前記第２のドア水平付属品受容ポートのうちの１つ以上のもの、またはそれらの組み合わせに結合することによって、前記フレームに除去可能かつ調節可能に取り付けられる、請求項１５に記載の装置。
【請求項３０】
少なくとも１つのバーベルを受容し、前記少なくとも１つのバーベルを用いた少なくとも１つの運動の実施を可能にするための少なくとも１つのパワーラックを備える、請求項１に記載の装置。
【請求項３１】
少なくとも１つのバーベルを受容し、前記少なくとも１つのバーベルを用いた少なくとも１つの運動の実施を可能にするための少なくとも１つのスミスマシンを備える、請求項１に記載の装置。
【請求項３２】
前記抵抗を提供または増強するための少なくとも１つの弾性バンド取付点を備える、請求項１に記載の装置。
【請求項３３】
前記抵抗を提供または増強するための少なくとも１つのフリーウェイト取付点を備える、請求項１に記載の装置。
【請求項３４】
前記抵抗は、前記少なくとも１つのウェイトスタック、少なくとも１つのフリーウェイトデバイス、少なくとも１つの弾性バンド、前記装置を用いて運動する個人の体重、またはそれらの組み合わせによって選択的に提供される、請求項１に記載の装置。
【発明の詳細な説明】
【技術分野】
【０００１】
（関連出願の相互参照）
本願は、両方とも参照することによってそれらの全体として本明細書に組み込まれる、２０１８年４月１１日に出願され、「ＶＥＲＳＡＴＩＬＥ  ＵＮＩＶＥＲＳＡＬ  ＧＹＭ」と題された、米国仮特許出願第６２／６５６，１２６号、および２０１８年６月３日に出願され、「ＶＥＲＳＡＴＩＬＥ  ＵＮＩＶＥＲＳＡＬ  ＧＹＭ」と題された、米国仮特許出願第６２／６７９，８２８号のＰＣＴ第Ｉ章、第８条、および３５  Ｕ．Ｓ．Ｃ．§  １１９（ｅ）の下での優先権の利益を主張する。
【０００２】
（著作権表示）
本特許文書の開示の一部は、著作権保護を受ける資料を含有する。著作権所有者は、特許商標局特許ファイルまたは記録に表出するように、何者にもよる特許文書または特許開示の完全な複写にも異存がないが、別様にあらゆる全ての著作権を留保する。
【０００３】
本発明は、少なくとも１つのウェイトスタックを備える、運動機器に関する。
【背景技術】
【０００４】
いくつかの運動のためのステーションを含有するユニバーサルジムが、公知である。また、二頭筋カールマシンまたはローイングマシン等の単一もしくは少数の運動を可能にするように設計される運動マシンも公知である。問題が、運動者またはウェイトジム経営者が多種多様な運動を可能にすることを所望するときに生じる。その個人は、多数のマシンを展開し、家庭またはジム内の比較的に広大な床空間を占有して、これらの運動を取得しなければならない。
【０００５】
別の問題が、現在公知であるシステムに生じる。運動は、マシンの設計特性内で実施されなければならない。有限数の位置が、ある範囲の調節のみに適応することができる。運動者が、マシン設計者によって考慮される「平均的」個人よりも大きいまたは小さい、もしくは特別な要求を有する場合、その運動者は、最適な快適性および性能のために既存の機器を調節しようと苦戦し得る。大柄な運動者は、適切に定寸された機器を必要とするであろうが、その機器は、機器の最小設定に辛うじて適合し得る小柄な運動者にはほぼ役に立たないであろう。車椅子生活を余儀なくされた運動者は、その機器を全く有用と見出さない場合がある。
【０００６】
その上さらなる問題が、ある公知の運動機器に生じ得る。ウェイトスタック等の単一の抵抗源が、それに対して運動が実施される抵抗を提供することができる。しかしながら、ウェイトスタックのプレートが、それらの間に過剰に大きい質量増分を有する場合、運動者は、ウェイトスタックから過剰に軽いまたは過剰に重いウェイトのいずれかを使用しなければならないため、筋疲労までの反復を最適化することができない場合がある。したがって、ある場合には、ウェイトスタックによって提供されるものよりも小さい質量増分を適用することが有用であり得る。同様に、ウェイトスタックが十分な質量を有していない場合、特に強い運動者は、そのようなマシンで運動することから最大の利益を享受することができない。また、弾性バンドを運動に追加することによって、抵抗の性質を改変することが望ましくあり得る。運動が、その可動域を通して進行するにつれて、抵抗は、弾性バンドが伸張されるにつれて変化し得る。多くの公知の運動マシンは、抵抗のための種々の源に適応しない。
【０００７】
最後に、人体は、異なる運動で異なるウェイトを持ち上げ得ることが公知である。個人は、通常、その個人がベンチプレスをし得る場合よりも有意に多くのウェイトでスクワットすることができ、ベンチプレスウェイトは、通常、その個人がその二頭筋でカールし得るものよりも小さくなる。今までのところ、運動マシン製造業者は、それらの運動毎に異なるマシンを設計している、または単一のユニバーサルジム内でのそれらの運動の全てに不十分に対処している。結果として、真剣な運動者は、最適に運動するために多目的専用マシンを必要とし、有意な床空間を伴うジムを要求するであろう。
【発明の概要】
【課題を解決するための手段】
【０００８】
予想外にも、個人トレーナとしての何十年もの体験に基づき、出願者は、万能ユニバーサルジムを発明した。ある場合には、出願者のユニバーサルジムは、家庭またはジム内の著しく小さい占有面積を占有するが、広範囲でほぼ無限の運動を提供することができる。さらなる場合において、出願者のユニバーサルジムはさらに、使用時ではないときにユニバーサルジムを覆隠する、魅力的かつ装飾的なパネルを採用することができる。
【０００９】
故に、本発明のいくつかの実施形態は、
複数の水平部材を相互に支持する複数の垂直部材を備える、フレームと、
フレームによって含有される少なくとも１つのウェイトスタックを備える、抵抗と、
少なくとも１つのウェイトスタックを１つ以上の運動取付点に選択的に接続する、複数の滑車を介してフレームを中心として配索される１つ以上のケーブルと、
第２の端部の反対側に第１の端部を有する、少なくとも１つの延在ケーブルを備える、フレームに除去可能かつ調節可能に取り付けられる、少なくとも１つの浮動滑車であって、第１の端部は、１つ以上の運動取付点に取付可能であり、第２の端部は、少なくとも１つの浮動運動取付点を提供する、浮動滑車と、
を備え、複数の垂直部材のうちの垂直部材のうちの少なくともいくつかは、第１の方向に軸を有する、第１の垂直付属品受容ポートと、第２の方向に軸を有する、第２の垂直付属品受容ポートとを有する、
抵抗に対して運動するための装置に関する。
【００１０】
ある場合には、付属品受容ポートは、浮動滑車を受容し、それによって、ウェイトスタックに係合するための多種多様な方法を提供することができる。随意に、フリーウェイト、弾性バンド、およびウェイトスタックが、単独で、または組み合わせて、運動のための抵抗を提供することができる。
【００１１】
さらなる実施形態は、抵抗に対して運動するための装置のための浮動滑車に関し、浮動滑車は、
第２の端部の反対側に第１の端部を有する、延在ケーブルであって、第１の端部は、装置上の運動取付点に取付可能であり、第２の端部は、浮動運動取付点を提供する、延在ケーブルと、
装置上の付属品受容ポートに除去可能かつ調節可能に結合するための付属品係合構造と、
を備える。
【００１２】
なおもさらなる実施形態は、抵抗に対して運動するための装置との併用のために適合される、運動ベンチに関し、運動ベンチは、
少なくとも１つの垂直ベンチ部材を相互に支持する、少なくとも１つの水平ベンチ部材を備える、ベンチフレームと、
ベンチフレームによって支持されるシートクッションと、
フレーム内の１つ以上のベンチ付属品受容ポートであって、少なくとも１つの浮動滑車を受容し、少なくとも１つのベンチ運動取付点を提供するように適合される、１つ以上のベンチ付属品受容ポートと、
を備える。
【００１３】
付加的実施形態は、抵抗に対して運動する方法に関し、１つのそのような方法は、
複数の水平部材を相互に支持する複数の垂直部材を備える、フレームと、
フレームによって含有される少なくとも１つのウェイトスタックを備える、抵抗と、
少なくとも１つのウェイトスタックを１つ以上の運動取付点に選択的に接続する、複数の滑車を介してフレームを中心として配索される１つ以上のケーブルと、
第２の端部の反対側に第１の端部を有する、少なくとも１つの延在ケーブルを備える、フレームに除去可能かつ調節可能に取り付けられる、少なくとも１つの浮動滑車であって、第１の端部は、１つ以上の運動取付点に取付可能であり、第２の端部は、少なくとも１つの浮動運動取付点を提供する、浮動滑車と、
を備え、複数の垂直部材のうちの垂直部材のうちの少なくともいくつかは、第１の方向に軸を有する、第１の垂直付属品受容ポートと、第２の方向に軸を有する、第２の垂直付属品受容ポートとを有する、
装置を取得するステップと、
少なくとも１つの運動係合デバイスを、１つ以上の運動取付点、少なくとも１つの浮動運動取付点、もしくはそれらの組み合わせに接続するステップと、
抵抗に対して少なくとも１つの運動係合デバイスを移動させ、それによって、抵抗に対して運動するステップと、
を含む。
【００１４】
本発明のなおもさらなる実施形態は、本明細書に説明される装置を作製する方法に関し、１つのそのような方法は、複数の滑車を介してフレームを中心として１つ以上のケーブルを配索し、少なくとも１つのウェイトスタックを１つ以上の運動取付点に選択的に接続するステップを含む。
【００１５】
さらに付加的な実施形態は、本明細書に説明されるような浮動滑車を作製する方法に関し、１つのそのような方法は、浮動滑車を通して延在ケーブルを配索するステップを含む。
【００１６】
他の実施形態は、抵抗に対して運動するための装置のための滑動延在デバイスに関し、滑動延在デバイスは、
ガイドロッドに滑動して係合するように適合される複数のローラを備える、ローラキャリッジと、
ローラキャリッジから延在する延在フレームであって、ローラキャリッジに隣接する近位端と、遠位端とを備える、延在フレームと、
遠位端またはその近傍における運動係合デバイスと、
ローラキャリッジ、延在フレームの近位端、または両方に取り付けられる、運動取付点受容器と、
を備える。
【００１７】
さらに広い実施形態は、抵抗に対して運動するための装置のための延在アームに関し、延在アームは、
延在アームを装置のフレームに取り付けるための角度選択ブラケットであって、複数の延在角を確立するための複数の角度選択ポートを備える、角度選択ブラケットと、
角度選択ブラケットから延在し、１つ以上の延在運動取付点を提供するための複数の延在受容ポートを備える、延在部材と、
を備え、複数の延在角の中の延在角は、フレームの部材の一部および延在部材の一部によって判定される。
【００１８】
なおもさらなる実施形態は、抵抗に対して運動するための装置のための腹筋運動ボードを提供し、腹筋運動ボードは、
運動者を支持するためのパッド付きボードと、
パッド付きボードを支持する、少なくとも１つの縦部材と、
パッド付きボードを支持する、少なくとも１つの側方部材と、
を備え、少なくとも１つの縦部材、少なくとも１つの側方部材、または両方は、複数の腹筋運動ボード付属品受容ポートを備える。
【００１９】
さらに付加的な実施形態は、抵抗に対して運動するための装置のための多重ベクトル延在デバイスに関し、多重ベクトル延在デバイスは、
装置のフレームに除去可能かつ調節可能に取り付けるためのブレースと、
複数の付属品受容ポートを備える、多重ベクトル延在アームと、
ブレースに対して多重ベクトル延在アームの有意な移動の自由度を可能にしながら、多重ベクトル延在アームをブレースに継合する玉継手と、
複数の付属品受容ポートの中の第１の付属品受容ポートを介して多重ベクトル延在アームに除去可能に取り付けられる、少なくとも１つの運動係合デバイスと、
複数の付属品受容ポートの中の第２の付属品受容ポートを介して多重ベクトル延在アームに除去可能に取り付けられる、少なくとも１つの運動取付点受容器と、
を備える。
【００２０】
ある実施形態は、抵抗に対して運動するための装置のための多重ベクトル延在支持体を提供し、１つのそのような多重ベクトル延在支持体は、
装置のフレームに除去可能かつ調節可能に取り付けるためのブレースと、
フレームを受容し、多重ベクトル延在デバイスによる接触から保護するためにフレームに取り付けられる、弾力性支持体と、
を備える。
【００２１】
なおもさらなる実施形態は、運動の付加的方法に関し、１つのそのような方法は、
装置のフレームに除去可能かつ調節可能に取り付けるためのブレースと、
第１の付属品受容ポートと、第２の付属品受容ポートと、第３の付属品受容ポートとを備える、多重ベクトル延在アームと、
ブレースに対して多重ベクトル延在アームの有意な移動の自由度を可能にしながら、多重ベクトル延在アームをブレースに継合する玉継手と、
第１の付属品受容ポートを介して多重ベクトル延在アームに除去可能に取り付けられる、第１の運動取付点受容器と、
第２の付属品受容ポートを介して多重ベクトル延在アームに除去可能に取り付けられる、第２の運動取付点受容器と、
第３の付属品受容ポートを介して多重ベクトル延在アームに除去可能に取り付けられる、運動係合デバイスと、
を備える、多重ベクトル延在デバイスを取得するステップと、
第１の抵抗を第１の運動取付点受容器に取り付けるステップと、
第２の抵抗を第２の運動取付点受容器に取り付けるステップであって、第１の抵抗は、第１のベクトルを有し、第２の抵抗は、第２のベクトルを有し、第１のベクトルは、第２のベクトルと異なり、第１のベクトルおよび第２のベクトルは、それによって、複数のベクトルを有する複数の抵抗を形成する、ステップと、
複数のベクトルを有する複数の抵抗に対して運動係合デバイスを移動させ、それによって、複数のベクトルを有する複数の抵抗に対して運動するステップと、
を含む、複数のベクトルを有する複数の抵抗に対して運動する方法である。
【００２２】
なおもさらなる実施形態は、抵抗に対して運動するための装置のための移動式部材を提供し、１つのそのような移動式部材は、
第２の端部の反対側に第１の端部を有する、伸長区分と、
移動式部材を装置のフレームの第１の部材に固着させるための伸長区分の第１の端部における第１のフレーム係合デバイスと、
移動式部材をフレームの第２の部材に固着させるための伸長区分の第２の端部における第２のフレーム係合デバイスと、
を備える。
【００２３】
さらなる実施形態は、抵抗に対して運動するための装置のための足伸張デバイスに関し、足伸張デバイスは、
装置のフレームに除去可能かつ調節可能に取り付けるためのブレースと、
ブレースヒンジによってブレースに取り付けられる、伸張足底部分と、
踵ヒンジによって足底部分に取り付けられる、踵部分と、
を備える。
【００２４】
さらなる付加的実施形態は、抵抗に対して運動するための装置のための足運動アタッチメントを提供し、１つのそのようなアタッチメントは、
運動者の足を受容するための足場と、
足場を足に固着させるための１つ以上のストラップと、
抵抗を足場に係合させるための１つ以上の運動取付点受容器と、
を備える。
【００２５】
さらに他の実施形態は、抵抗に対して運動するための装置のための脚プレス付属品に関し、１つのそのような脚プレス付属品は、
装置のフレームの水平部材に除去可能かつ調節可能に取り付けるための角度ガイドブレースを有する、角度ガイドと、
延在部材受容器が、角度ガイド内に弓状様式で移動し得るように、角度ガイドに係留される、延在部材受容器であって、
延在部材に係合するためのばね荷重ピンを備える、足パッドブレースを用いて、延在部材上で定位置に保持される足パッドを有する、延在部材を受容するように適合される、延在部材受容器と、
を備える。
【００２６】
なおも他の実施形態は、抵抗に対して運動するための装置のための調節可能な弓状基部を提供し、１つのそのような調節可能な弓状基部は、
装置のフレームの１つ以上の垂直部材上の１つ以上の付属品受容ポートに係合するための１つ以上の格納式ピンを備える、ステージと、
ステージに添着される、角度ガイドと、
延在部材受容器が、角度ガイド内に弓状様式で移動し得るように、角度ガイドに係留される、延在部材受容器であって、ばね荷重ピンをさらに備える、延在部材受容器であって、延在部材を受容し、ばね荷重ピンを用いて延在部材を固着させるように適合される、延在部材受容器と、
を備える。
【００２７】
なおもさらなる実施形態は、抵抗に対して運動するための装置のための角度伸縮式延在デバイスに関し、１つのそのような角度伸縮式延在デバイスは、
角度伸縮式延在デバイスを装置のフレームに選択的に取り付けるための角度選択ブレースであって、装置のフレーム内の付属品受容ポートに係合するための格納式ピンを備える、角度選択ブレースと、
角度選択ブレースに取り付けられる複数の角度選択ポートを備える、角度セレクタと、
ヒンジによって角度選択ブレースに接続される、角度選択ブラケットであって、ヒンジは、回転軸を画定し、伸縮延在角を確立するために、角度セレクタ上の複数の角度選択ポートの中の角度選択ポートに係合するための角度選択格納式ピンを備える、角度選択ブラケットと、
角度選択ブラケットから延在し、それぞれ、ばね荷重ピンを用いて選定された長さにおいて固着されるように適合される、２つ以上の入れ子式延在部材を備える、伸縮式延在アームであって、２つ以上の入れ子式延在部材は、１つ以上の延在運動取付点を提供するための複数の延在受容ポートを備える、伸縮式延在アームと、
を備え、伸縮角は、一方では、回転軸と複数の角度選択ポートの中の第１の角度選択ポートとの間の第１の想像上の線、および回転軸と複数の角度選択ポートの中の選定された角度選択ポートとの間の第２の想像上の線によって判定される。
【００２８】
さらなる付加的実施形態は、抵抗に対して運動するための装置のためのポータブルウェイトスタックアセンブリに関し、そのような１つのポータブルウェイトスタックアセンブリは、
１つ以上のポータブル水平部材を相互に支持する、１つ以上のポータブル垂直部材を備える、ポータブルフレームと、
ポータブルフレームによって含有される、ポータブルウェイトスタックと、
ポータブルウェイトスタックを摺動可能に調節可能なポータブル運動取付点に選択的に接続する、複数のポータブル滑車を介してポータブルフレームを中心として配索される１つ以上のポータブルケーブルと、
フレームを安定させるための少なくとも１つのフッタと、
を備える。
【００２９】
その上さらなる付加的実施形態は、
複数の水平部材を相互に支持する、複数の垂直部材を備え、
複数の垂直部材および複数の水平部材は、約１：４、約２：９、約１：５、約３：１０、約１：３、または約３：１０のアスペクト比を有する、長方形の占有面積を画定する、
抵抗に対して運動するための装置のためのフレームを提供する。
【００３０】
本開示は、ある具体的実施形態を提供するが、本発明は、それらの実施形態に限定されない。当業者は、本明細書の説明から、修正が説明される実施形態に行われ得、したがって、本明細書は、説明される実施形態よりも範囲が広いことを理解するであろう。全ての実施例は、したがって、非限定的である。
【図面の簡単な説明】
【００３１】
【図１】図１は、斜視図で、本発明の一実施形態、すなわち、装置１００を描写する。
【００３２】
【図２】図２および３は、水平部材２２１と、垂直部材３１１とを備える、さらなる実施形態を描写する。
【図３】図２および３は、水平部材２２１と、垂直部材３１１とを備える、さらなる実施形態を描写する。
【００３３】
【図４】図４はさらに、装置１００を描写する。
【００３４】
【図５】図５は、ウェイトスタック５４１を運動取付点５６１に選択的に接続するケーブル５８５を描写する。
【００３５】
【図６】図６は、ウェイトスタック６４１を運動取付点６６１に選択的に接続するケーブル６８５を描写する。
【００３６】
【図７】図７は、ウェイトスタック７４１を運動取付点７６１に選択的に接続するケーブル７８５を描写する。
【００３７】
【図８】図８は、運動取付点８６１を描写する。
【００３８】
【図９】図９は、運動取付点９６１を描写する。
【００３９】
【図１０】図１０は、浮動滑車１０８１を描写する。
【００４０】
【図１１】図１１は、浮動滑車１１８１を描写する。
【００４１】
【図１２】図１２は、装置１２００の正面立面図を提供する。
【００４２】
【図１３】図１３は、延在アーム１３００の右側面立面図を描写する。
【００４３】
【図１４】図１４は、装置１４００の斜視図を提供する。
【００４４】
【図１５】図１５は、フレーム部材１５６１、１５６２を備える、スミスマシン１５００の斜視図を提供する。
【００４５】
【図１６】図１６は、フリーウェイト１６６５を伴うウェイトスタック１６４１の斜視図を提供する。
【００４６】
【図１７】図１７は、弾性バンド１７６６を伴うウェイトスタック１７４１の斜視図を提供する。
【００４７】
【図１８】図１８は、運動ベンチ１８００の斜視図を提供する。
【００４８】
【図１９】図１９、２０、および２１は、ドア１９０１、１９０２を有する、装置１９００を描写する。
【図２０】図１９、２０、および２１は、ドア１９０１、１９０２を有する、装置１９００を描写する。
【図２１】図１９、２０、および２１は、ドア１９０１、１９０２を有する、装置１９００を描写する。
【００４９】
【図２２】図２２は、リベット２２３１を介してパネル２２０８を垂直部材２２１４に搭載する、中空頭ボルト２２２０を描写する。
【００５０】
【図２３】図２３および２４は、ディップスバー２３５０を備える、装置２３００を描写する。
【図２４】図２３および２４は、ディップスバー２３５０を備える、装置２３００を描写する。
【００５１】
【図２５】図２５は、角度セレクタ２５３１を備える、装置２５００を描写する。
【００５２】
【図２６】図２６および２７は、多用途運動装置２６０１を備える、装置２６００を描写する。
【図２７】図２６および２７は、多用途運動装置２６０１を備える、装置２６００を描写する。
【００５３】
【図２８】図２８は、腹筋運動ボード２８０１を備える、装置２８００を描写する。
【００５４】
【図２９】図２９は、フラットスクリーンＴＶ２９０１を備える、装置２９００を描写する。
【００５５】
【図３０】図３０は、装置３０００の斜視図を提供する。
【００５６】
【図３１】図３１は、延在アーム３１００の右側面立面図を描写する。
【００５７】
【図３２】図３２は、浮動滑車３２００を描写する。
【００５８】
【図３３】図３３は、浮動滑車３３００を描写する。
【００５９】
【図３４】図３４は、腹筋運動ボード３４０１を備える、装置３４００を描写する。
【００６０】
【図３５】図３５は、滑動延在デバイス３５０１の右側面立面図を提供する。
【００６１】
【図３６】図３６は、多重ベクトル延在デバイス３６００の斜視図を提供する。
【００６２】
【図３７】図３７は、アイボルト３６６２を描写する。
【００６３】
【図３８】図３８は、ハンドグリップ３６２１を描写する。
【００６４】
【図３９】図３９および４４は、多重ベクトル延在デバイス３９００の右側面図を提供する。
【００６５】
【図４０】図４０は、多重ベクトル延在デバイス３９００の支持円錐３９８１が、多重ベクトル延在アーム３９５１による接触からフレーム部材４０１２を保護する様子を実証する、部分斜視図を提供する。
【００６６】
【図４１】図４１は、多重ベクトル延在支持体４１００の右側面図を示し、図４２は、正面図を示す。
【図４２】図４１は、多重ベクトル延在支持体４１００の右側面図を示し、図４２は、正面図を示す。
【００６７】
【図４３】図４３は、多重ベクトル延在支持体４１００を伴う動作時の多重ベクトル延在デバイス３６００の右側面図を示す。
【図４４】図３９および４４は、多重ベクトル延在デバイス３９００の右側面図を提供する。
【００６８】
【図４５】図４５および４６は、多重ベクトル延在デバイス４５００の右側面図を提供する。
【図４６】図４５および４６は、多重ベクトル延在デバイス４５００の右側面図を提供する。
【００６９】
【図４７】図４７は、移動式部材４７００の正面図を示し、図４８は、斜視図を示す。
【図４８】図４７は、移動式部材４７００の正面図を示し、図４８は、斜視図を示す。
【００７０】
【図４９】図４９は、フレーム部材４９１１と４９１２との間で係合される移動式部材４７００を示す。
【００７１】
【図５０】図５０は、移動式部材５０００の正面図を示す。
【００７２】
【図５１】図５１は、足伸張デバイス５１００の左側面図を示す。
【００７３】
【図５２】図５２は、足運動アタッチメント５２００の左側面図を示す。
【００７４】
【図５３】図５３は、脚プレス付属品５３００の左側面図を示す。
【００７５】
【図５４】図５４および５５は、調節可能な弓状基部５４００を示す。
【図５５】図５４および５５は、調節可能な弓状基部５４００を示す。
【００７６】
【図５６】図５６、５７、および５８は、角度伸縮式延在部材５６００を示す。
【図５７】図５６、５７、および５８は、角度伸縮式延在部材５６００を示す。
【図５８】図５６、５７、および５８は、角度伸縮式延在部材５６００を示す。
【００７７】
【図５９】図５９および６０は、ポータブルウェイトスタックアセンブリ５９００を描写する。
【図６０】図５９および６０は、ポータブルウェイトスタックアセンブリ５９００を描写する。
【００７８】
【図６１】図６１、６２、６３、６４、６５、６６、および６７は、正方形管類を有する、フレーム６１００のいくつかの図を提供する。
【図６２】図６１、６２、６３、６４、６５、６６、および６７は、正方形管類を有する、フレーム６１００のいくつかの図を提供する。
【図６３】図６１、６２、６３、６４、６５、６６、および６７は、正方形管類を有する、フレーム６１００のいくつかの図を提供する。
【図６４】図６１、６２、６３、６４、６５、６６、および６７は、正方形管類を有する、フレーム６１００のいくつかの図を提供する。
【図６５】図６１、６２、６３、６４、６５、６６、および６７は、正方形管類を有する、フレーム６１００のいくつかの図を提供する。
【図６６】図６１、６２、６３、６４、６５、６６、および６７は、正方形管類を有する、フレーム６１００のいくつかの図を提供する。
【図６７】図６１、６２、６３、６４、６５、６６、および６７は、正方形管類を有する、フレーム６１００のいくつかの図を提供する。
【００７９】
【図６８】図６８は、円形管類を有する、フレーム６８００の正面斜視図を提供する。
【００８０】
【図６９】図６９は、六角形管類を有する、フレーム６９００の正面斜視図を提供する。
【発明を実施するための形態】
【００８１】
要求されるように、本発明の詳細な実施形態が、本明細書に開示されるが、しかしながら、開示される実施形態は、種々の形態で具現化され得る、本発明の典型にすぎないことを理解されたい。図は、必ずしも一定の縮尺ではなく、いくつかの特徴は、特定の構成要素の詳細を示すように誇張され得る。したがって、本明細書に開示される具体的な構造的および機能的詳細は、限定的としてではなく、単に、請求項のための基礎として、および本発明を様々に採用するように当業者に教示するための代表的基礎として解釈されるものである。
【００８２】
別様に定義されない限り、本明細書で使用される全ての技術および科学用語は、本開示が属する技術分野の当業者によって一般的に理解されるものと同一の意味を有する。
本明細書の用語に複数の定義が存在する場合において、本節内のものが、別様に記述されない限り優勢である。
【００８３】
いずれの場所でも、語句「例えば」、「等」、「〜を含む」、および同等物が、本明細書で使用されると、語句「限定ではないが」が、別様に明示的に記述されない限り、後に続くと理解される。同様に、「実施例」、「例示的」、および同等物は、非限定的であると理解される。
【００８４】
用語「実質的に」は、意図された目的に悪影響を及ぼさない、記述内容からの逸脱を可能にする。記述用語は、言葉「実質的に」が明示的に記載されない場合でさえも、用語「実質的に」によって修飾されると理解される。
【００８５】
用語「約」は、数値に関連して使用されるときに、実際の所与の値と、そのような所与の値に関する実験および／または測定条件に起因する近似値を含む、当業者によって合理的に推測されるであろう、そのような所与の値への近似値とを指す。
【００８６】
用語「ｃｏｍｐｒｉｓｉｎｇ（〜を備える）」、および「ｉｎｃｌｕｄｉｎｇ（〜を含む）」、ならびに「ｈａｖｉｎｇ（〜を有する）」、および「ｉｎｖｏｌｖｉｎｇ（〜を伴う）」（同様に、「ｃｏｍｐｒｉｓｅｓ」、「ｉｎｃｌｕｄｅｓ」、「ｈａｓ」、および「ｉｎｖｏｌｖｅｓ」）、ならびに同等物は、同義的に使用され、同一の意味を有する。具体的には、用語はそれぞれ、「ｃｏｍｐｒｉｓｉｎｇ」の一般的な米国特許法の定義と一致して定義され、したがって、「少なくとも以下」を意味する非制約的用語であると解釈され、また、付加的特徴、限定、側面等を除外しないと解釈される。したがって、例えば、「構成要素ａ、ｂ、およびｃを有するデバイス」は、デバイスが少なくとも構成要素ａ、ｂ、およびｃを含むことを意味する。同様に、語句「ステップａ、ｂ、およびｃを伴う方法」は、方法が少なくともステップａ、ｂ、およびｃを含むことを意味する。
【００８７】
文脈が別様に明確に要求しない限り、説明および請求項の全体を通して、言葉「ｃｏｍｐｒｉｓｅ」、「ｃｏｍｐｒｉｓｉｎｇ」、および同等物は、排他的または包括的な意味とは対照的に包含的な意味で、すなわち、「限定ではないが、〜を含む」の意味で、解釈されるものである。
【００８８】
本明細書の全体を通した従来技術の任意の議論は、いかようにも、そのような従来技術が広く公知である、または当分野内の共通一般知識の一部を形成するという承認として見なされるべきではない。
【００８９】
従来技術の不利点のうちの少なくとも１つを克服または改善する、もしくは有用な同等物を提供することが、本発明の目的である。
【００９０】
上記に記述されるように、本発明のいくつかの実施形態は、抵抗に対して運動するための装置に関する。本明細書で使用されるように、「抵抗に対して運動する」は、質量、摩擦、弾性変形、または同等物に作用する重力によって提供されるような力に対する、人体またはその一部の移動を示す。質量は、運動者の身体もしくはその一部によって提供されることができる、またはバーベル、ダンベル、ウェイトプレート、ケトルベル、もしくは同等物等のウェイトスタックまたはフリーウェイトデバイスの選択された部分によって提供されることができる。弾性バンドは、バンドの材料が、バンドを弾性的に変形させようとする運動者の努力に応答し、それに対抗するにつれて、抵抗を提供する。摩擦は、例えば、フライホイール等の往復または回転デバイスに対してブレーキを印加することによって等、抵抗を提供することができる。
【００９１】
フレームによって含有される少なくとも１つのウェイトスタックが、いくつかの実施形態に出現する。ある場合には、抵抗は、フレームによって含有される２つの独立ウェイトスタックを備える。ウェイトスタックは、それぞれ、類似または異なる質量のいくつかのプレートと、ウェイトスタック内の所望の数のプレートが、特定の運動のために選択され得るように、適切に設置された孔を伴うロッド等のデバイスとを有する。随意に、ばね荷重玉軸受が先端に付いたピンまたはキーが、ウェイトスタック内の所望の数のプレートをロッドに接続することができる。ロッドの一方の端部では、滑車が、ロッド、それによって、ウェイトスタック内の所望の数のプレートを、引動されたときにウェイトスタックから所望の数のプレートを持ち上げるケーブルに接続することができる。
【００９２】
フレームを中心として配索されるケーブルが、１つ以上の滑車を介して、ウェイトスタックを運動取付点に選択的に接続する。概して、ウェイトスタックのプレートは、運動が実施されるときに、上下に移動するであろうが、しかしながら、完全な垂直は、要求されない。１つ以上の滑車を伴うケーブルは、ウェイトスタックからのプレートの上下の動きを運動取付点において好適な方向に変換する。運動取付点は、ケーブルが終端し、運動係合デバイスの取付を可能にする場所である。例えば、ハンドグリップ、足首ストラップ、胴体ストラップ、頭部ストラップ、バーベル、ダンベル、または同等物、もしくは本明細書に説明されるような多重ベクトル延在デバイス等の任意の好適な運動係合デバイスが、使用されることができる。本明細書で使用されるように、バーベルは、概して、両手グリップのために意図されたデバイスを意味し、ダンベルは、概して、片手グリップのために意図されたデバイスである。随意に、バーベルまたはダンベルは、ウェイトプレートの形態で付加的質量を受容することができ、随意に、１つ以上の弾性バンド取付点を有してもよい。したがって、ある場合には、バーベルまたはダンベルは、運動取付点、浮動運動取付点（下記参照）を通してウェイトスタックに係合し、随意に、１つ以上のウェイトプレートを受容し、随意に、１つ以上の弾性バンドに係合し、それによって、極めて選択的で可変の抵抗を運動者に提供することができる。理解され得るように、ウェイトスタックまたはフリーウェイトプレートによって提供されるようなウェイトが、安定抵抗を付与する一方で、弾性バンドは、概して、バンドがわずかに伸張されたときに、より少ない抵抗を提供するが、伸張が増加するにつれて、抵抗を増加させる。
【００９３】
少なくとも１つの浮動滑車が、フレームに除去可能かつ調節可能に取り付けられる。ある場合には、浮動滑車は、第１の垂直付属品受容ポートのうちの１つ以上のもの、第２の垂直付属品受容ポートのうちの１つ以上のもの、もしくはそれらの組み合わせに結合することによって、フレームに除去可能かつ調節可能に取り付けられることができる。他の場合には、浮動滑車は、第１の水平付属品受容ポートのうちの１つ以上のもの、第２の水平付属品受容ポートのうちの１つ以上のもの、もしくはそれらの組み合わせに結合することによって、フレームに除去可能かつ調節可能に取り付けられることができる。浮動滑車は、通常、いずれの特別なツールも必要とすることなく、装置から完全に取り外されることができるため、除去可能である。浮動滑車は、いくつかの付属品受容ポートのうちのいずれかを介してフレームにしっかりと取り付けられ得るという意味で、調節可能である。浮動滑車は、第２の端部の反対側に第１の端部を有する、延在ケーブルを有する。２つの端部のうちの一方は、運動取付点に取り付けられることができ、他方の端部は、任意の好適な運動係合デバイスが取り付けられ得る、浮動運動取付点を提供する。故に、浮動滑車は、フレーム内の任意の好適な付属品受容ポート内に設置されることができ、次いで、延在ケーブルの一方の端部が、ウェイトスタックに接続されるフレームのケーブルに取り付けられる。次いで、フレーム上の運動取付点は、いくつかのケーブルに緩みが存在しないように、移動されることができる。浮動滑車は、任意の好適な数の滑車輪を有することができる。例えば、浮動滑車は、単一の滑車輪を有することができる。別の実施例に関して、浮動滑車は、２つの滑車輪を有することができ、延在ケーブルは、２つの滑車輪の間を通過する。
【００９４】
ウェイトスタックを接続するケーブルは、任意の好適な様式でフレームを中心として配索されることができる。ケーブルは、ある場合には、フレームの外側に沿って延設されることができる。他の場合には、ケーブルは、その進路の少なくとも一部で、フレームの内側に配索されることができる。本発明によると有用である、延在ケーブルを含む、ケーブルは、任意の好適なケーブルであり得る。ある場合には、好適な可撓性ポリマーでコーティングされたマルチワイヤ織物または撚り鋼鉄ケーブルが、使用されることができる。多くの場合、そのようなケーブルの端部は、随意に、金属小穴で補強されたループで終端する。さらなる事例では、ケーブルの末端の終了の直前に、小型球形ゴムストッパ等の滑車停止部が出現し得る。滑車停止部は、場合によっては、ケーブルの末端が運動取付点または浮動滑車から非意図的に退出しないように防止するように設計される。
【００９５】
本装置は、垂直部材と、水平部材とを有する、フレームを備える。任意の好適な数の垂直部材および水平部材が、使用されることができる。垂直部材および水平部材は、例えば、鋼鉄、アルミニウム、構造ポリマー、およびそれらの組み合わせ等の任意の好適な材料から作製されることができる。いくつかの事例では、フレームは、管を備える。管は、例えば、円形、卵形、多角形、長方形、または正方形等の任意の好適な断面を有することができる。フレームの垂直部材のうちの少なくともいくつかは、第１の方向に軸を有する、第１の垂直付属品受容ポートと、第２の方向に軸を有する、第２の垂直付属品受容ポートとを有する。ある方向に軸を有することは、付属品受容ポートがロッド様構造を受容し、固着させ得ることを意味する。これは、例えば、運動取付点を固着させるために有用である。別の実施例に関して、バーが、付属品受容ポートに進入し、それによって、バーに対する運動を支援することができ、運動者が、バーを使用して、懸垂もしくはディップスを実行することができる、または弾性バンドが、バーによって固着されることができる。付属品受容ポートは、例えば、円形、卵形、正方形、または多角形等の任意の好適な形状を有することができる。ある場合には、付属品受容ポートは、フレームを構成する管内に２つの開口部を備える。ロッド様構造は、管の対向表面内の第１の開口部に進入し、管を通して進行し、管の反対表面内の第２の開口部から退出する。このように、２つの開口部は、十分な支持をロッド様構造に提供する。
【００９６】
垂直部材は、厳密に垂直である必要はなく、水平部材は、厳密に水平である必要はないことが、当業者によって留意されることができる。例えば、湾曲する部材、厳密に垂直または厳密に水平以外の角度に接着する部材、およびそれらの組み合わせ等の任意の好適な部材が、含まれることができる。垂直部材は、垂直側面を有する部材であり、水平部材は、水平側面を有する部材である。垂直部材と水平部材との間で判別することは、任意の好適な方法によって遂行されることができる。例えば、水平に対してより大きい角度を有する部材は、水平に対してより小さい角度を有する部材が存在するときに、垂直部材と見なされることができる。水平に対して４５度で全て位置付けられる部材から構築されるフレームは、垂直部材を備えると言え得る。
【００９７】
ある実施形態では、複数の水平部材のうちの水平部材のうちの少なくともいくつかは、第１の方向に軸を有する、第１の水平付属品受容ポートと、第３の方向に軸を有する、第２の水平付属品受容ポートとを有する。ある場合には、第１の方向は、「前から後」であり、第２の方向は、「左から右」である。それらの方向の両方は、水平と平行であり得る。さらなる場合では、第３の方向は、「上から下」であり得る。したがって、第１の方向、第２の方向、および第３の方向は全て、相互と垂直であり得、これは、全ての状況で当てはまる必要はない。いくつかの方向は、相互に対して、および水平ならびに垂直に対して、任意の好適な様式で配向することができる。
【００９８】
本発明のいくつかの実施形態の装置は、１つ以上の運動取付点を備える。ある場合には、運動取付点は、１つまたは２つの滑車と、ケーブルの末端とを備える。ケーブルの末端を引動することは、ウェイトスタック上の所望の数のプレートを移動させる。運動取付点は、フレームの垂直部材のうちの１つまたは水平部材のうちの１つに沿って、摺動可能に調節可能であり得る。摺動可能に調節可能は、運動取付点が部材に沿って移動され、次いで、部材上の具体的な点において固着され得ることを意味する。運動取付点を固着させることは、任意の好適な手段を通して達成されることができる。例えば、運動取付点上のばね荷重ピンまたはロッド様構造は、付属品受容ポートに係合し、それによって、その付属品受容ポートにおいて運動取付点を固着させることができる。随意に、運動取付点は、フレームから除去され、異なる部材に再び取り付けられることができ、他の場合には、運動取付点は、装置を再構成するためのツールを使用することなく、単一の部材に沿って摺動することのみができる。ある場合には、垂直部材は、垂直長を有し、実質的に垂直長全体に、第１の垂直付属品受容ポートと、第２の垂直付属品受容ポートとを備える。さらなる場合では、水平部材は、水平長を有し、実質的に水平長全体に、第１の水平付属品受容ポートと、第２の水平付属品受容ポートとを備える。実質的に長さ全体に付属品受容ポートを有することは、長さの少なくとも５０％を上回る、６０％を上回る、７０％を上回る、８０％を上回る、または９０％を上回ることを意味する。
【００９９】
本発明のいくつかの事例では、１つ以上のドアが、フレームに取り付けられることができる。随意に、少なくとも１つのドアは、フレームの複数の垂直部材の中の少なくとも１つの垂直部材上に枢動可能に搭載される。ある事例は、それぞれ、外側垂直部材に取り付けられ、装置の中央において閉鎖する、２つのドアを提供する。ドアは、任意の好適な構造を有することができる。例えば、ドアは、少なくとも１つのドア水平部材を相互に支持する、少なくとも１つのドア垂直部材を備えてもよく、少なくとも１つのドア垂直部材は、第４の方向に軸を有する、第１のドア垂直付属品受容ポートと、第５の方向に第２のドア垂直付属品受容ポートとを備えてもよい。同様に、例えば、ドアは、第４の方向に軸を有する、第１のドア水平付属品受容ポートと、第６の方向に軸を有する、第２のドア水平付属品受容ポートとを有する、少なくとも１つのドア水平部材を備えてもよい。第４、第５、および第６の方向は、任意の好適な方向であり得る。例えば、それらのうちのいずれかは、第１、第２、および第３の方向のうちのいずれか１つ以上と整合することができる。ある場合には、第４の方向は、第５の方向と略垂直である。他の場合では、第４の方向および第５の方向は、水平と略平行である。なおもさらなる場合では、第６の方向は、水平に対して略法線である。ドア部材は、任意の好適な断面を有することができる。いくつかの実施例では、少なくとも１つのドア垂直部材は、正方形管類を備える。さらなる実施例では、少なくとも１つのドア水平部材は、正方形管類を備える。
【０１００】
本発明のある付加的実施形態は、使用時ではないときに、または他の目的のために、装置を覆隠するための１つ以上の装飾パネルを提供する。それらの実施形態のうちのいくつかは、フレームに搭載される少なくとも１つの装飾パネルに関する。それらの実施形態のうちのさらなるものは、ドアに搭載される少なくとも１つの装飾パネルを提供する。任意の好適な手段が、パネルを装置に搭載するために使用されることができる。例えば、装飾パネルは、少なくとも１つの中空頭ボルトを使用して、搭載されることができ、中空頭ボルトは、頭部と、ねじ山付きシャフトとを備え、頭部は、パネル搭載リベットを受容および保定するための軸方向陥凹を備える。ボルトは、例えば、フレームに取り付けられ、軸方向陥凹は、定位置でパネルを保持するリベットを固着させる。
【０１０１】
本発明のさらなる実施形態は、運動取付点、浮動運動取付点、またはそれらの組み合わせを有する、ドアに関する。これは、任意の好適な方法によって達成されることができる。滑車を備える、運動取付点または浮動運動取付点が、例えば、ドア付属品受容ポートのうちのいずれかに係合することによって、ドア部材のうちの１つ以上のものに移転されることができる。故に、いくつかの事例では、浮動滑車は、第１のドア垂直付属品受容ポートのうちの１つ以上のもの、第２のドア垂直付属品受容ポートのうちの１つ以上のもの、もしくはそれらの組み合わせに結合することによって、フレームに除去可能かつ調節可能に取り付けられることができる。他の事例では、浮動滑車は、第１のドア水平付属品受容ポートのうちの１つ以上のもの、第２のドア水平付属品受容ポートのうちの１つ以上のもの、もしくはそれらの組み合わせに結合することによって、フレームに除去可能かつ調節可能に取り付けられることができる。
【０１０２】
任意の好適な運動機器またはそれのための収容設備が、本発明に従って使用されることができる。フリーウェイト、特に、バーベルの使用を支援するために、付加的実施形態は、少なくとも１つのバーベルを受容し、少なくとも１つのバーベルを用いた少なくとも１つの運動の実施を可能にするための少なくとも１つのパワーラックを含む。ある事例は、バーベルを受容し、スミスマシンを使用して、バーベルを用いた少なくとも１つの運動の実施を可能にするためのスミスマシンを提供する。さらなる事例は、随意に、フレームのドアに配設される、ディップスバーを可能にする。付加的事例は、随意に、フレームのドアに配設される、腹筋運動ボードを可能にする。なおもさらなる事例は、種々の角度および高さにおいて位置付けられ得る、多用途支持パッドを可能にする。そのような多用途支持パッドは、水平に対して比較的に高い高さおよび高い角度における背部伸展および支持された二頭筋カールのために、ならびに水平に対して比較的に低い高さおよび角度における腹筋運動およびクランチのために、使用されることができる。本明細書で使用されるように、多用途支持パッドは、縦部材に沿って位置付けるように調節され得る、足首ブレースを有する縦部材を備える、多用途運動装置上に搭載される。多用途運動装置は、フレームにおける角度セレクタに取り付けられることができ、その角度セレクタは、種々の角度において縦部材を位置付け、異なる運動のために種々の高さにおいて多用途パッドを設置する。多用途パッド自体は、縦部材に対して種々の傾転角を採用することができる。適切に位置付けられた運動取付点および浮動滑車が、ある場合には、そのような運動のためにウェイトスタックへのアクセスを可能にすることができる、またはフリーウェイトが、使用されることができる。随意に、任意のアタッチメントが、アタッチメントまたは装置のいずれかが使用時ではないときに、装置内の便宜的な格納のために構築されることができる。
【０１０３】
なおもさらなる実施形態は、フラットパネルテレビ、音響システム、メディアプレーヤ、および同等物の配設を可能にする。そのような構成要素は、指導ビデオまたはオーディオ番組、音楽プレイリスト等の運動の意欲を高める番組、またはスポーツ放送およびトレーニングの間に楽しまれるべき映画等の純粋に娯楽的な番組のために、使用されることができる。メディアプレーヤは、例えば、パーソナルコンピュータ、スマートフォン、ＤＶＤビデオプレーヤ、ＢｌｕｅＲａｙＴＭビデオプレーヤ、ＭＰ３プレーヤ、ＭＰ４プレーヤ、またはそれらの組み合わせ等の任意の好適なデバイスであり得る。
【０１０４】
上記に記述されるように、抵抗は、任意の好適な手段によって提供されることができる。故に、本発明のいくつかの事例は、抵抗を提供または増強するための少なくとも１つの弾性バンド取付点を有する、装置を提供する。弾性バンドは、例えば、フレームの任意の好適な付属物の周囲でループになり、次いで、運動の間に運動者によって移動される任意の好適な物体の周囲でループになることができる。好適な物体は、バーベル、ダンベル、および手首、腰、ならびに足首等の運動者の身体の部分を含む。同様に、抵抗は、例えば、フリーウェイトによって提供されることができる。例えば、フックまたはカラビナ等の好適なコネクタを有する、バーベルまたはダンベルが、運動取付点または浮動運動取付点に取り付けられることができる。したがって、本発明のさらなる事例では、抵抗は、少なくとも１つのウェイトスタック、少なくとも１つのフリーウェイトデバイス、少なくとも１つの弾性バンド、装置を用いて運動する個人の体重、またはそれらの組み合わせによって選択的に提供されることができる。
【０１０５】
さらに付加的な実施形態は、抵抗に対して運動する方法に関する。運動者は、本明細書に開示される装置のうちのいずれかを取得し、いくつかのそのような方法では、少なくとも１つの運動係合デバイスを、１つ以上の運動取付点、少なくとも１つの浮動運動取付点、もしくはそれらの組み合わせに接続し、抵抗に対して少なくとも１つの運動係合デバイスを移動させ、それによって、抵抗に対して運動する。
【０１０６】
なおも他の実施形態は、本明細書に開示される装置のうちのいずれかを作製する方法に関する。それらの実施形態のうちのいくつかは、複数の滑車を介してフレームを中心として１つ以上のケーブルを配索し、少なくとも１つのウェイトスタックを１つ以上の運動取付点に選択的に接続するステップを含む。同様に、さらなる実施形態は、浮動滑車を通して延在ケーブルを配索するステップを含む、本明細書に開示される浮動滑車のうちのいずれかに関する。随意に、いったんケーブルまたは延在ケーブルが、適切に配索されると、滑車停止部が、次いで、随意に金属小穴を伴うループ形態で固着される、ケーブルの端部に追加されることができる。
【０１０７】
なおもさらなる実施形態は、本明細書に開示される装置のうちのいずれかと併用され得る、運動ベンチに関する。利点が、ある場合には、浮動滑車をベンチに取り付け、それによって、運動者が装置のウェイトスタックを使用して運動することを可能にすることから、生じる。浮動滑車は、フレーム内の１つ以上のベンチ付属品受容ポートに取り付けられることができる。運動ベンチのある実施例は、フレームによって支持され、傾斜角を採用することが可能な背部クッションを含む。水平に対する負の傾斜角を含む、任意の好適な傾斜角が、背部クッションによって利用可能にされることができる。ある場合には、傾斜角は、水平に対して−８０度〜１２０度に及ぶ。そのような広範囲の可能性として考えられる傾斜角は、運動者のために多種多様な身体位置を可能にする。他の場合には、傾斜角は、水平に対して０度〜６０度に及ぶ。
【０１０８】
ある運動ベンチでは、背部クッションを支持するデバイスが、飛び出し、背部クッションを落下させ、潜在的に運動者を負傷させ得ることが、問題であり得る。
故に、本発明のさらなる実施形態は、
背部クッションに係合する、背部クッションブレースと、
背部クッションブレースを受容し、背部クッションブレースと傾斜角を確立するための複数の傾斜角選択スロットと、
背部クッションブレースが傾斜角選択デバイスから逸脱しないように防止するためのブレースガードと、
を備える、傾斜角選択デバイスを備える、運動ベンチを提供する。
【０１０９】
本発明の装置、フレーム、デバイス、およびそれらの構成要素は、任意の好適な材料から作製されることができる。例えば、鋼鉄、アルミニウム、高密度ポリアルカン等の構造ポリマー、ポリウレタン、ナイロン、ＴｅｆｌｏｎＴＭ等の含フッ素化ポリアルカン、およびそれらの組み合わせが、述べられることができる。
【０１１０】
本発明のさらなる事例は、抵抗に対して運動するための装置のための滑動延在デバイスに関し、滑動延在デバイスは、ガイドロッドに滑動して係合するように適合される複数のローラを備える、ローラキャリッジと、ローラキャリッジから延在する延在フレームであって、ローラキャリッジに隣接する近位端と、遠位端とを備える、延在フレームと、遠位端またはその近傍における運動係合デバイスと、ローラキャリッジ、延在フレームの近位端、または両方に取り付けられる、運動取付点受容器とを備える。本明細書で使用されるように、滑動延在デバイスは、ガイドロッドに沿って円滑な誘導された移動を提供することを意図しており、その誘導された移動は、スミスマシンの様式で抵抗に対する。本発明の滑動延在デバイスは、片手で、例えば、片手グリップを用いて、動作されることができる。または、両手バーが、使用されることができる。随意に、両手バーは、２つの滑動延在デバイスを接続し、例えば、２つの別個のウェイトスタックが係合されることを可能にすることができる。
【０１１１】
随意に、滑動延在デバイスは、運動者の安全性および便宜性のためにブレーキ機構を備えることができる。ブレーキ機構は、滑動延在デバイス上の任意の抵抗にもかかわらず、滑動延在デバイスがガイドロッドに対してその位置を維持することを可能にする。任意の好適なブレーキ機構が、使用されることができる。いくつかの事例では、ブレーキ機構は、運動係合デバイスにおけるブレーキレバーと、複数のローラの中から少なくとも１つのローラ、ガイドロッド、または両方を拘束するためのローラキャリッジにおけるブレーキクランプとを備え、ブレーキレバーは、ブレーキレバーが操作されるときに、ブレーキクランプを係脱させるように適合される。
【０１１２】
任意の好適な抵抗が、滑動延在デバイスと併用されることができる。本デバイスは、抵抗を滑動延在デバイスに接続するためのカラビナまたは他の機構を受容し得る、１つ以上の運動取付点受容器を有することができる。運動取付点受容器は、ケーブルを介してウェイトスタックを選択的に接続するためのアイボルトであり得る、または弾性バンドを受容するためのＪ−フックであり得る。ある場合には、延在フレームはさらに、１つ以上の延在運動取付点を提供するための複数の延在受容ポートを備える。
【０１１３】
ガイドロッドは、任意の好適な配向を有することができる。例えば、ガイドロッドは、垂直であり得、滑動延在デバイスは、スクワット運動のためのスミスマシン様体験を提供することができる。別の実施例に関して、ガイドロッドは、水平であり得、滑動延在デバイスは、ローイング運動デバイスとして機能することができる。加えて、ガイドロッドは、直線状、曲線状、またはそれらの組み合わせであり得る。
【０１１４】
本発明のさらなる事例は、抵抗に対して運動するための装置のための延在アームに関し、延在アームは、延在アームを装置のフレームに取り付けるための角度選択ブラケットであって、複数の延在角を確立するための複数の角度選択ポートを備える、角度選択ブラケットと、角度選択ブラケットから延在し、１つ以上の延在運動取付点を提供するための複数の延在受容ポートを備える、延在部材とを備え、複数の延在角の中の延在角は、フレームの部材の一部および延在部材の一部によって判定される。したがって、例えば、垂直部材は、角度の一方の辺を示し、延在部材は、角度の別の辺を示す。延在アームは、少なくとも１つのウェイトスタックを選択的に接続し、１つ以上の延在運動取付点を確立することが可能な１つ以上の浮動滑車を受容するように適合されることができる。
【０１１５】
ある事例は、多種多様な運動オプションのために浮動滑車を受容し得る、革新的腹筋運動ボードを提供する。一事例では、腹筋運動ボードは、運動者を支持するためのパッド付きボードと、パッド付きボードを支持する、少なくとも１つの縦部材と、パッド付きボードを支持する、少なくとも１つの側方部材とを備え、少なくとも１つの縦部材、少なくとも１つの側方部材、または両方は、複数の腹筋運動ボード付属品受容ポートを備える。腹筋運動ボード付属品受容ポートは、本明細書に説明されるような浮動滑車を受容することができる。随意に、腹筋運動ボードはまた、腹筋運動ボードを使用しながら、運動者が安定するために使用し得る、２つの足ブレースも備える。１つ以上のハンドグリップもまた、出現し得る。
【０１１６】
腹筋運動ボードは、任意の好適な手段によって装置のフレームに取り付けられることができる。例えば、腹筋運動ボード上の１つ以上のピンが、装置のフレームの付属品受容ポートに係合することができる。随意に、１つ以上のフッタが、腹筋運動ボードを安定させることができる。
【０１１７】
予想外にも、出願者は、異なるベクトルまたは方向を有する複数の抵抗に対して運動するためのデバイスおよび方法を発明した。例えば、重力が、下向き方向にフリーウェイトを引動することができ、運動者が、重力に対してそのウェイトを上向きに持ち上げることができる。ここで、張力下の弾性バンドが、運動者の動きに適用され、弾性バンドが、下向き以外の方向に、すなわち、重力と平行に、または重量と協調して配向されると仮定されたい。水平に、または垂直以外の任意の方向に引動する弾性バンドは、ウェイトを垂直に持ち上げる運動者に、運動者がウェイトを持ち上げているだけの場合に関与しない場合がある、より多種多様な筋肉を強制的に使用させるであろう。本多重ベクトル抵抗運動は、並外れて有益であり得る。例えば、肩、膝、足首、肘、および手首等の関節が、異なるベクトルを有する２つ以上の抵抗に対して運動者を運動させることによって、強化されることができる。有意なこととして、本発明の装置は、抵抗運動のための多種多様なベクトルの組み合わせの機会を提供する。
【０１１８】
故に、ある場合には、抵抗に対して運動するための装置のための多重ベクトル延在デバイスは、装置のフレームに除去可能かつ調節可能に取り付けるためのブレースと、複数の付属品受容ポートを備える、多重ベクトル延在アームと、ブレースに対して多重ベクトル延在アームの有意な移動の自由度を可能にしながら、多重ベクトル延在アームをブレースに継合する玉継手と、複数の付属品受容ポートの中の第１の付属品受容ポートを介して多重ベクトル延在アームに除去可能に取り付けられる、少なくとも１つの運動係合デバイスと、複数の付属品受容ポートの中の第２の付属品受容ポートを介して多重ベクトル延在アームに除去可能に取り付けられる、少なくとも１つの運動取付点受容器とを備える。
【０１１９】
任意の好適なブレースが、使用されることができる。例えば、ブレースは、装置のフレームに係合するためのノブによって操作されるばね荷重ピンを備えてもよい。さらに、多重ベクトル延在デバイスの材料は、限定されない。例えば、多重ベクトル延在アームは、例えば、鋼鉄、アルミニウム、ポリマー、およびそれらの組み合わせ等の任意の好適な材料から作製される、正方形管類を備えることができる。例えば、片手グリップ、両手バー、足首ストラップ、胴体ストラップ、頭部ストラップ、または同等物等の任意の好適な運動係合デバイスが、多重ベクトル延在デバイスと併用されることができる。
【０１２０】
同様に、例えば、弾性バンドを受容するためのＪ−フック、ウェイトスタックに選択的に接続するためのカラビナを受容するためのアイボルト、およびそれらの組み合わせ等の任意の好適な運動取付点受容器が、使用されることができる。運動取付点受容器および運動係合デバイスは、任意の好適な様式で多重ベクトル延在デバイスに取り付けられることができる。ある場合には、運動取付点受容器または運動係合デバイスは、受容器またはデバイスを多重ベクトル延在デバイスに選択的に固着させる、ばね荷重ピンを含むことができる。
【０１２１】
時として、多重ベクトル延在アームは、少なくとも２つの伸縮部材を備え、複数の付属品受容ポートは、複数の伸縮部材付属品受容ポートを備える。伸縮部材は、入れ子式であり得る、すなわち、一方の部材が、他方の部材の内側に嵌合する。そのような場合には、少なくとも２つの伸縮部材のうちの１つが、少なくとも１つのばね荷重ピンを用いて多重ベクトル延在アームに選択的に固着されることが可能である。伸縮部材が存在するとき、片手グリップ等の運動係合デバイスが、複数の伸縮部材付属品受容ポートの中の第３の付属品受容ポートを介して、多重ベクトル延在アームに除去可能に取り付けられることができる。同様に、Ｊ−フックまたはアイボルト等の運動取付点受容器が、複数の伸縮部材付属品受容ポートの中の第４の付属品受容ポートを介して、多重ベクトル延在アームに除去可能に取り付けられることができる。
【０１２２】
本発明のさらなる事例は、多重ベクトル延在デバイスまたはそのうちのある部品が、装置のフレームに打ち付けられないような構造を提供する。例えば、ある場合には、多重ベクトル延在デバイスのブレースは、多重ベクトル延在アームによる接触からフレームを保護するように玉継手を中心として位置付けられる支持円錐を備える。支持円錐は、例えば、天然ゴム、合成ゴム、ポリウレタン、シリコーン、またはそれらの組み合わせ等の任意の好適な材料から作製されることができる。
【０１２３】
類似様式では、多重ベクトル延在支持体はまた、多重ベクトル延在デバイスまたは別の機器が装置のフレームに接触しないように防止することもできる。多重ベクトル延在支持体は、装置のフレームに除去可能かつ調節可能に取り付けるためのブレースと、フレームを受容し、多重ベクトル延在デバイスによる接触から保護するためにフレームに取り付けられる、弾力性支持体とを含むことができる。ある場合には、ブレースは、装置のフレームに係合するためのばね荷重ピンを備える。さらなる場合では、弾力性支持体は、多重ベクトル延在デバイスを受容するための陥凹を画定する。そのような陥凹は、動いてないときに多重ベクトル延在デバイスまたは類似機器を受容することができる。任意の好適な材料が、弾力性支持体に使用されることができる。ある事例は、天然ゴム、合成ゴム、ポリウレタン、シリコーン、またはそれらの組み合わせから成る、弾力性支持体を提供する。
【０１２４】
複数のベクトルを有する複数の抵抗に対して運動する方法もまた、本発明のいくつかの実施形態に出現する。本明細書に説明されるような多重ベクトル延在デバイスを採用して、１つのそのような方法は、第１の抵抗を第１の運動取付点受容器に取り付けるステップと、第２の抵抗を第２の運動取付点受容器に取り付けるステップであって、第１の抵抗は、第１のベクトルを有し、第２の抵抗は、第２のベクトルを有し、第１のベクトルは、第２のベクトルと異なり、第１のベクトルおよび第２のベクトルは、それによって、複数のベクトルを有する複数の抵抗を形成する、ステップと、複数のベクトルを有する複数の抵抗に対して運動係合デバイスを移動させ、それによって、複数のベクトルを有する複数の抵抗に対して運動するステップとを含む。
【０１２５】
抵抗は、いくつかのベクトルの方向が任意の好適な組み合わせで配向するように、配列されることができる。ある場合には、ベクトルまたはその成分は、相互に整合または対向する。また、ベクトルの相対配向は、運動の動きが実施されるにつれて変化し得ることに留意されたい。最初に相互に対して直角にある２つのベクトルは、運動の動き全体を通して、必ずしも直角を形成しないであろう。本相対配向の変化は、有利であり、運動の動きにおいて異なる場所で全体的抵抗を増加または減少させ得る。また、運動の動きの方向は、印加される複数の抵抗の１つ以上のベクトルと整合する、もしくはそれに対することができる、または運動の動きの方向は、いずれの抵抗のベクトルとも整合する必要がない。当然ながら、複数の抵抗が運動者に過度のストレスを与えない、または運動者を負傷させないように、配慮されるべきである。最初は、小さい抵抗が、推奨される。
【０１２６】
さらなる多用途性が、容易な様式で構造をフレームに追加するように、種々の移動式部材の使用によって得られる。本発明のいくつかの事例は、抵抗に対して運動するための装置のための移動式部材を提供し、移動式部材は、第２の端部の反対側に第１の端部を有する、伸長区分と、移動式部材を装置のフレームの第１の部材に固着させるための伸長区分の第１の端部における第１のフレーム係合デバイスと、移動式部材をフレームの第２の部材に固着させるための伸長区分の第２の端部における第２のフレーム係合デバイスとを備える。移動式部材が運動取付点を提供することが所望される場合には、ある事例では、伸長区分は、正方形管類を備える。それらの事例のうちのあるものでは、移動式部材は、第１の端部と第２の端部との間に、第１の移動方向に軸を有する、第１の移動式付属品受容ポートと、第２の移動方向に軸を有する、第２の移動式付属品受容ポートとを備える。
【０１２７】
代替として、移動式部材は、人体の一部との接触を支援するように設計されることができる。例えば、伸長区分は、発泡ポリマー、クッション、またはそれらの組み合わせから成ってもよい。任意の好適な発泡ポリマーが、使用されることができる。ある事例では、発泡ポリマーは、ラテックス気泡ゴム、ポリウレタンフォーム、スチレンブタジエンフォーム、またはそれらの組み合わせから選定される。
【０１２８】
移動式部材は、任意の好適な構造によって装置のフレームに固着されることができる。一実施例では、第１のフレーム係合デバイスは、第１の保定キーを受容するための第１のポートを有する、第１のロッドを備え、第１のロッドは、フレームの第１の部材の第１の付属品受容ポートに進入するように適合される。別の実施例では、第２のフレーム係合デバイスは、随意に、第２の保定キーを受容するための第２のポートを有する、第２のロッドを備え、第２のロッドは、フレームの第２の部材の第２の付属品受容ポートに進入するように適合される。そのような構造の背後の概念は、第１のロッドが、１つの部材上の第１の付属品受容ポートの中に挿入されることを可能にし、次いで、第２のロッドを別の部材上の第２の付属品受容ポートと整合させることである。第２のロッドが、第２の付属品受容ポートの中に挿入されるとき、第１の保定キーは、配設された位置で移動式部材を固着させるように第１のポートの中に挿入される。これは、第１のロッドが第２のロッドよりも長い、いくつかの場合に、補助される。他の場合には、第２のロッドは、第１のロッドよりも長い。
【０１２９】
なおもさらなる実施形態は、装置のフレームに除去可能かつ調節可能に取り付けるためのブレースと、ブレースヒンジによってブレースに取り付けられる、伸張足底部分と、踵ヒンジによって足底部分に取り付けられる、踵部分とを備える、足伸張デバイスに関する。足伸張デバイスは、任意の好適な構造によって装置のフレームに固着されることができる。例えば、ブレースは、装置のフレームに係合するためのばね荷重ピンを備えてもよい。
【０１３０】
足伸張デバイスは、任意の好適な材料を含むことができる。例えば、ある場合には、踵部分は、非粘着表面を備える。広義には、ある場合には、足伸張デバイスは、鋼鉄、またはアルミニウム、もしくはそれらの組み合わせから成る。
【０１３１】
さらなる実施形態は、運動者の足を受容するための足場と、足場を足に固着させるための１つ以上のストラップと、抵抗を足場に係合させるための１つ以上の運動取付点受容器とを備える、足運動アタッチメントを提供する。任意の好適な材料が、使用されることができる。例えば、ある場合には、足場は、鋼鉄、アルミニウム、またはそれらの組み合わせから成る。同様に、ストラップは、面ファスナ布（ＶｅｌｃｒｏＴＭ）、スナップ、ボタン、バックル、またはそれらの組み合わせを備えてもよい。足場は、随意に、足が靴を装着しているときに、足の爪先の上部に係合するための爪先部分を備えてもよい。
【０１３２】
なおもさらなる実施形態は、抵抗に対して運動するための装置のための脚プレス付属品に関し、脚プレス付属品は、装置のフレームの水平部材に除去可能かつ調節可能に取り付けるための角度ガイドブレースを有する、角度ガイドと、延在部材受容器が、角度ガイド内に弓状様式で移動し得るように、角度ガイドに係留される、延在部材受容器であって、延在部材に係合するためのばね荷重ピンを備える、足パッドブレースを用いて、延在部材上で定位置に保持される足パッドを有する、延在部材を受容するように適合される、延在部材受容器とを備える。足パッドブレースに適応するために、ある場合には、延在部材は、１つ以上の延在運動取付点を提供するための複数の延在受容ポートを備える。運動者に適応するために、さらなる場合は、フレームの水平部材が、水平部材に係合するための１つ以上のベンチブレースを有する、ベンチを受容することを可能にし、１つ以上のベンチブレースは、水平部材に係合するための１つ以上のばね荷重ピンを備える。
【０１３３】
ショルダープレスおよびカーフレイズが、本発明のある実施形態では、装置のフレームの１つ以上の垂直部材上の１つ以上の付属品受容ポートに係合するための１つ以上の格納式ピンを備える、ステージと、ステージに添着される、角度ガイドと、延在部材受容器が、角度ガイド内に弓状様式で移動し得るように、角度ガイドに係留される、延在部材受容器であって、ばね荷重ピンをさらに備える、延在部材受容器であって、延在部材を受容し、ばね荷重ピンを用いて延在部材を固着させるように適合される、延在部材受容器とを備える、調節可能な弓状基部によって、適応されることができる。ある場合には、１つ以上の格納式ピンは、２つのばね荷重ピンを備える。さらなる場合では、延在部材は、１つ以上の運動係合デバイスおよび／または１つ以上の運動取付点受容器を提供するための複数の延在受容ポートを備える。
【０１３４】
さらに一層の多用途性が、角度伸縮式延在デバイスの使用とともに、本発明による装置から取得されることができる。ある場合には、角度伸縮式延在デバイスは、角度伸縮式延在デバイスを装置のフレームに選択的に取り付けるための角度選択ブレースであって、装置のフレーム内の付属品受容ポートに係合するための格納式ピンを備える、角度選択ブレースと、角度選択ブレースに取り付けられる複数の角度選択ポートを備える、角度セレクタと、ヒンジによって角度選択ブレースに接続される、角度選択ブラケットであって、ヒンジは、回転軸を画定し、伸縮延在角を確立するために、角度セレクタ上の複数の角度選択ポートの中の角度選択ポートに係合するための角度選択格納式ピンを備える、角度選択ブラケットと、角度選択ブラケットから延在し、それぞれ、ばね荷重ピンを用いて選定された長さにおいて固着されるように適合される、２つ以上の入れ子式延在部材を備える、伸縮式延在アームであって、２つ以上の入れ子式延在部材は、１つ以上の延在運動取付点を提供するための複数の延在受容ポートを備える、伸縮式延在アームとを備え、伸縮角は、一方では、回転軸と複数の角度選択ポートの中の第１の角度選択ポートとの間の第１の想像上の線、および回転軸と複数の角度選択ポートの中の選定された角度選択ポートとの間の第２の想像上の線によって判定される。
【０１３５】
ある事例は、角度伸縮式延在デバイスが装置のフレームの垂直部材上に嵌合することを規定する。さらなる事例では、角度選択格納式ピンは、ばね荷重ピンを備える。例えば、２つの入れ子式延在部材、３つの入れ子式延在部材、または４つの入れ子式延在部材等の任意の好適な数の入れ子式延在部材が、使用されることができる。
【０１３６】
多くの場合、本発明の装置と併用するために比較的に軽量のポータブルウェイトスタックアセンブリを有することが、役立ち得る。ポータブルウェイトスタックアセンブリは、付加的ウェイト、随意に、付加的ベクトルを運動に追加することができる。ある事例では、ポータブルウェイトスタックアセンブリは、１つ以上のポータブル水平部材を相互に支持する、１つ以上のポータブル垂直部材を備える、ポータブルフレームと、ポータブルフレームによって含有される、ポータブルウェイトスタックと、ポータブルウェイトスタックを摺動可能に調節可能なポータブル運動取付点に選択的に接続する、複数のポータブル滑車を介してポータブルフレームを中心として配索される１つ以上のポータブルケーブルと、フレームを安定させるための少なくとも１つのフッタとを備える。
【０１３７】
１人または２人の運動者が、ポータブルウェイトスタックアセンブリを操縦する場合、合計ウェイトは、ある場合には、過剰となり得ない。故に、いくつかの事例では、ポータブルウェイトスタックアセンブリは、重量が約２００ポンド以下、約１５０ポンド以下、約１００ポンド以下、約７５ポンド以下、または約５０ポンド以下である。さらなる事例では、ポータブルウェイトスタックアセンブリは、重量が少なくとも約５０ポンド、少なくとも約７５ポンド、少なくとも約１００ポンド、少なくとも約１５０ポンド、または少なくとも約２００ポンドである。
【０１３８】
種々の運動のための異なる構成に適応するために、付加的事例は、１つ以上のポータブル垂直部材のうちの少なくとも１つが、第１のポータブル方向に軸を有する、第１のポータブル垂直付属品受容ポートと、第２のポータブル方向に軸を有する、第２のポータブル垂直付属品受容ポートとを備えることを規定する。同様に、さらなる事例は、１つ以上のポータブル水平部材のうちの少なくとも１つが、第１のポータブル方向に軸を有する、第１のポータブル水平付属品受容ポートと、第３のポータブル方向に軸を有する、第２のポータブル水平付属品受容ポートとを備えることを規定する。
【０１３９】
予想外にも、本発明のある装置は、並外れて高密度の運動を提供する。本高密度は、潜在的に、ジム内の多数の空間を消費する機器の必要性を排除する。いくつかの場合には、高密度は、本発明のフレームのうちのいくつかのある一意の性質によって提供される。故に、いくつかの実施形態は、複数の水平部材を相互に支持する複数の垂直部材を備える、フレームを提供し、複数の垂直部材および複数の水平部材は、約１：４、約２：９、約１：５、約３：１０、約１：３、または約３：１０のアスペクト比を有する、長方形の占有面積を画定する。本明細書で使用されるように、「アスペクト比」は、装置の奥行対幅を指す。他の実施形態は、アスペクト比が、少なくとも約１：４、少なくとも約２：９、少なくとも約１：５、少なくとも約３：１０、少なくとも約１：３、または少なくとも約３：１０であることを規定する。なおもさらなる実施形態は、アスペクト比が、約１：４以下、約２：９以下、約１：５以下、約３：１０以下、約１：３以下、または約３：１０以下であることを規定する。
【０１４０】
フレームは、任意の好適な寸法を有することができる。例えば、ある場合には、フレームは、少なくとも約１フィート、少なくとも約２フィート、少なくとも約３フィート、少なくとも約４フィート、少なくとも約５フィート、または少なくとも約６フィートの奥行を有する。さらなる場合では、フレームは、約１フィート以下、約２フィート以下、約３フィート以下、約４フィート以下、約５フィート以下、または約６フィート以下の奥行を有する。同様に、さらなる事例は、少なくとも約３フィート、少なくとも約４フィート、少なくとも約５フィート、少なくとも約６フィート、少なくとも約７フィート、少なくとも約８フィート、少なくとも約９フィート、少なくとも約１０フィート、少なくとも約１１フィート、少なくとも約１２フィート、少なくとも約１３フィート、少なくとも約１４フィート、または少なくとも約１５フィートの幅を伴うフレームを提供する。付加的事例では、フレームは、約３フィート以下、約４フィート以下、約５フィート以下、約６フィート以下、約７フィート以下、約８フィート以下、約９フィート以下、約１０フィート以下、約１１フィート以下、約１２フィート以下、約１３フィート以下、約１４フィート以下、または約１５フィート以下の幅を有する。
【０１４１】
さらに付加的な事例は、少なくとも約４フィート、少なくとも約５フィート、少なくとも約６フィート、少なくとも約７フィート、少なくとも約８フィート、少なくとも約９フィート、少なくとも約１０フィート、少なくとも約１１フィート、または少なくとも約１２フィートの高さを有する、フレームを提供する。なおもさらなる事例は、少なくとも約４フィート、少なくとも約５フィート、少なくとも約６フィート、少なくとも約７フィート、少なくとも約８フィート、少なくとも約９フィート、少なくとも約１０フィート、少なくとも約１１フィート、または少なくとも約１２フィートの高さを有する、フレームに関する。
【０１４２】
付加的構成に適応するために、ある場合には、フレームの複数の垂直部材のうちの垂直部材のうちの少なくともいくつかは、第１の方向に軸を有する、第１の垂直付属品受容ポートと、第２の方向に軸を有する、第２の垂直付属品受容ポートとを有する。さらなる場合では、複数の水平部材のうちの水平部材のうちの少なくともいくつかは、第１の方向に軸を有する、第１の水平付属品受容ポートと、第３の方向に軸を有する、第２の水平付属品受容ポートとを有する。
【０１４３】
任意の好適な管またはロッドが、装置のフレームを構築するために使用されることができる。ある場合には、フレームは、正方形管類、円形管類、六角形管類、またはそれらの組み合わせを備える。
【０１４４】
（図面の詳細な説明）
本発明のさらなる実施形態が、付随する図面を参照することによって説明されることができる。
【０１４５】
図１は、本発明の一実施形態、すなわち、装置１００を描写する。装置１００は、複数の水平部材１２１、１２２、１２３、１２４、１２５、１２６、１２７、１２８、１２９、１３１、１３２、１３６、および１３７を相互に支持する、複数の垂直部材１１１、１１２、１１３、１１４、１１５、１１６、１１７、および１１８を備える、フレームを有する。付加的垂直部材および／または水平部材が、所望に応じて追加されることができる。装置１００のフレームは、ウェイトスタック１４１およびウェイトスタック１４２を含有する。ケーブル１８５が、ウェイトスタック１４１を運動取付点１６１に選択的に接続するように、複数の滑車１５１、１５４、１５５、１５６（および標識されていない他のもの）を介してフレームを中心として配索される。ケーブル１８６が、ウェイトスタック１４２を運動取付点１６２に選択的に接続するように、複数の滑車１７１、１７２、１７３、１７４、１７５、１７６、１７７、１７８（および標識されていない別のもの）を介してフレームを中心として配索される。運動取付点１６１は、垂直部材１１１に沿って摺動可能に調節可能である。運動取付点１６２は、垂直部材１１７に沿って摺動可能に調節可能である。浮動滑車１８１は、水平部材１２５においてフレームに除去可能かつ調節可能に取り付けられる。延在ケーブル１８３は、第１の端部においてカラビナ１６３を介して運動点１６１に、第２の端部においてハンドグリップ１９１に取り付けられ、浮動運動取付点を提供する。浮動滑車１８２は、水平部材１２５においてフレームに除去可能かつ調節可能に取り付けられる。延在ケーブル１８４は、第１の端部においてカラビナ１６４を介して運動点１６２に、第２の端部においてハンドグリップ１９２に取り付けられ、浮動運動取付点を提供する。装置１００は、以下の図にさらに解説される、多数の付属品受容ポート（標識されていない）を有する。装飾パネル（図示せず）は、限定ではないが、垂直部材１１１と１１２との間、垂直部材１１７と１１８との間、および垂直部材１１２と１１８との間を含む、任意の好適な構成で搭載されることができる。
【０１４６】
図２および３は、水平部材２２１と、垂直部材３１１とを備える、さらなる実施形態を描写する。好適な鋼鉄合金から作製される１本の正方形管類である、水平部材２２１は、第１の水平付属品受容ポート２９１、２９２、２９３、および２９４を備える。水平付属品受容ポート２９１は、好適に成形された付属品がポート２９１および孔２７１に進入し（または逆も同様）、それによって、安定化を受容し得るため、孔２７１を含むと見なされ得る。好適な鋼鉄合金から作製される１本の正方形管類である、垂直部材３１１は、第１の垂直付属品受容ポート３７１、３７２、および３７３を備える。第１の垂直付属品受容ポート３７１は、孔３８１を含むと見なされ得る。垂直部材３１１はまた、第２の垂直付属品受容ポート３６１、３６２、および３６３も有する。垂直付属品受容ポート３７１は、第１の方向に軸３０１を有する。垂直付属品受容ポート３６２は、第２の方向にアクセス３０２を有する。示されるように、水平付属品受容ポート２９１は、第１の方向に軸２０１を有する。水平部材２２１はまた、第２の水平付属品受容ポート２８１、２８２、２８３、および２８４も有する。第２の水平付属品受容ポート２８４は、第３の方向に軸２０３を有する。
【０１４７】
図４はさらに、図１にすでに示されているいくつかの特徴が、明確にするために省略されている、装置１００を描写する。垂直部材１１３は、「前から後ろ」として説明され得る、第１の方向に軸を有する、第１の垂直付属品受容ポート１８７を有する。垂直部材１１３はまた、「左から右」として説明され得る、第２の方向に軸を有する、第２の垂直付属品受容ポート１８８も有する。水平部材１２３は、第１の方向に軸を有する、第１の水平付属品受容ポート１９７を有する。水平部材１２３はまた、「上から下」として説明され得る、第３の方向に軸を有する、第２の水平付属品受容ポート１９８も有する。水平部材１３６は、それぞれ、第２の方向および第３の方向に水平付属品受容ポート１９３および１９４を有する。第１の方向および第２の方向は、水平と略平行であり、第３の方向は、水平に対して略法線である。図４に示される各垂直部材および各水平部材は、実質的に各部材の全長に沿って付属品受容ポートを有する。運動付属品の任意の物質が、装置１００上のいずれかの場所に見出される付属品受容ポートのうちのいずれかに係合し、いずれか一方もしくは両方のウェイトスタック１４１、１４２、フリーウェイト、弾性バンド、運動者自身の身体の体重、またはそれらの組み合わせによって提供される抵抗に対する運動を可能にすることができる。装置１００の多用途性は、それらの間の機械的接続の有無別に、類似装置をともに設置し、浮動運動取付点がいくつかの装置上の任意の好適な運動取付点に接続することを可能にすることによって、さらに拡張されることができる。複数のウェイトスタックが、多種多様な可能性として考えられる運動においてまとめられることができる。
【０１４８】
本発明のある事例では、装置１００は、例えば、幅９フィート（垂直部材１１１から垂直部材１１７まで）および奥行３フィート（垂直部材１１７から垂直部材１１８まで）等の著しく小さい寸法を有することができる。そのような小さい占有面積内にそのような多種多様な運動を含有することは、前例がないと考えられる。この小さい占有面積は、家庭用ジム市場および同様に商業用ジム市場に、劇的な改良を提供し得る。
【０１４９】
図５は、ウェイトスタック５４１を運動取付点５６１に選択的に接続するケーブル５８５を描写する。運動取付点５６１は、付属品受容ポート（図示せず）に係合するために好適なばね荷重ピンを動作させる、ノブ５６４を操作することによって、装置（図示せず）のフレームの垂直部材に沿って摺動可能に調節可能である。運動取付点５６１はまた、カラビナ５６２が運動の間に移動されるときに、ケーブル５８５の有意で万能な移動の自由度を可能にするための２つの滑車５６５、５６７も備える。ゴム球体である滑車停止部５６８が、ケーブル５８５が運動取付点５６１から退出しないように防止する。ケーブル５８５の他方の端部は、コネクタ５６３において運動取付点５６１に取り付けられる。滑車５５７、５５６、５５５、５５４、５５１、５５２、および５５３は、フレーム（図示せず）を通して、その２つの端部の間にケーブル５８５を配索する。運動取付点５６１が、滑車５５３と滑車５５７との間で摺動可能に調節されるとき、コネクタ５６３と滑車５６５、５６７との間のケーブル５８５の長さは、変化しない。しかしながら、カラビナ５６２が、引動されるとき、コネクタ５６３と滑車５６５、５６７との間のケーブル５８５の長さは、短縮し、滑車５５１にウェイトスタック５４１の選択された部分を上昇させ、抵抗を運動に提供する。
【０１５０】
図６は、ウェイトスタック６４１を運動取付点６６１に選択的に接続するケーブル６８５を描写する。図６のケーブル６８５の配索は、図１のケーブル１８５、１８６の配索に類似する。運動取付点６６１は、付属品受容ポート（図示せず）に係合するために好適なばね荷重ピンを動作させる、ノブ６６４を操作することによって、装置（図示せず）のフレームの垂直部材に沿って摺動可能に調節可能である。運動取付点６６１はまた、カラビナ６６２が運動の間に移動されるときに、ケーブル６８５の有意で万能な移動の自由度を可能にするための２つの滑車６６５、６６７も備える。ゴム球体である滑車停止部６６８が、ケーブル６８５が運動取付点６６１から退出しないように防止する。ケーブル６８５の他方の端部は、コネクタ６６３において運動取付点６６１に取り付けられる。滑車６５９、６５６、６５２、６５１、６５３、６５７、６５８、６５４、および６５５は、その２つの端部の間にケーブル６８５を配索する。運動取付点６６１が、滑車６５５と滑車６５９との間で摺動可能に調節されるとき、コネクタ６６３と滑車６６５、６６７との間のケーブル６８５の長さは、変化しない。しかしながら、カラビナ６６２が、引動されるとき、コネクタ６６３と滑車６６５、６６７との間のケーブル６８５の長さは、短縮し、滑車６５１にウェイトスタック６４１の選択された部分を上昇させ、抵抗を運動に提供する。
【０１５１】
図７は、ウェイトスタック７４１を運動取付点７６１に選択的に接続するケーブル７８５を描写する。運動取付点７６１は、付属品受容ポート（図示せず）に係合するために好適なばね荷重ピンを動作させる、ノブ７６４を操作することによって、装置（図示せず）のフレームの水平部材に沿って摺動可能に調節可能である。運動取付点７６１はまた、カラビナ７６２が運動の間に移動されるときに、ケーブル７８５の有意で万能な移動の自由度を可能にするための２つの滑車７６５、７６７も備える。ゴム球体である滑車停止部７６８が、ケーブル７８５が運動取付点７６１から退出しないように防止する。ケーブル７８５の他方の端部は、コネクタ７６３において運動取付点７６１に取り付けられる。滑車７５５、７５２、７５１、７５３、７５４、７５６、および７５７は、その２つの端部の間にケーブル７８５を配索する。運動取付点７６１が、滑車７５５と滑車７５７との間で摺動可能に調節されるとき、コネクタ７６３と滑車７６５、７６７との間のケーブル７８５の長さは、変化しない。しかしながら、カラビナ７６２が、引動されるとき、コネクタ７６３と滑車７６５、７６７との間のケーブル７８５の長さは、短縮し、滑車７５１にウェイトスタック７４１の選択された部分を上昇させ、抵抗を運動に提供する。
【０１５２】
図８は、運動取付点８６１を描写する。運動取付点８６１は、装置（図示せず）のフレームの垂直または水平部材に沿って付属品受容ポートに係合するために好適なばね荷重ピンを動作させる、ノブ８６４を有する、ブレース８７１を備える。滑車８６５、８６７は、ケーブル８８５をカラビナ８６２に配索する。滑車停止部８６８は、ケーブル８８５が運動取付点８６１から退出しないように防止する。ケーブル８８５の他方の端部（図示せず）は、装置のフレームを通して配索され、本発明のいくつかの実施形態では、その中のウェイトスタックに選択的に接続される。ヒンジ８７３は、滑車８６５、８６７が、前後に（この場合、ページの平面の中および外に）揺動し、滑車８６５、８６７から離れるようにカラビナ８６２を引動することによって実施される多種多様な運動に適応することを可能にする。例えば、ハンドグリップ、足首ストラップ、胴体ストラップ、頭部ストラップ、バーベル、ダンベル、または同等物、もしくは本明細書に説明されるような多重ベクトル延在デバイス等の任意の好適な運動機器が、カラビナ８６２に取り付けられることができる。時として、望ましい場合、延在ケーブルおよび浮動滑車が、さらなる運動を設計することの最大限の柔軟性のために、カラビナ８６２に取り付けられることができる。
【０１５３】
図９は、運動取付点９６１を描写する。運動取付点９６１は、装置（図示せず）のフレームの垂直または水平部材に沿って付属品受容ポートに係合するために好適なばね荷重ピンを動作させる、ノブ９６４を有する、ブレース９７１を備える。滑車９６５、９６７は、ケーブル９８５をカラビナ９６２に配索する。滑車停止部９６８は、ケーブル９８５が運動取付点９６１から退出しないように防止する。ケーブル９８５の他方の端部（図示せず）は、装置のフレームを通して配索され、本発明のいくつかの実施形態では、その中のウェイトスタックに選択的に接続される。枢動部９７３は、滑車９６５、９６７が、３６０度まで（この場合、ページの平面の中および外に）回転し、滑車９６５、９６７から離れるようにカラビナ９６２を引動することによって実施される多種多様な運動に適応することを可能にする。枢動部９７３における回転は、当然ながらケーブル９８５によって限定される。例えば、ハンドグリップ、足首ストラップ、胴体ストラップ、頭部ストラップ、バーベル、ダンベル、または同等物、もしくは本明細書に説明されるような多重ベクトル延在デバイス等の任意の好適な運動機器が、カラビナ９６２に取り付けられることができる。時として、望ましい場合、延在ケーブルおよび浮動滑車が、さらなる運動を設計することの最大限の柔軟性のために、カラビナ９６２に取り付けられることができる。
【０１５４】
図１０は、浮動滑車１０８１を描写する。浮動滑車１０８１は、ひいては、ばね荷重ピン１０４１を動作させる、ノブ１０４２を収納する、ブレース１０７５を備える。ばね荷重ピン１０４１は、付属品受容ポートに係合することができる。浮動滑車１０８１は、ブレース１０７５と、ノブ１０４２と、装置上の付属品受容ポートに除去可能かつ調節可能に結合するためのばね荷重ピン１０４１とを備える、付属品係合構造を有すると言え得る。また、浮動滑車１０８１は、単一の滑車輪のみを有すると言え得る。浮動滑車１０８１はさらに、カラビナ１０６２を伴う第２の端部で終端する、延在ケーブル１０８４を備える。滑車停止部１０６８は、延在ケーブル１０８４が浮動滑車１０８１から退出しないように防止する。ヒンジ１０７３は、浮動滑車１０８１が前後に（この場合、ページの平面の中および外に）揺動することを可能にする。例えば、ハンドグリップ、足首ストラップ、胴体ストラップ、頭部ストラップ、バーベル、ダンベル、または同等物、もしくは本明細書に説明されるような多重ベクトル延在デバイス等の任意の好適な運動機器が、カラビナ１０６２に取り付けられることができる。時として、望ましい場合、さらなる延在ケーブルおよびさらなる浮動滑車が、さらなる運動を設計することの最大限の柔軟性のために、カラビナ１０６２に取り付けられることができる。
【０１５５】
図１１は、浮動滑車１１８１を描写する。浮動滑車１１８１は、ひいては、ばね荷重ピン１１４１を動作させる、ノブ１１４２を収納する、ブレース１１７５を備える。ばね荷重ピン１１４１は、付属品受容ポートに係合することができる。浮動滑車１１８１は、ブレース１１７５と、ノブ１１４２と、装置上の付属品受容ポートに除去可能かつ調節可能に結合するためのばね荷重ピン１１４１とを備える、付属品係合構造を有すると言え得る。また、浮動滑車１１８１は、単一の滑車輪のみを有すると言え得る。浮動滑車１１８１はさらに、カラビナ１１６２を伴う第２の端部で終端する、延在ケーブル１１８４を備える。滑車停止部１１６８は、延在ケーブル１１８４が浮動滑車１１８１から退出しないように防止する。枢動部１１７３は、浮動滑車１１８１が３６０度まで（この場合、ページの平面の中および外に）回転することを可能にする。例えば、ハンドグリップ、足首ストラップ、胴体ストラップ、頭部ストラップ、バーベル、ダンベル、または同等物、もしくは本明細書に説明されるような多重ベクトル延在デバイス等の任意の好適な運動機器が、カラビナ１１６２に取り付けられることができる。時として、望ましい場合、さらなる延在ケーブルおよびさらなる浮動滑車が、さらなる運動を設計することの最大限の柔軟性のために、カラビナ１１６２に取り付けられることができる。
【０１５６】
図１２は、装置１２００の正面立面図を提供する。複数の垂直部材１２１１、１２１２、１２１３、および１２１４が、複数の水平部材１２２１、１２２２、１２２３、および１２２４を相互に支持する。それらの垂直部材および水平部材はそれぞれ、付属品受容ポートを有し、第１の方向への付属品受容ポートのみが、図１２に示される。運動取付点１２６１は、ノブ１２６４を操作することによって、垂直部材１２２１に沿って摺動可能に調節可能である。浮動滑車１２８１は、ブレース１２７５を備え、水平部材１２２１においてフレームに除去可能かつ調節可能に取り付けられる。ノブ１２４２は、浮動滑車１２８１が水平部材１２２１に沿って移動すること、またはそこから完全に除去されることを可能にするように、操作されることができる。浮動滑車１２８１はさらに、運動取付点１２６１において取り付けられる第１の端部１２８５と、浮動運動取付点を提供する、カラビナ１２６２における第２の端部とを有する、延在ケーブル１２８４を備える。延在ケーブル１２８４はさらに、滑車停止部１２６８、１２６９を備える。図１２は、本発明のある実施形態の多用途性を図示し、フレーム上のいずれかの場所の事実上あらゆる付属品受容ポートが、運動取付点または浮動運動取付点を係留することができる。例えば、浮動滑車１２８１が垂直部材１２１１に近づけられるとき等の延在ケーブル１２８４の任意の緩みが、垂直部材１２１１上に運動取付点１２６１を引き下げて移動させることによって引き締められることができる。同様に、垂直部材１２１１からさらに、浮動滑車１２８１が移動すると、運動取付点１２６１は、運動取付点１２６１と浮動滑車１２８１との間の距離に跨架する延在ケーブル１２８４のより多くの部分を提供するように、垂直部材１２１１上でより高く移動されることができる。装置１２００はさらに、本明細書に説明されるように、とりわけ、ウェイトスタックと、ケーブルとを備えることができる。
【０１５７】
図１３は、延在アーム１３００の右側面立面図を描写する。延在アーム１３００は、ノブ１３４２によって操作される、ばね荷重ピン１３４１を収納する、ブレース１３７５を備える。ともに、ブレース１３７５、ピン１３４１、およびノブ１３４２は、延在アーム１３００が、装置（図示せず）のフレームに除去可能かつ調節可能に取り付けられることを可能にする。延在アーム１３００はさらに、ブレース１３７５から延在し、複数の延在受容ポート１３８７を備える、延在部材１３５１を備える。カラビナ１３６２において終端する延在ケーブル１３８４を備える、浮動滑車１３８１は、別のばね荷重ピン（図示せず）を動作させる、ノブ１３８２を操作することによって、延在アーム１３５１に除去可能に取り付けられる。カラビナ１３６２は、本実施形態では、浮動運動取付点および延在運動取付点の両方を表すと言え得る。
【０１５８】
図１４は、装置１４００の斜視図を提供する。装置１４００は、バーベル１４３１を用いた少なくとも１つの運動の実施のために、少なくとも１つのバーベル１４３１を受容するためのパワーラックを図示する。垂直部材１４１３、１４１４、１４１５、および１４１６（ならびにその他）は、水平部材１４２３、１４２５、１４３３、および１４３５（ならびにその他）を相互に支持し、装置１４００のためのフレームを形成する。装置１４００の各垂直部材および各水平部材は、実質的に各部材の全長に沿って付属品受容ポート（標識されていない）を伴って描写される。ラック付属品１４５１、１４５２は、それぞれ、垂直部材１４１４および１４１６に除去可能に取り付けられ、バーベル１４３１を保持する。ロッド１４６１が、バーベル１４３１を用いて運動する運動者を保護するように、垂直部材１４１３と１４１４との間に位置付けられ、同様に、ロッド１４６２が、同一の目的のために、垂直部材１４１５と１４１６との間に位置付けられる。装置１４００はさらに、本明細書に説明されるように、とりわけ、ウェイトスタックと、ケーブルと、運動取付点と、浮動滑車とを備えることができる。
【０１５９】
図１５は、フレーム部材１５６１、１５６２を備える、スミスマシン１５００の斜視図を提供する。垂直部材１５１４および１５１６は、水平部材１５２１、１５２２、および１５２３を相互に支持する。部材１５１４、１５１６、１５２１、５０２２、および１５２３のうちのいずれかは、本明細書に説明されるような装置のフレームの部材を表すことができる、またはそれらは、そのような装置のフレームに取り付けられ得る、明確に異なるデバイスを表すことができる。ここでは、スミスマシン１５００が、本明細書に説明されるような装置を用いた多用途性および相互運用性を最大限にするように、多数の付属品受容ポートを伴って描写される。例えば、水平部材１５２１、１５２２、および１５２３のうちのいずれかは、１つ以上の浮動滑車を受容し、バーベル１５３１によって提供される抵抗を増強することができる。スミスマシン１５００は、本明細書に説明されるように、とりわけ、ウェイトスタックと、ケーブルと、運動取付点と、浮動滑車とをさらに備える、装置の一部であり得る。
【０１６０】
図１６は、フリーウェイト１６６５を伴うウェイトスタック１６４１の斜視図を提供する。他の実施形態に関して前述で図示されたように、ケーブル１６８５は、運動が実施されるときに、滑車１６５１を持ち上げるように動作することができる。この場合の滑車１６５１は、ウェイトスタック１６４１に係合する、ロッド１６３１に接続される。ロッド１６３１は、それぞれ、ウェイトスタック１６４１のウェイトプレート１６２１、１６２２、１６２３、１６２４、１６２５、１６２６、および１６２７内の孔１６７１、１６７２、１６７３、１６７４、１６７５、１６７６、および１６７７と整合される一連の孔（見えない）を有する。ウェイト選択キー１６１５が、ケーブル１６８５が、滑車１６５１、それによって、ロッド１６３１を持ち上げるときに、ウェイトプレート１６２１、１６２２、および１６２３もまた、持ち上げられるであろうように、運動者によって所望の孔１６７３の中に設置される。これは、ケーブル１６８５を介してウェイトスタック１６４１を１つ以上の運動取付点（図示せず）に選択的に接続する１つの方法を図示する。ここでは、デバイス１６６０は、フリーウェイトプレート１６６５の追加を可能にする。デバイス１６６０は、ロッド１６３１にわたって嵌合し、滑車保護カラー１６６３を備える、中空シャフト１６６１を備える。中空シャフト１６６１はさらに、フリーウェイト１６６５が追加された、ロッド１６６２を備える。ロッド１６６２は、フリーウェイト取付点を表す。このように、増分のさらなる多用途性およびウェイトスタック１６４１によって提供されるウェイトの量が、取得されることができる。
【０１６１】
図１７は、弾性バンド１７６６を伴うウェイトスタック１７４１の斜視図を提供する。他の実施形態に関して前述で図示されたように、ケーブル１７８５は、運動が実施されるときに、滑車１７５１を持ち上げるように動作することができる。この場合の滑車１７５１は、ウェイトスタック１７４１に係合する、ロッド１７３１に接続される。ここでは、デバイス１７６０は、フリーウェイトプレート１７６５および弾性バンド１７６６の追加を可能にする。デバイス１７６０は、ロッド１７３１にわたって嵌合し、滑車保護カラー１７６３を備える、中空シャフト１７６１を備える。シャフト１７６１はさらに、フリーウェイト１７６５が追加された、ロッド１７６２を備える。加えて、弾性バンド１７６６が、ロッド１７６２に追加された。弾性バンドアンカ１７７２もまた、ケーブル１７８５が、滑車１７５１、それによって、ロッド１７３１を持ち上げるときに、抵抗が、ウェイトスタック１７４１、フリーウェイト１７６５、および弾性バンド１７６６によって提供されるように、弾性バンド１７６６に係合する。ロッド１７６２は、フリーウェイト取付点および弾性バンド取付点の両方を提供する。弾性バンドアンカ１７７２は、弾性バンド取付点を提供する。このように、増分のさらなる多用途性、ウェイトの量、およびウェイトスタック１７４１によって提供される抵抗の性質が、取得されることができる。
【０１６２】
図１８は、運動ベンチ１８００の斜視図を提供する。運動ベンチ１８００は、シートクッション１８３１を支持するベンチフレームの一部をともに構成する、垂直部材１８２１を相互に支持する水平部材１８１１を備える。背部クッション１８３２が、部材１８１２においてフレームによってさらに支持され、傾斜角を採用することが可能である。運動ベンチ１８００は、多数のベンチ付属品受容ポート１８８７と、複数の傾斜角選択スロット１８４２とを備える。背部クッションブレース１８４１は、選定された傾斜角選択スロット１８４２に係合し、水平に対して背部クッション１８３２のための選定された傾斜角を確立する。ブレースガード１８４５は、背部クッションブレース１８４１が傾斜角選択スロット１８４２から逃散しないように防止する。ともに、背部クッションブレース１８４１、複数の傾斜角選択スロット１８４２、およびブレースガード１８４５は、傾斜角選択デバイスを構成すると言え得る。
【０１６３】
ここでは、運動ベンチ１８００は、浮動滑車１８８１および１８８２を伴って示される。浮動滑車１８８１は、延在ケーブル１８８３がカラビナ１８９１においてハンドグリップに取り付けられることを可能にする。延在ケーブル１８８３の他方の端部（図示せず）は、装置上の運動取付点（図示せず）に接続することができる。浮動滑車１８８２は、延在ケーブル１８８４がカラビナ１８９２においてハンドグリップに取り付けられることを可能にする。延在ケーブル１８８４の他方の端部（図示せず）は、装置上の運動取付点（図示せず）に接続することができる。カラビナ１８９１および１８９２は、ベンチ運動取付点を提供すると言え得る。
【０１６４】
図１９、２０、および２１は、ドア１９０１、１９０２を有する、装置１９００を描写する。図１９では、ドア１９０１、１９０２は、閉鎖され、パネル１９０７、１９０８は、装置１９００を掩蔽または覆隠する。図２０では、ドア１９０１、１９０２は、開放している。装置１９００は、（とりわけ）水平部材１９２１を相互に支持する、垂直部材１９１１、１９１２、１９１３、および１９１４を備える。各垂直部材および各水平部材は、実質的に全長に沿って付属品受容ポートを有する。ケーブル（図示せず）が、ウェイトスタック１９４１を運動取付点１９６１に選択的に接続する。別のケーブル（図示せず）が、ウェイトスタック１９４２を運動取付点１９６２に選択的に接続する。浮動滑車１９８１が、垂直部材１９１３に除去可能かつ調節可能に取り付けられる。浮動滑車１９８２が、垂直部材１９１４に除去可能かつ調節可能に取り付けられる。装置１９００のフレームはさらに、少なくともドアブレース２０３１によって垂直部材１９１１上に枢動可能に搭載される、ドア１９０１と、少なくともドアブレース２０３２およびヒンジ２０５２によって垂直部材１９１２上に枢動可能に搭載される、ドア１９０２とを備える。
【０１６５】
ドア１９０１は、ドア水平部材２０２１、２０２２、２０２３、および２０２４を相互に支持する、ドア垂直部材２０１１および２０１２を備える。ドア垂直部材２０１１、２０１２は、第４の方向に軸を有する、第１のドア垂直付属品受容ポート（例えば、２０８１）と、第５の方向に第２のドア垂直付属品受容ポート（図示せず）とを備える。ドア水平部材２０２１、２０２２、２０２３、および２０２４は、第４の方向に軸を有する、第１のドア水平付属品受容ポート（例えば、２０８２）と、第６の方向に軸を有する、第２のドア水平付属品受容ポート（図示せず）とを有する。パネル１９０７が、ドア１９０１に搭載される。
【０１６６】
ドア１９０２は、ドア水平部材２０２５、２０２６、２０２７、および２０８を相互に支持する、ドア垂直部材２０１３および２０１４を備える。ドア垂直部材２０１３、２０１４は、第４の方向に軸を有する、第１のドア垂直付属品受容ポート（例えば、２０８３）と、第５の方向に第２のドア垂直付属品受容ポート（図示せず）とを備える。ドア水平部材２０２５、２０２６、２０２７、および２０２８は、第４の方向に軸を有する、第１のドア水平付属品受容ポート（例えば、２０８４）と、第６の方向に軸を有する、第２のドア水平付属品受容ポート（図示せず）とを有する。パネル１９０８が、ドア１９０２に搭載される。
【０１６７】
ドアブレース２０３２は、一方の端部上で、ピン２０６５をドア水平部材２０２８内に係合させることによって動作し、他方の端部上で、ばね荷重ピン２０４３は、ノブ２０４２を用いて動作される。このように、ドア１９０２は、単に、ノブ２０４２を引動し、ドア１９０２を回転させ、その後に続いて、ドア１９０２が望ましい位置に到達したときにノブ２０４２を解放し、ピン２０４３が水平部材１９２１に沿って付属品受容ポートに係合することを可能にすることによって、いくつかの所望の位置において固着されることができる。ドア１９０１、１９０２は、著しい付加的多用途性を提供することができ、ドア１９０２は、例えば、その付属品受容ポートのうちのいずれかの中で浮動滑車１９８２、さらには、浮動滑車１９８１を受容することができる。加えて、ドア１９０１、１９０２は、スミスマシン１５００、ラック付属品１４５１、１４５２、懸垂バーアタッチメント、ディップスバーアタッチメント、または同等物等の付加的付属品を受容することができる。実際に、運動付属品の任意の物質が、装置１９００上のいずれかの場所に見出される付属品受容ポートのうちのいずれかに係合し、いずれか一方もしくは両方のウェイトスタック１９４１、１９４２、フリーウェイト、弾性バンド、運動者自身の身体の体重、またはそれらの組み合わせによって提供される抵抗に対する運動を可能にすることができる。
【０１６８】
図２２は、リベット２２３１を介してパネル２２０８を垂直部材２２１４に搭載する、中空頭ボルト２２２０を描写する。中空頭ボルト２２２０は、ねじ山付きシャフト２２２１と、頭部２２２２とを備える。頭部２２２２内の軸方向陥凹２２２３はさらに、リベット２２３１上に対応する環状構造２２３２を受容および保定するように適合される、環帯２２２４を備える。ナット２２２５が、中空頭ボルトを垂直部材２２１４に固着させる。ナット２２２５および中空頭ボルト２２２０は、例えば、鋼鉄等の任意の好適な材料から作製されることができる。リベット２２３１は、例えば、高密度ポリエチレン等の構造ポリマー、またはアルミニウムもしくは鋼鉄等の金属もしくは金属合金等の任意の好適な材料から作製されることができる。
【０１６９】
図２３および２４は、ディップスバー２３５０を備える、装置２３００を描写する。装置２３００は、装置２３００のフレームのドアの一部であり得る、水平部材２３２１、２３２４を相互に支持する、垂直部材２３１４、２３１６を備える。ディップスバー２３５０は、アーム支持体２３４１、２３４２を備え、それぞれ、ヒンジ２３５１および２３５２において垂直部材２３１４、２３１６に取り付けられる。背部パッド２３６１は、運動者が、ディップスバー２３５０を使用し、装置２３００から外方を向きながら、例えば、脚伸展運動を実施することを可能にする。図２３は、格納位置でディップスバー２３５０を示し、図２４は、展開され、運動の準備ができているディップスバー２３５０を示す。装置２３００はさらに、本明細書に説明されるように、とりわけ、ウェイトスタックと、ケーブルと、運動取付点と、浮動滑車とを備えることができる。
【０１７０】
図２５は、角度セレクタ２５３１を備える、装置２５００を描写する。装置２５００は、水平部材２５２１を相互に支持する、垂直部材２５１１、２５１２を備える。角度セレクタ２５３１が、水平部材２５２１上に搭載され、キー２５３２を使用して受容器２５３３のための角度を選択し、固着させ得る、複数の孔２５４１を備える。受容器２５３３は、例えば、多用途運動装置の浮動滑車または縦部材等の任意の好適なデバイスを受容するように適合される。装置２５００はさらに、本明細書に説明されるように、とりわけ、ウェイトスタックと、ケーブルと、運動取付点と、浮動滑車とを備えることができる。
【０１７１】
図２６および２７は、多用途運動装置２６０１を備える、装置２６００を描写する。装置２６００は、装置２６００のフレームのドアの一部であり得る、水平部材２６２１を相互に支持する、垂直部材２６１１、２６１２を備える。多用途運動装置２６０１は、縦部材２６７１を支持する、角度セレクタ２６３１を備え、縦部材２６７１は、角度セレクタ２６３１の近位にある対向する足首ブレース２６５１、２６５２を係留し、角度セレクタ２６３１から遠位にある多用途パッド２６６１をさらに支持する。角度セレクタ２６３１は、キー２６３２を使用して多用途運動装置２６０１のための角度を選択し、固着させ得る、複数の孔２６４１を備える。多用途パッド２６６１は、任意の好適な角度を採用することができ、これらの図では、足首ブレース２６５１、２６５２に係合し、装置２６００から外方を向きながらクランチ、または装置から外方を向きながら背部伸展を実施するであろう、運動者を受容するように、略水平位置に示される。代替として、多用途パッド２６６１は、例えば、二頭筋カール運動を支援するように、水平と異なる角度で固着されることができる。使用時ではないときに、多用途運動装置２６０１は、縦部材２６７１が、例えば、垂直部材２６１１と略平行であるように、格納されることができる、または縦部材２６７１は、角度セレクタ２６３１から除去され、装置２６００内の別の便宜的な場所等の他の場所に格納されることができる。装置２６００は、本明細書に説明されるように、とりわけ、ウェイトスタックと、ケーブルと、運動取付点と、浮動滑車とを備えることができる。
【０１７２】
図２８は、腹筋運動ボード２８０１を備える、装置２８００を描写する。装置２８００は、水平部材２８２１、２８２２、２８２３を相互に支持する、垂直部材２８１１、２８１２、２８１３、２８１４を備える。随意に、垂直部材２８１１、２８１２、２８１３、２８１４、および水平部材２８２１、２８２２、ならびに２８２３は、装置２８００のフレームのドアを形成し得る。腹筋運動ボード２８０１は、足ブレース２８５１、２８５２を搭載する、パッド付きボード２８６１と、それぞれ、垂直部材２８１３、２８１４の付属品受容ポート２８７５、２８７６に係合する、ピン２８３１、２８３２とを備える。ピン２８３１、２８３２は、それぞれ、腹筋運動ボード２８０１の傾斜角選択を促進するためのヒンジ２８４１、２８４２を備える。腹筋運動ボード２８０１は、腹筋運動以外の種々の運動を可能にすることができる。例えば、垂直部材２８１１、２８１２、２８１３、および２８１４、ならびに水平部材２８２１、２８２２、および２８２３のうちのいずれかに除去可能かつ調節可能に取り付けられる浮動滑車は、腹筋運動ボード２８０１上に横たわる運動者が、装置２８００のウェイトスタックに係合し、クランチの動きを実行しながら、またはクランチ姿勢を保持しながら、抵抗に対して種々の運動を実施することを可能にすることができる。例えば、全て、運動者が対向する肘を足の膝に触れさせ、ウェイトを引動している間に、一方の足が、足ブレース２８５１、２８５２のうちの１つに係合することができる一方で、他方の足は、浮動滑車および足首ストラップ（図示せず）を介してウェイトスタックからウェイトを引動することができる。装置２８００は、本明細書に説明されるように、とりわけ、ウェイトスタックと、ケーブルと、運動取付点と、浮動滑車とを備えることができる。
【０１７３】
図２９は、フラットスクリーンテレビ２９０１を備える、装置２９００を描写する。装置２９００は、本明細書に説明されるように、とりわけ、ウェイトスタックと、ケーブルと、運動取付点と、浮動滑車とを備えることができる。
【０１７４】
図３０は、装置３０００の斜視図を提供する。装置３０００は、バーベル３０３１を用いた少なくとも１つの運動の実施のために、少なくとも１つのバーベル３０３１を受容するためのパワーラックを図示する。垂直部材３０１３、３０１４、３０１５、および３０１６（ならびにその他）は、水平部材３０２１、３０２２、３０２３、３０２４、３０２５、３０３３、３０３５、３０３６、および３０３７（ならびにその他）を相互に支持し、装置３０００のためのフレームを形成する。装置３０００の各垂直部材および各水平部材は、実質的に各部材の全長に沿って付属品受容ポート（標識されていない）を伴って描写される。ラック付属品３０５１、３０５２は、それぞれ、垂直部材３０１４および３０１６に除去可能に取り付けられ、バーベル３０３１を保持する。ロッド３０６１が、バーベル３０３１を用いて運動する運動者を保護するように、垂直部材３０１３と３０１４との間に位置付けられ、同様に、ロッド３０６２が、同一の目的のために、垂直部材３０１５と３０１６との間に位置付けられる。ベンチ３０８１が、バーベル３０３１を使用する運動を支援する、１つの可能性として考えられる位置に出現する。装置３０００はさらに、本明細書に説明されるように、とりわけ、ウェイトスタックと、ケーブルと、運動取付点と、浮動滑車とを備えることができる。
【０１７５】
図３１は、延在アーム３１００の右側面立面図を描写する。延在アーム３１００は、図３１では、装置３１０１の水平部材３１２１、垂直部材３１２２、および対角部材３１２３にボルト留めされているように見える、角度選択ブラケット３１４１を備える。角度選択ブラケット３１４１はさらに、複数の角度選択ポート３１４５を備える。角度選択ブラケット３１４１は、延在アーム３１００を装置３１０１に取り付ける。ノブ３１４２は、複数の延在角のうちのいずれか１つにおいて延在部材３１５１を固着させる、ばね荷重ピン（図示せず）を動作させる。垂直部材３１２２と延在部材３１５１との間に画定される各延在角は、いくつかの角度選択ポート３１４５に対してノブ３１４２を操作することによって選択されることができる。角度選択ブラケット３１４１から延在する延在部材３１５１は、複数の延在受容ポート３１８７を備える。カラビナ３１６２において終端する延在ケーブル３１８４を備える、浮動滑車３１８１は、別のばね荷重ピン（図示せず）を動作させる、ノブ３１８２を操作することによって、延在アーム３１５１に除去可能かつ調節可能に取り付けられる。カラビナ１３６２は、本実施形態では、浮動運動取付点および延在運動取付点の両方を表すと言え得る。
【０１７６】
図３２は、浮動滑車３２００を描写する。浮動滑車３２００は、２つの滑車輪３２８１、３２８２を備える。浮動滑車３２００はさらに、ひいては、ばね荷重ピン３２４１を動作させる、ノブ３２４２を収納する、ブレース３２７５を備える。ばね荷重ピン３２４１は、付属品受容ポートに係合することができる。浮動滑車３２００は、ブレース３２７５と、ノブ３２４２と、装置上の付属品受容ポートに除去可能かつ調節可能に結合するためのばね荷重ピン３２４１とを備える、付属品係合構造を有すると言え得る。浮動滑車３２００はさらに、滑車輪３２８１、３２８２の間を通過し、カラビナ３２６２を伴う第２の端部で終端する、延在ケーブル３２８４を備える。滑車停止部３２６８は、延在ケーブル３２８４が浮動滑車３２００から退出しないように防止する。ヒンジ３２７３は、浮動滑車３２８１、３２８２が前後に（この場合、ページの平面の中および外に）揺動することを可能にする。例えば、ハンドグリップ、足首ストラップ、胴体ストラップ、頭部ストラップ、バーベル、ダンベル、または同等物、もしくは本明細書に説明されるような多重ベクトル延在デバイス等の任意の好適な運動機器が、カラビナ３２６２に取り付けられることができる。時として、望ましい場合、さらなる延在ケーブルおよびさらなる浮動滑車が、さらなる運動を設計することの最大限の柔軟性のために、カラビナ３２６２に取り付けられることができる。
【０１７７】
図３３は、浮動滑車３３００を描写する。浮動滑車３３００は、２つの滑車輪３３８１、３３８２を備える。浮動滑車３３００はさらに、ひいては、ばね荷重ピン３３４１を動作させる、ノブ３３４２を収納する、ブレース３３７５を備える。ばね荷重ピン３３４１は、付属品受容ポートに係合することができる。浮動滑車３３００は、ブレース３３７５と、ノブ３３４２と、装置上の付属品受容ポートに除去可能かつ調節可能に結合するためのばね荷重ピン３３４１とを備える、付属品係合構造を有すると言え得る。浮動滑車３３００はさらに、滑車輪３３８１、３３８２の間を通過し、カラビナ３３６２を伴う第２の端部で終端する、延在ケーブル３３８４を備える。滑車停止部３３６８は、延在ケーブル３３８４が浮動滑車３３００から退出しないように防止する。枢動部３３７３は、浮動滑車輪３３８１、３３８２が３６０度まで（この場合、ページの平面の中および外に）回転することを可能にする。例えば、ハンドグリップ、足首ストラップ、胴体ストラップ、頭部ストラップ、バーベル、ダンベル、または同等物、もしくは本明細書に説明されるような多重ベクトル延在デバイス等の任意の好適な運動機器が、カラビナ３３６２に取り付けられることができる。時として、望ましい場合、さらなる延在ケーブルおよびさらなる浮動滑車が、さらなる運動を設計することの最大限の柔軟性のために、カラビナ３３６２に取り付けられることができる。
【０１７８】
図３４は、腹筋運動ボード３４０１を備える、装置３４００を描写する。装置３４００は、水平部材３４２３を相互に支持する、垂直部材３４２１および３４２２を備える。随意に、垂直部材３４２１、３４２２、および水平部材３４２３は、装置３４００のフレームのドアを形成し得る。腹筋運動ボード３４０１は、足ブレース３４５１、３４５２を搭載する、パッド付きボード３４６１と、ハンドグリップ３４５３、３４５４と、それぞれ、垂直部材３４２１、３４２２の付属品受容ポートに係合する、ピン（見えない）とを備える。腹筋運動ボード３４０１はさらに、パッド付きボード３４６１を支持する、縦部材３４７１および側方部材３４７２を備える。縦部材３４７１は、複数の腹筋運動ボード付属品受容ポート３４７５を備える。側方部材３４７２は、複数の腹筋運動ボード付属品受容ポート３４７６を備える。腹筋運動ボード３４０１はさらに、腹筋運動ボード３４０１を安定させるためのフッタ３４８１、３４８２を備える。腹筋運動ボード３４０１は、腹筋運動以外の種々の運動を可能にすることができる。例えば、それぞれ、腹筋運動ボード付属品受容ポート３４７５、３４７６を介して、縦部材３４７１および側方部材３４７２のうちのいずれかに除去可能かつ調節可能に取り付けられる浮動滑車は、腹筋運動ボード３４０１上に横たわる運動者が、装置３４００のウェイトスタックに係合し、クランチの動きを実行しながら、またはクランチ姿勢を保持しながら、抵抗に対して種々の運動を実施することを可能にすることができる。例えば、全て、運動者が腹筋運動またはクランチ運動を実施している間に、足が、足ブレース３４５１、３４５２に係合することができる一方で、片手または両手は、浮動滑車および足首ストラップ（図示せず）を介してウェイトスタックからウェイトを引動することができる。装置３４００は、本明細書に説明されるように、とりわけ、ウェイトスタックと、ケーブルと、運動取付点と、浮動滑車とを備えることができる。
【０１７９】
図３５は、滑動延在デバイス３５０１の右側面立面図を提供する。滑動延在デバイス３５０１は、ガイドロッド３５２３に滑動して係合する、ローラ３５３２、３５３３、３５３６、３５３７を収納する、ローラキャリッジ３５３１を備える。滑動延在デバイス３５０１の延在フレーム３５５１は、その近位端におけるローラキャリッジ３５３１から、片手グリップである運動係合デバイス３５６１と、ブレーキレバー３５６２とを有する、遠位端まで延在する。延在フレーム３５５１はさらに、浮動滑車（図示せず）の展開を伴って１つ以上の延在運動取付点を提供するための複数の延在受容ポート３５７１を備える。ローラキャリッジ３５３１はさらに、例えば、運動取付点または浮動運動取付点からカラビナを受容するために好適なアイボルトである、運動取付点受容器３５８１を備える。ローラキャリッジ３５３１はさらに、弾性バンド（図示せず）を受容するためのＪ−フックである、弾性バンド受容器３５８２を備える。そのような弾性バンドはさらに、水平部材３５２２に取り付けられる弾性バンドアンカ３５８３に係合することができる。ガイドロッド３５２３は、装置３５００の水平部材３５２１、３５２２によって支持される。随意に、ガイドロッド３５２３と平行な垂直部材が、例えば、ブレーキ機構のための係留点を提供することによって、滑動延在デバイス３５０１の使用を支援または補助することができる。滑動延在デバイス３５０１では、ブレーキレバー３５６２は、ローラキャリッジにおけるブレーキクランプ（図示せず）を解放し、滑動延在デバイス３５０１が移動することを可能にする。一般に、ブレーキクランプは、ローラ、１つを上回るローラ、ガイドロッド、またはそれらの組み合わせの移動を拘束することができる。加えて、ブレーキ機構は、ばね荷重ピンを、随意に、ガイドロッドに沿って、一連のスロットのうちの１つ、またはガイドロッド３５２３と平行に延設される装置３５００のフレームの部材に沿って、一連の付属品受容ポートのうちの１つの中に挿入することができる。いくつかの可能性として考えられるブレーキ機構は、それを使用する運動者の安全性および便宜性のために、滑動延在デバイス３５０１を固定化するように設計されることができる。
【０１８０】
図３６は、多重ベクトル延在デバイス３６００の斜視図を提供する。多重ベクトル延在デバイス３６００は、デバイス３６００を装置のフレーム（図示せず）に除去可能かつ調節可能に取り付けるためのブレース３６７５を備える。ブレース３６７５は、ばね荷重ピン３６４１を操作する、ノブ３６４２を備える。多重ベクトル延在アーム３６５１は、複数の付属品受容ポート３６８７を備え、玉継手３６３１を介してブレース３６７５に取り付けられる。玉継手３６３１は、ブレース３６７５に対して多重ベクトル延在アーム３６５１の有意な移動の自由度を可能にする。玉継手３６３１は、任意の好適な材料から作製されることができる。例えば、多重ベクトル延在アームは、球形ポリテトラフルオロエチレンまたはＴｅｆｌｏｎＴＭボールによって囲繞される鋼心を伴う玉継手３６３１で終端することができる。代替として、玉継手３６３１は、例えば、高分子量アルカンまたはシリコーングリースから選定される、好適なグリースで潤滑された鋼鉄から成ることができる。運動係合デバイスである、片手グリップ３６２１が、付属品受容ポート（見えない）を介して多重ベクトル延在アーム３６５１に取り付けられる。弾性バンド（図示せず）を受容するためのＪ−フック３６６１は、運動取付点受容器であり、付属品受容ポート３６８７を介して多重ベクトル延在アーム３６５１に取り付けられる。最終的に装置のウェイトスタック（図示せず）に選択的に接続する、カラビナを受容するためのアイボルト３６６２は、付属品受容ポート３６８７を介して多重ベクトル延在アーム３６５１に取り付けられる運動取付点受容器である。
【０１８１】
多重ベクトル運動を例証するために、図３６は、運動取付点受容器（Ｊ−フック）３６６１に取り付けられる弾性バンドの抵抗の方向を描写する、第１のベクトル３６９１を示す。第２のベクトル３６９２は、運動取付点または浮動運動取付点（図示せず）を通して、カラビナを介して接続されるウェイトスタックによって提供される、抵抗の方向を描写する。運動方向３６９５は、所望の運動の上下の動きを描写する。運動者は、本実施例では、片手グリップ３６２１を把持し、Ｊ−フック３６６１において弾性バンドによって提供される抵抗に対して引き下ろすであろう。しかしながら、アイボルト３６６２においてウェイトスタックによって提供される抵抗は、ベクトル３６９２に沿って抵抗に対して多重ベクトル延在デバイス３６００を安定させるために、運動者に付加的努力を強制的に使用させるであろう。本付加的努力は、唯一の抵抗がベクトル３６９１に沿って弾性バンドによって提供された場合には可能ではない様式で、運動者が、肩、肘、および手関節を強化することに役立ち得る。任意の数の抵抗が、印加されることができ、運動者は、想像のみによって限定される。当然ながら、対向する抵抗が、相互を打ち消すであろうが、ベクトルの相対配向が、おそらく、運動の動きが継続するにつれて変化するであろうことに留意されたい。換言すると、ベクトル３６９１、３６９２の相対配向（弾性バンドの場合は規模）は、片手グリップ３６２１が運動の動き３６９５を通して移動されるにつれて変化するであろう。
【０１８２】
図３７は、アイボルト３６６２を描写する。アイボルト３６６２は、付属品受容ポート（図示せず）の中に挿入されるシャフト３７２１に係留される、リング３７３１を備える。付属品受容ポート内にシャフト３７２１を固着させるために、シャフト３７２１は、レバー３７２４によってアクティブ化される（シャフト３７２１の中に引き込まれる）、ばね荷重ピン３７２２を備える。カラー３７２３は、運動の間の付属品受容ポートによる不慮の係合からレバー３７２４を保護する。
【０１８３】
図３８は、ハンドグリップ３６２１を描写する。ハンドグリップ３６２１は、付属品受容ポート（図示せず）の中に挿入されるシャフト３８２１に係留される、フォームグリップ部分３８４１を備える。付属品受容ポート内にシャフト３８２１を固着させるために、シャフト３８２１は、レバー３８２４によってアクティブ化される（シャフト３８２１の中に引き込まれる）、ばね荷重ピン３８２２を備える。カラー３８２３は、運動の間の付属品受容ポートによる不慮の係合からレバー３８２４を保護する。
【０１８４】
図３９および４４は、支持円錐３９８１をさらに備える、多重ベクトル延在デバイス３９００の右側面図を提供する。多重ベクトル延在デバイス３９００は、デバイス３９００を装置のフレーム（図示せず）に除去可能かつ調節可能に取り付けるためのブレース３９７５を備える。ブレース３９７５は、ばね荷重ピン３９４１を操作する、ノブ３９４２を備える。多重ベクトル延在アーム３９５１は、複数の付属品受容ポート３９８７を備え、玉継手（見えない）を介してブレース３９７５に取り付けられる。運動係合デバイスである、片手グリップ３９２１が、付属品受容ポート（見えない）を介して多重ベクトル延在アーム３９５１に取り付けられる。弾性バンド（図示せず）を受容するためのＪ−フック３９６１は、運動取付点受容器であり、付属品受容ポート３９８７を介して多重ベクトル延在アーム３９５１に取り付けられる。最終的に装置のウェイトスタック（図示せず）に選択的に接続する、カラビナを受容するためのアイボルト３９６２は、付属品受容ポート３９８７を介して多重ベクトル延在アーム３９５１に取り付けられる運動取付点受容器である。支持円錐３９８１は、多重ベクトル延在アーム３９５１による接触からフレーム（図示せず）を保護するように、玉継手（見えない）を中心として位置付けられる。多重ベクトル延在デバイス３９００を動作させることは、図３６に示されるような多重ベクトル延在デバイス３６００の動作に類似する。
【０１８５】
図４０は、多重ベクトル延在デバイス３９００の支持円錐３９８１が、多重ベクトル延在アーム３９５１による接触からフレーム部材４０１２を保護する様子を実証する、部分斜視図を提供する。多重ベクトル延在アーム３９５１をブレース３９７５（図３９で見られる）に継合する玉継手３９３１が、図４０に出現する。多重ベクトル延在デバイスが、フレーム部材４０１２に取り付けられるとき、支持円錐３９８１は、多重ベクトル延在アーム３９５１がフレーム４０１２に接触しないようにするために、玉継手３９３１を中心として位置付けられる。
【０１８６】
図４１は、多重ベクトル延在支持体４１００の右側面図を示し、図４２は、正面図を示す。多重ベクトル延在支持体４１００は、抵抗に対して運動するための装置のフレーム部材４１１２に除去可能かつ調節可能に取り付けるためのブレース４１７５を備える。ブレース４１７５は、フレーム部材４１１２に係合するためのノブ４１４２によって操作される、ばね荷重ピンを備える。多重ベクトル延在支持体４１００はまた、フレーム部材４１１２を受容し、多重ベクトル延在デバイス（図示せず）による接触から保護するためにブレース４１７５に取り付けられる、弾力性支持体４１８２も備える。弾力性支持体４１８２は、多重ベクトル延在デバイスを受容するための陥凹４１２５を画定する。
【０１８７】
図４３は、多重ベクトル延在支持体４１００を伴う動作時の多重ベクトル延在デバイス３６００の右側面図を示す。多重ベクトル延在アーム３６５１は、多重ベクトル延在支持体４１００の弾力性支持体４１８２によって画定される陥凹４１２５の中に嵌合する。また、図４３で見られるように、弾性バンド４１６６は、多重ベクトル延在デバイス３６００のＪ−フック３６６１に係合する。カラビナ４１８４は、ケーブル４１８５およびウェイトスタック（図示せず）をアイボルト３６６２に接続する。弾性バンド４１６６およびケーブル４１８５は、異なる抵抗のベクトルを多重ベクトル延在アーム３６５１に印加する（図３６のベクトル３６９１および３６９２参照）。多重ベクトル延在支持体４１００は、セットの間に多重ベクトル延在デバイス３６００を位置付けることに役立ち、多重ベクトル延在アーム３６５１とフレーム部材４１１２との間の接触を防止することができる。
【０１８８】
図４５および４６は、多重ベクトル延在デバイス４５００の右側面図を提供する。多重ベクトル延在デバイス４５００は、デバイス４５００を装置のフレーム（図示せず）に除去可能かつ調節可能に取り付けるためのブレース４５７５を備える。ブレース４５７５は、ばね荷重ピン４５４１を操作する、ノブ４５４２を備える。多重ベクトル延在アーム４５５１は、複数の付属品受容ポート４５８７を備え、玉継手（見えない）を介してブレース４５７５に取り付けられる。多重ベクトル延在アーム４５５１は、第１の伸縮部材４５６７と、第２の伸縮部材４５６８と、第３の伸縮部材４５６９とを備える。第２の伸縮部材４５６８および第３の伸縮部材４５６９は、ばね荷重ピン４５７８および４５７９を用いて多重ベクトル延在アーム４５５１に選択的に固着される。第２の伸縮部材４５６８は、第１の伸縮部材４５６７の内側寸法よりも小さい外側寸法を有し、第２の伸縮部材４５６８が第１の伸縮部材４５６７の内側で摺動することを可能にする。ばね荷重ピン４５７８は、第１の伸縮部材４５６７に対して選定された位置または長さにおいて第２の伸縮部材４５６８を選択的に固着させる。同様に、第３の伸縮部材４５６９は、第２の伸縮部材４５６８の内側寸法よりも小さい外側寸法を有し、第３の伸縮部材４５６９が第２の伸縮部材４５６８の内側で摺動することを可能にする。ばね荷重ピン４５７９は、第２の伸縮部材４５６８に対して選定された位置または長さにおいて第３の伸縮部材４５６９を選択的に固着させる。第１の伸縮部材４５６７、第２の伸縮部材４５６８、および第３の伸縮部材４５６９は、入れ子式であると言え得る。
【０１８９】
運動係合デバイスである、片手グリップ４５２１が、第３の伸縮部材４５６９上の付属品受容ポート（見えない）を介して多重ベクトル延在アーム４５５１に取り付けられる。弾性バンド（図示せず）を受容するためのＪ−フック４５６１は、運動取付点受容器であり、第３の伸縮部材４５６９上の伸縮部材付属品受容ポート４５８８とも称され得る付属品受容ポート４５８７を介して、多重ベクトル延在アーム４５５１に取り付けられる。最終的に装置のウェイトスタック（図示せず）に選択的に接続する、カラビナを受容するためのアイボルト４５６２は、第２の伸縮部材４５６８上の伸縮部材付属品受容ポート４５８８とも称され得る付属品受容ポート４５８７を介して、多重ベクトル延在アーム４５５１に取り付けられる運動取付点受容器である。支持円錐４５８１は、多重ベクトル延在アーム４５５１による接触からフレーム（図示せず）を保護するように、玉継手（見えない）を中心として位置付けられる。多重ベクトル延在デバイス４５００を動作させることは、伸縮部材４５６８および４５６９によって可能にされるようなデバイスを延長するという追加利点を伴って、図３６に示されるような多重ベクトル延在デバイス３６００の動作に類似する。
【０１９０】
図４７は、移動式部材４７００の正面図を示し、図４８は、斜視図を示す。図４９は、フレーム部材４９１１と４９１２との間で係合される移動式部材４７００を示す。移動式部材４７００は、第２の端部４７１２の反対側に第１の端部４７１１を有する、伸長区分４７１０を備える。第１の端部４７１１は、移動式部材４７００をフレーム部材４９１１に固着させるために、第１のロッド４７２１と、保定キー４７２３を受容するためのポート４７２２とを備える、第１のフレーム係合デバイス４７２０を有する。第２の端部４７１２は、移動式部材４７００をフレーム部材４９１２に固着させるために、第２のロッド４７３１を備える、第２のフレーム係合デバイス４７３０を含有する。伸長区分４７１０は、発泡ポリマーから成る。本実施形態では、第１のロッド４７２１は、第２のロッド４７３１よりも長い。動作時、第１のロッド４７２１は、フレーム部材４９１１の第１の付属品受容ポート内に進入される。第２のロッド４７３１は、フレーム部材４９１２の第２の付属品受容ポートと整合され、それに進入する。移動式部材４７００が、第１のロッド４７２１および第２のロッド４７３１が両方ともフレーム部材４９１１および４９１２に係合する状態で、正しく位置付けられるとき、第１のキー４７２３は、フレーム部材４９１１と４９１２との間で移動式部材４７００を固着させるように第１のポート４７２２内に設置される。移動式部材４７００を係脱させるために、第１のキー４７２３は、第１のポート４７２２から除去され、移動式部材４７００は、第２のロッド４７３１がフレーム部材４９１２を係脱させるまでフレーム部材４９１１に向かって摺動され、次いで、第１のロッド４７２１は、フレーム部材４９１１から摺動されることができる。移動式部材４７００は、例えば、アームカール、浮動クランチ、背部伸展、および同等物のような、運動者の身体の一部のために堅固な支持を要求するもの等の種々の運動を可能にすることができる。
【０１９１】
図５０は、移動式部材５０００の正面図を示す。移動式部材５０００は、第２の端部５０１２の反対側に第１の端部５０１１を有する、伸長区分５０１０を備える。第１の端部５０１１は、移動式部材５０００を第１のフレーム部材（図示せず）に固着させるために、第１のロッド５０２１と、保定キー５０２３を受容するためのポート５０２２とを備える、第１のフレーム係合デバイス５０２０を有する。第２の端部５０１２は、移動式部材５０００を第２のフレーム部材（図示せず）に固着させるために、第２のロッド５０３１を備える、第２のフレーム係合デバイス５０３０を含有する。本実施形態では、第１のロッド５０２１は、第２のロッド５０３１よりも長い。伸長区分５０１０は、例えば、浮動滑車（図示せず）等の任意の所望の付属品の選択的取付を可能にする、正方形管類を備える。故に、移動式部材５０００は、運動のために前例のない配列がすでに可能である装置にさらなる柔軟性を与える。伸長区分５０１０は、第１の移動方向に軸を有する（ページに対して法線である）、第１の移動式付属品受容ポート５０４５と、第２の移動方向に（ページの平面内に）軸を有する、第２の移動式付属品受容ポート（見えない）とを備える。
【０１９２】
図５１は、足伸張デバイス５１００の左側面図を示す。足伸張デバイス５１００は、ノブ５１４２によって操作されるばね荷重ピンを付属品受容ポート５１９３の中に係合させることによって、例えば、フレーム部材５１１３等のフレームに除去可能かつ調節可能に取り付けるためのブレース５１７５を備える。足伸張デバイス５１００はまた、ブレースヒンジ５１１４によってブレース５１７５に取り付けられる伸張足底部分５１１０も備える。踵部分５１２１は、踵ヒンジ５１１２によって伸張足底部分５１１０に取り付けられる。運動者の足５１９０が体験する伸張の角度は、フレーム部材５１１３の上または下にブレース５１７５を移動させることによって調節されることができる。
【０１９３】
図５２は、足運動アタッチメント５２００の左側面図を示す。足運動アタッチメント５２００は、運動者の足５２９０を受容するための足場５２１０を備える。足場５２１０はまた、足５２９０の爪先の上部、またはある場合には靴に係合するための爪先部分５２１２も備える。足場５２１０は、足場５２１０を足５２９０に固着させるためのストラップ５２２１、５２２２、５２２３、および５２２４を係留する。ストラップ５２２１および５２２２は、例えば、面ファスナ布を用いて相互に係合するように適合され、ストラップ５２２３および５２２４は、例えば、面ファスナ布を用いて相互に係合するように適合される。足場５２１０はまた、抵抗を足場５２１０に係合させるために、アイボルト５２３１、５２３２、および５２３３の形態の１つ以上の運動取付点受容器も備える。
【０１９４】
図５３は、脚プレス付属品５３００の左側面図を示す。脚プレス付属品５３００は、脚プレス付属品５３００を水平部材５３１１に除去可能かつ調節可能に取り付けるための角度ガイドブレース５３２１を有する、角度ガイド５３１０を備える。延在部材受容器５３３１は、延在部材受容器５３３１が、角度ガイド５３１０内に弓状様式で、この場合、ページの平面内で移動し得るように、角度ガイド５３１０に係留される。延在部材受容器５３３１は、延在受容ポート５３４５のうちの１つにおいて延在部材５３４１に係合するためのばね荷重ピン５３５４を備える、足パッドブレース５３５２を用いて、延在部材５３４１上で定位置に保持される足パッド５３５１を有する、延在部材５３４１を受容した。延在受容ポート５３４５のうちのもう１つは、カラビナ５３８３およびケーブル５３８５が取り付けられたアイボルトである、運動取付点受容器５３８１を受容した。ケーブル５３８５は、最終的に、ウェイトスタック（図示せず）に継合し、その脚を真っ直ぐにする運動者５３９０に対して抵抗を提供する。脚プレス付属品５３００は、水平部材５３１１をベンチブレース５３６２、５３６３と係合させる、ベンチ５３６１を伴う。ノブ５３２２、５３７２、および５３７３は、それらの個別の基部５３２１、５３６２、および５３６３を水平部材５３１１に固着させる、ばね荷重ピンを操作する。
【０１９５】
図５４および５５は、調節可能な弓状基部５４００を示す。調節可能な弓状基部５４００は、それ自体が、それぞれ、垂直部材５４１７、５４１８上の付属品受容ポートに係合するための格納式ピン５４１１、５４１２を備える、ステージ５４１０を備える。動作時、運動者は、格納式ピン５４１１、５４１２を側方に引動し、垂直部材５４１７、５４１８を係脱させることができる。調節可能な弓状基部５４００は、次いで、垂直部材５４１７、５４１８に対して新しい位置まで上または下に移動されることができる。新しい位置で、格納式ピン５４１１、５４１２は、それぞれ、垂直部材５４１７、５４１８上の新しい付属品受容ポートに係合し、それによって、新しい位置で調節可能な弓状基部５４００を固着させるように、解放される。本実施形態では、格納式ピン５４１１、５４１２は、ばね荷重される。
【０１９６】
角度ガイド５４２１は、ステージ５４１０に添着され、車軸５４３２において延在部材受容器５４３１を係留する。延在部材受容器５４３１は、例えば、運動の間に、角度ガイド５４２１内に弓状様式で移動することができる。延在部材受容器５４３１はさらに、延在部材受容器５４３１が、延在部材（図示せず）を受容し、ばね荷重ピン５４４１を用いて延在部材を固着させるように適合されるように、ばね荷重ピン５４４１を備える。任意の好適な延在部材が、延在部材受容器５４３１に係合することができる。ある場合には、延在部材は、運動係合デバイス（例えば、図３６の片手グリップ３６２１）および運動取付点受容器（例えば、図３６のＪ−フック３６６１ならびにアイボルト３６６２）を受容するための延在受容ポートを伴う正方形管類を備えることができる。
【０１９７】
図５６、５７、および５８は、角度伸縮式延在部材５６００を示す。図５６は、入れ子式延在部材５６３２、５６３３が最短構成に収縮された、デバイスの右側面図を提供する。図５７は、同一の図を提供するが、入れ子式延在部材５６３２、５６３３が、完全に延在され、浮動滑車５６９１が、延在運動取付点を提供する。図５８は、角度伸縮式延在デバイス５６００の部分上面図を提供する。
【０１９８】
角度伸縮式延在デバイス５６００は、角度伸縮式延在デバイス５６００を抵抗に対して運動するための装置のフレーム部材５６１２に選択的に取り付けるための角度選択ブレース５６１０を備える。角度選択ブレース５６１０は、フレーム部材５６１２内の付属品受容ポートに係合するための格納式ピン５６４１を備える。角度セレクタ５６２０は、例えば、複数の角度選択ポート５６２１、５６２２、５６２４を備え、角度選択ブレース５６１０に取り付けられる。角度選択ブラケット５６５１は、ヒンジ車軸５６２９を有するヒンジ５６５５によって、角度選択ブレース５６１０に接続される。ヒンジ５６５５は、ヒンジ車軸５６２９において回転軸を画定する。角度選択格納式ピン５６４２は、図５８の角度選択ポート５６２４に係合し、それによって、伸縮延在角を確立する。その角度は、一方では、ヒンジ車軸５６２９から角度選択ポート５６２１までの想像上の線、他方では、ヒンジ車軸５６２９から角度選択ポート５６２４までの別の想像上の線によって判定される。
【０１９９】
伸縮式延在アーム５６３０は、角度選択ブラケット５６５１から延在し、第１の入れ子式延在部材５６３１と、第２の入れ子式延在部材５６３２と、第３の入れ子式延在部材５６３３とを備える。入れ子式延在部材５６３１、５６３２、および５６３３は、複数の延在受容ポート５６３８を備える。ばね荷重ピン５６４３および５６４４は、入れ子式延在部材５６３２、５６３３が、選定された長さにおいて独立して固着されることを可能にする。
【０２００】
図５９および６０は、ポータブルウェイトスタックアセンブリ５９００を描写する。ポータブルウェイトスタックアセンブリ５９００は、水平部材５９１３、５９１４を相互に支持する、ポータブル垂直部材５９１１、５９１２を備える、ポータブルフレーム５９１０を備える。ポータブルフレーム５９１０によって含有されるポータブルウェイトスタック５９２１は、複数のポータブル滑車５９４１、５９４２、５９４３、５９４４、５９４５、５９４６、および５９４７を介してポータブルフレーム５９１０を中心として配索されるポータブルケーブル５９８５によって、摺動可能に調節可能なポータブル運動取付点５９６１に選択的に接続される。フッタ５９９１、５９９２は、フレーム５９１０を安定させる。ポータブル運動取付点５９６１は、カラビナ５９６２が運動の間に移動されるときに、ケーブル５９８５の有意で万能な移動の自由度を可能にする、２つの滑車５９６５、５９６７を備える。ゴム球体である滑車停止部５９６８が、ケーブル５９８５がポータブル運動取付点５９６１から退出しないように防止する。ポータブル運動取付点５９６１は、ノブ５９６４を操作することによって、垂直部材５９１２に沿って摺動可能に調節可能である。垂直部材５９１２は、第１のポータブル方向に軸を有する、すなわち、図５９ではページに対して法線である、第１のポータブル垂直付属品受容ポート５９８７を備える。垂直部材５９１２は、第２のポータブル方向に軸を有する、すなわち、図６０ではページに対して法線である、第２のポータブル垂直付属品受容ポート５９８８を備える。
【０２０１】
図６１、６２、６３、６４、６５、６６、および６７は、正方形管類を有する、フレーム６１００のいくつかの図を提供する。図６１は、正面斜視図を提供し、図６２は、右側面図を提供し、図６３は、左側面図を提供し、図６４は、上面図を提供し、図６５は、底面図を提供し、図６６は、正面立面図を提供し、図６７は、後面立面図を提供する。複数の垂直部材６１１１、６１１２、６１１３、６１１４、６１１５、６１１６、６１１７、および６１１８は、複数の水平部材６１２１、６１２２、６１２３、６１２４、６１２５、６１２６、６１２７、６１２８、６１２９、６１３１、６１３２、および６１３３を相互に支持する。水平部材６１２１、６１２２、６１２３、６１２４、および６１２５によって画定される長方形の占有面積は、約２：９のアスペクトを有する。換言すると、一実施形態では、垂直部材６１１１から垂直部材６１１２までの距離、すなわち、奥行は、約２フィートであり、垂直部材６１１１から垂直部材６１１７までの距離、すなわち、幅は、約９フィートである。フレーム６１００は、高さ、すなわち、垂直部材６１１１の最長寸法が約９フィートである。垂直部材６１１４は、第１の方向に軸を有する、第１の垂直付属品受容ポート６１８７と、第２の方向に軸を有する、第２の垂直付属品受容ポート６１８８とを有する。水平部材６１２３は、第１の方向に第１の水平付属品受容ポート６１９７と、第３の方向に第２の水平付属品受容ポート６１９８とを有する。
【０２０２】
図６８は、円形管類を有する、フレーム６８００の正面斜視図を提供する。複数の垂直部材６８１１、６８１２、６８１３、６８１４、６８１５、６８１６、６８１７、および６８１８は、複数の水平部材６８２１、６８２２、６８２３、６８２４、６８２５、６８２６、６８２７、６８２８、６８２９、６８３１、６８３２、および６８３３を相互に支持する。
【０２０３】
図６９は、六角形管類を有する、フレーム６９００の正面斜視図を提供する。複数の垂直部材６９１１、６９１２、６９１３、６９１４、６９１５、６９１６、６９１７、および６９１８は、複数の水平部材６９２１、６９２２、６９２３、６９２４、６９２５、６９２６、６９２７、６９２８、６９２９、６９３１、６９３２、および６９３３を相互に支持する。
【実施例】
【０２０４】
（実施形態１）
抵抗に対して運動するための装置であって、
複数の水平部材を相互に支持する複数の垂直部材を備える、フレームと、
フレームによって含有される少なくとも１つのウェイトスタックを備える、抵抗と、
少なくとも１つのウェイトスタックを１つ以上の運動取付点に選択的に接続する、複数の滑車を介してフレームを中心として配索される１つ以上のケーブルと、
第２の端部の反対側に第１の端部を有する、少なくとも１つの延在ケーブルを備える、フレームに除去可能かつ調節可能に取り付けられる、少なくとも１つの浮動滑車であって、第１の端部は、１つ以上の運動取付点に取付可能であり、第２の端部は、少なくとも１つの浮動運動取付点を提供する、浮動滑車と、
を備え、複数の垂直部材のうちの垂直部材のうちの少なくともいくつかは、第１の方向に軸を有する、第１の垂直付属品受容ポートと、第２の方向に軸を有する、第２の垂直付属品受容ポートとを有する、
装置。
【０２０５】
（実施形態２）
複数の水平部材のうちの水平部材のうちの少なくともいくつかは、第１の方向に軸を有する、第１の水平付属品受容ポートと、第３の方向に軸を有する、第２の水平付属品受容ポートとを有する、実施形態１に記載の装置。
【０２０６】
（実施形態３）
フレームは、正方形管類を備える、実施形態１−２のいずれか１つに記載の装置。
【０２０７】
（実施形態４）
第１の方向は、第２の方向と略垂直である、実施形態１−３のいずれか１つに記載の装置。
【０２０８】
（実施形態５）
抵抗は、フレームによって含有される２つの独立ウェイトスタックを備える、実施形態１−４のいずれか１つに記載の装置。
【０２０９】
（実施形態６）
１つ以上の運動取付点のうちの少なくとも１つは、複数の垂直部材のうちの垂直部材のうちの１つに沿って摺動可能に調節可能である、実施形態１−５のいずれか１つに記載の装置。
【０２１０】
（実施形態７）
１つ以上の運動取付点のうちの少なくとも１つは、複数の水平部材のうちの水平部材のうちの１つに沿って摺動可能に調節可能である、実施形態１−６のいずれか１つに記載の装置。
【０２１１】
（実施形態８）
複数の垂直部材のうちの少なくとも１つの垂直部材は、垂直長を有し、実質的に垂直長全体に、第１の垂直付属品受容ポートと、第２の垂直付属品受容ポートとを備える、実施形態１−７のいずれか１つに記載の装置。
【０２１２】
（実施形態９）
複数の水平部材のうちの少なくとも１つの水平部材は、水平長を有し、実質的に水平長全体に、第１の水平付属品受容ポートと、第２の水平付属品受容ポートとを備える、実施形態１−８のいずれか１つに記載の装置。
【０２１３】
（実施形態１０）
第１の方向および第２の方向は、水平と略平行である、実施形態１−９のいずれか１つに記載の装置。
【０２１４】
（実施形態１１）
第３の方向は、水平に対して略法線である、実施形態２−１０のいずれか１つに記載の装置。
【０２１５】
（実施形態１２）
フレームはさらに、複数の垂直部材の中の少なくとも１つの垂直部材の上に枢動可能に搭載される、少なくとも１つのドアを備える、実施形態１−１１のいずれか１つに記載の装置。
【０２１６】
（実施形態１３）
少なくとも１つのドアは、２つのドアを備える、実施形態１２に記載の装置。
【０２１７】
（実施形態１４）
少なくとも１つのドアは、
少なくとも１つのドア水平部材を相互に支持する、少なくとも１つのドア垂直部材を備え、
少なくとも１つのドア垂直部材は、第４の方向に軸を有する、第１のドア垂直付属品受容ポートと、第５の方向に第２のドア垂直付属品受容ポートとを備える、
実施形態１２−１３のいずれか１つに記載の装置。
【０２１８】
（実施形態１５）
少なくとも１つのドア水平部材は、第４の方向に軸を有する、第１のドア水平付属品受容ポートと、第６の方向に軸を有する、第２のドア水平付属品受容ポートとを備える、実施形態１４に記載の装置。
【０２１９】
（実施形態１６）
第４の方向は、第５の方向と略垂直である、実施形態１４−１５のいずれか１つに記載の装置。
【０２２０】
（実施形態１７）
第４の方向および第５の方向は、水平と略平行である、実施形態１４−１６のいずれか１つに記載の装置。
【０２２１】
（実施形態１８）
第６の方向は、水平に対して略法線である、実施形態１５−１７のいずれか１つに記載の装置。
【０２２２】
（実施形態１９）
少なくとも１つのドア垂直部材は、正方形管類を備える、実施形態１４−１８のいずれか１つに記載の装置。
【０２２３】
（実施形態２０）
少なくとも１つのドア水平部材は、正方形管類を備える、実施形態１４−１９のいずれか１つに記載の装置。
【０２２４】
（実施形態２１）
フレームに搭載される、少なくとも１つの装飾パネルを備える、実施形態１−２０のいずれか１つに記載の装置。
【０２２５】
（実施形態２２）少なくとも１つのドアに搭載される、少なくとも１つの装飾パネルを備える、実施形態１２−２１のいずれか１つに記載の装置。
【０２２６】
（実施形態２３）
少なくとも１つの装飾パネルは、少なくとも１つの中空頭ボルトを使用して搭載され、中空頭ボルトは、頭部と、ねじ山付きシャフトとを備え、頭部は、パネル搭載リベットを受容および保定するための軸方向陥凹を備える、実施形態２１−２２のいずれか１つに記載の装置。
【０２２７】
（実施形態２４）
少なくとも１つのドアは、１つ以上の運動取付点、少なくとも１つの浮動運動取付点、もしくはそれらの組み合わせのうちの少なくとも１つを備える、実施形態１２に記載の装置。
【０２２８】
（実施形態２５）
２つのドアはそれぞれ、１つ以上の運動取付点、少なくとも１つの浮動運動取付点、もしくはそれらの組み合わせのうちの少なくとも１つを備える、実施形態１３に記載の装置。
【０２２９】
（実施形態２６）
少なくとも１つの浮動滑車は、第１の垂直付属品受容ポートのうちの１つ以上のもの、第２の垂直付属品受容ポートのうちの１つ以上のもの、もしくはそれらの組み合わせに結合することによって、フレームに除去可能かつ調節可能に取り付けられる、実施形態１−２５のいずれか１つに記載の装置。
【０２３０】
（実施形態２７）
少なくとも１つの浮動滑車は、第１の水平付属品受容ポートのうちの１つ以上のもの、第２の水平付属品受容ポートのうちの１つ以上のもの、もしくはそれらの組み合わせに結合することによって、フレームに除去可能かつ調節可能に取り付けられる、実施形態２−２５のいずれか１つに記載の装置。
【０２３１】
（実施形態２８）
少なくとも１つの浮動滑車は、第１のドア垂直付属品受容ポートのうちの１つ以上のもの、第２のドア垂直付属品受容ポートのうちの１つ以上のもの、もしくはそれらの組み合わせに結合することによって、フレームに除去可能かつ調節可能に取り付けられる、実施形態１４−２７のいずれか１つに記載の装置。
【０２３２】
（実施形態２９）
少なくとも１つの浮動滑車は、第１のドア水平付属品受容ポートのうちの１つ以上のもの、第２のドア水平付属品受容ポートのうちの１つ以上のもの、もしくはそれらの組み合わせに結合することによって、フレームに除去可能かつ調節可能に取り付けられる、実施形態１５−２８のいずれか１つに記載の装置。
【０２３３】
（実施形態３０）
少なくとも１つのバーベルを受容し、少なくとも１つのバーベルを用いた少なくとも１つの運動の実施を可能にするための少なくとも１つのパワーラックを備える、実施形態１−２９のいずれか１つに記載の装置。
【０２３４】
（実施形態３１）
少なくとも１つのバーベルを受容し、少なくとも１つのバーベルを用いた少なくとも１つの運動の実施を可能にするための少なくとも１つのスミスマシンを備える、実施形態１−３０のいずれか１つに記載の装置。
【０２３５】
（実施形態３２）
抵抗を提供または増強するための少なくとも１つの弾性バンド取付点を備える、実施形態１−３１のいずれか１つに記載の装置。
【０２３６】
（実施形態３３）
抵抗を提供または増強するための少なくとも１つのフリーウェイト取付点を備える、実施形態１−３２のいずれか１つに記載の装置。
【０２３７】
（実施形態３４）
抵抗は、少なくとも１つのウェイトスタック、少なくとも１つのフリーウェイトデバイス、少なくとも１つの弾性バンド、装置を用いて運動する個人の体重、またはそれらの組み合わせによって選択的に提供される、実施形態１−３３のいずれか１つに記載の装置。
【０２３８】
（実施形態３５）
抵抗に対して運動するための装置のための浮動滑車であって、
第２の端部の反対側に第１の端部を有する、延在ケーブルであって、第１の端部は、装置上の運動取付点に取付可能であり、第２の端部は、浮動運動取付点を提供する、延在ケーブルと、
装置上の付属品受容ポートに除去可能かつ調節可能に結合するための付属品係合構造と、
を備える、浮動滑車。
【０２３９】
（実施形態３６）
延在ケーブルの第１の端部の近位にある第１の滑車停止部と、
延在ケーブルの第２の端部の近位にある第２の滑車停止部と、
をさらに備える、実施形態３５に記載の浮動滑車。
【０２４０】
（実施形態３７）
浮動滑車は、単一の滑車輪を備える、実施形態３５−３６のいずれか１つに記載の浮動滑車。
【０２４１】
（実施形態３８）
浮動滑車は、２つの滑車輪を備え、延在ケーブルは、２つの滑車輪との間を通過する、実施形態３５−３６のいずれか１つに記載の浮動滑車。
【０２４２】
（実施形態３９）
付属品係合構造は、浮動滑車を付属品係合構造に取り付けるためのヒンジを備える、実施形態３５−３８のいずれか１つに記載の浮動滑車。
【０２４３】
（実施形態４０）
付属品係合構造は、浮動滑車を付属品係合構造に取り付けるための枢動部を備える、実施形態３５−３９のいずれか１つに記載の浮動滑車。
【０２４４】
（実施形態４１）
抵抗に対して運動するための装置は、実施形態１−３４のいずれか１つに記載の装置である、実施形態３５−４０のいずれか１つに記載の浮動滑車。
【０２４５】
（実施形態４２）
抵抗に対して運動する方法であって、
複数の水平部材を相互に支持する複数の垂直部材を備える、フレームと、
フレームによって含有される少なくとも１つのウェイトスタックを備える、抵抗と、
少なくとも１つのウェイトスタックを１つ以上の運動取付点に選択的に接続する、複数の滑車を介してフレームを中心として配索される１つ以上のケーブルと、
第２の端部の反対側に第１の端部を有する、少なくとも１つの延在ケーブルを備える、フレームに除去可能かつ調節可能に取り付けられる、少なくとも１つの浮動滑車であって、第１の端部は、１つ以上の運動取付点に取付可能であり、第２の端部は、少なくとも１つの浮動運動取付点を提供する、浮動滑車と、
を備え、複数の垂直部材のうちの垂直部材のうちの少なくともいくつかは、第１の方向に軸を有する、第１の垂直付属品受容ポートと、第２の方向に軸を有する、第２の垂直付属品受容ポートとを有する、
装置を取得するステップと、
少なくとも１つの運動係合デバイスを、１つ以上の運動取付点、少なくとも１つの浮動運動取付点、もしくはそれらの組み合わせに接続するステップと、
抵抗に対して少なくとも１つの運動係合デバイスを移動させ、それによって、抵抗に対して運動するステップと、
を含む、方法。
【０２４６】
（実施形態４３）
装置は、実施形態１−３４のいずれか１つに記載の装置である、実施形態４２に記載の方法。
【０２４７】
（実施形態４４）
少なくとも１つの浮動滑車は、実施形態３５−４１のいずれか１つに記載の浮動滑車を備える、実施形態４２−４３のいずれか１つに記載の方法。
【０２４８】
（実施形態４５）
実施形態１−３４のいずれか１つに記載の装置を作製する方法であって、
複数の滑車を介してフレームを中心として１つ以上のケーブルを配索し、少なくとも１つのウェイトスタックを１つ以上の運動取付点に選択的に接続するステップを含む、方法。
【０２４９】
（実施形態４６）
浮動滑車を通して延在ケーブルを配索するステップを含む、実施形態３５−４１のいずれか１つに記載の浮動滑車を作製する方法。
【０２５０】
（実施形態４７）
抵抗に対して運動するための装置との併用のために適合される、運動ベンチであって、
少なくとも１つの垂直ベンチ部材を相互に支持する、少なくとも１つの水平ベンチ部材を備える、ベンチフレームと、
ベンチフレームによって支持されるシートクッションと、
フレーム内の１つ以上のベンチ付属品受容ポートであって、少なくとも１つの浮動滑車を受容し、少なくとも１つのベンチ運動取付点を提供するように適合される、１つ以上のベンチ付属品受容ポートと、
を備える、運動ベンチ。
【０２５１】
（実施形態４８）
フレームによって支持され、傾斜角を利用することが可能な背部クッションをさらに備える、実施形態４７に記載の運動ベンチ。
【０２５２】
（実施形態４９）
傾斜角は、水平に対して−８０度〜１２０度に及ぶ、実施形態４８に記載の運動ベンチ。
【０２５３】
（実施形態５０）
傾斜角は、水平に対して０度〜６０度に及ぶ、実施形態４９に記載の運動ベンチ。
【０２５４】
（実施形態５１）
背部クッションに係合する、背部クッションブレースと、
背部クッションブレースを受容し、背部クッションブレースと傾斜角を確立するための複数の傾斜角選択スロットと、
背部クッションブレースが傾斜角選択デバイスから逸脱しないように防止するためのブレースガードと、
を備える、傾斜角選択デバイスをさらに備える、実施形態４７−５０のいずれか１つに記載の運動ベンチ。
【０２５５】
（実施形態５２）
抵抗に対して運動するための装置のための延在アームであって、
装置のフレームに除去可能かつ調節可能に取り付けるためのブレースと、
基部から延在し、１つ以上の延在運動取付点を提供するための複数の延在受容ポートを備える、延在部材と、
を備える、延在アーム。
【０２５６】
（実施形態５３）
延在アームは、装置の少なくとも１つのウェイトスタックを選択的に接続し、１つ以上の延在運動取付点を確立することが可能な少なくとも１つの浮動滑車を受容するように適合される、実施形態５２に記載の延在アーム。
【０２５７】
（実施形態５４）
装置は、実施形態１−３４のいずれか１つに記載の装置である、実施形態５２−５３のいずれか１つに記載の延在アーム。
【０２５８】
（実施形態５５）
浮動滑車は、実施形態３５−４１のいずれか１つに記載の浮動滑車である、実施形態５２−５４のいずれか１つに記載の延在アーム。
【０２５９】
（実施形態５６）
ディップスバー、多用途運動装置、腹筋運動ボード、テレビ、音響システム、メディアプレーヤ、またはそれらの組み合わせとをさらに備える、実施形態１−３４のいずれか１つに記載の装置。
【０２６０】
（実施形態５７）
多用途運動装置は、縦部材を支持する角度セレクタを備え、縦部材は、角度セレクタの近位で対向する足首ブレースを係留し、角度セレクタから遠位で多用途パッドを支持する、実施形態５６に記載の装置。
【０２６１】
（実施形態５８）
抵抗に対して運動するための装置のための滑動延在デバイスであって、
ガイドロッドに滑動して係合するように適合される複数のローラを備える、ローラキャリッジと、
ローラキャリッジから延在する延在フレームであって、ローラキャリッジに隣接する近位端と、遠位端とを備える、延在フレームと、
遠位端またはその近傍における運動係合デバイスと、
ローラキャリッジ、延在フレームの近位端、または両方に取り付けられる、運動取付点受容器と、
を備える、滑動延在デバイス。
【０２６２】
（実施形態５９）
運動係合デバイスは、片手グリップである、実施形態５８に記載の滑動延在デバイス。
【０２６３】
（実施形態６０）
運動係合デバイスは、両手バーである、実施形態５８に記載の滑動延在デバイス。
【０２６４】
（実施形態６１）
ブレーキ機構をさらに備え、ブレーキ機構は、運動係合デバイスにおけるブレーキレバーと、複数のローラ、ガイドロッド、または両方の間で少なくとも１つのローラを拘束するためのローラキャリッジにおけるブレーキクランプとを備え、ブレーキレバーは、ブレーキレバーが操作されるときに、ブレーキクランプを係脱させるように適合される、実施形態５８−６０のいずれか１つに記載の滑動延在デバイス。
【０２６５】
（実施形態６２）
ローラキャリッジ、延在フレームの近位端、または両方に取り付けられる、弾性バンド受容器をさらに備える、実施形態５８−６１のいずれか１つに記載の滑動延在デバイス。
【０２６６】
（実施形態６３）
延在フレームはさらに、１つ以上の延在運動取付点を提供するための複数の延在受容ポートを備える、実施形態５８−６２のいずれか１つに記載の滑動延在デバイス。
【０２６７】
（実施形態６４）
抵抗に対して運動するための装置のための延在アームであって、
延在アームを装置のフレームに取り付けるための角度選択ブラケットであって、複数の延在角を確立するための複数の角度選択ポートを備える、角度選択ブラケットと、
角度選択ブラケットから延在し、１つ以上の延在運動取付点を提供するための複数の延在受容ポートを備える、延在部材と、
を備え、複数の延在角の中の延在角は、フレームの部材の一部および延在部材の一部によって判定される、
延在アーム。
【０２６８】
（実施形態６５）
延在アームは、装置の少なくとも１つのウェイトスタックを選択的に接続し、１つ以上の延在運動取付点を確立することが可能な少なくとも１つの浮動滑車を受容するように適合される、実施形態６４に記載の延在アーム。
【０２６９】
（実施形態６６）
装置は、実施形態１−３４および５６−５７のいずれか１つに記載の装置である、実施形態６４−６５のいずれか１つに記載の延在アーム。
【０２７０】
（実施形態６７）
浮動滑車は、実施形態３５−４１のいずれか１つに記載の浮動滑車である、実施形態６４−６６のいずれか１つに記載の延在アーム。
【０２７１】
（実施形態６８）
抵抗に対して運動するための装置のための腹筋運動ボードであって、
運動者を支持するためのパッド付きボードと、
パッド付きボードを支持する、少なくとも１つの縦部材と、
パッド付きボードを支持する、少なくとも１つの側方部材と、
を備え、少なくとも１つの縦部材、少なくとも１つの側方部材、または両方は、複数の腹筋運動ボード付属品受容ポートを備える、
腹筋運動ボード。
【０２７２】
（実施形態６９）
運動者の足を受容するための２つの足ブレースをさらに備える、実施形態６８に記載の腹筋運動ボード。
【０２７３】
（実施形態７０）
運動者の手を受容するための２つのハンドグリップをさらに備える、実施形態６９に記載の腹筋運動ボード。
【０２７４】
（実施形態７１）
抵抗に対して運動するための装置のフレームの付属品受容ポートに係合するための１つ以上のピンをさらに備える、実施形態６８−７０のいずれか１つに記載の腹筋運動ボード。
【０２７５】
（実施形態７２）
腹筋運動ボードを安定させるための１つ以上のフッタをさらに備える、実施形態６８−７１のいずれか１つに記載の腹筋運動ボード。
【０２７６】
（実施形態７３）
抵抗に対して運動するための装置のための多重ベクトル延在デバイスであって、
装置のフレームに除去可能かつ調節可能に取り付けるためのブレースと、
複数の付属品受容ポートを備える、多重ベクトル延在アームと、
ブレースに対して多重ベクトル延在アームの有意な移動の自由度を可能にしながら、多重ベクトル延在アームをブレースに継合する玉継手と、
複数の付属品受容ポートの中の第１の付属品受容ポートを介して多重ベクトル延在アームに除去可能に取り付けられる、少なくとも１つの運動係合デバイスと、
複数の付属品受容ポートの中の第２の付属品受容ポートを介して多重ベクトル延在アームに除去可能に取り付けられる、少なくとも１つの運動取付点受容器と、
を備える、多重ベクトル延在デバイス。
【０２７７】
（実施形態７４）
ブレースは、装置のフレームに係合するためのノブによって操作される、ばね荷重ピンを備える、実施形態７３に記載の多重ベクトル延在デバイス。
【０２７８】
（実施形態７５）
多重ベクトル延在アームは、正方形管類を備える、実施形態７３−７４のいずれか１つに記載の多重ベクトル延在デバイス。
【０２７９】
（実施形態７６）
少なくとも１つの運動係合デバイスは、片手グリップを備える、実施形態７３−７５のいずれか１つに記載の多重ベクトル延在デバイス。
【０２８０】
（実施形態７７）
少なくとも１つの運動係合デバイスは、両手バーを備える、実施形態７３−７５のいずれか１つに記載の多重ベクトル延在デバイス。
【０２８１】
（実施形態７８）
少なくとも１つの運動取付点受容器は、弾性バンドを受容するためのＪ−フックを備える、実施形態７３−７７のいずれか１つに記載の多重ベクトル延在デバイス。
【０２８２】
（実施形態７９）
少なくとも１つの運動取付点受容器は、カラビナを受容するためのアイボルトを備える、実施形態７３−７８のいずれか１つに記載の多重ベクトル延在デバイス。
【０２８３】
（実施形態８０）
少なくとも１つの運動取付点受容器は、付属品受容ポート内に運動取付点受容器を固着させるためのばね荷重ピンを備える、実施形態７３−７９のいずれか１つに記載の多重ベクトル延在デバイス。
【０２８４】
（実施形態８１）
少なくとも１つの運動係合デバイスは、付属品受容ポート内に運動係合デバイスを固着させるためのばね荷重ピンを備える、実施形態７３−８０のいずれか１つに記載の多重ベクトル延在デバイス。
【０２８５】
（実施形態８２）
多重ベクトル延在アームは、少なくとも２つの伸縮部材を備え、複数の付属品受容ポートは、複数の伸縮部材付属品受容ポートを備える、実施形態７３−８１のいずれか１つに記載の多重ベクトル延在デバイス。
【０２８６】
（実施形態８３）
少なくとも２つの伸縮部材のうちの少なくとも１つは、少なくとも１つのばね荷重ピンを用いて多重ベクトル延在アームに選択的に固着される、実施形態８２に記載の多重ベクトル延在デバイス。
【０２８７】
（実施形態８４）
少なくとも１つの運動係合デバイスは、複数の伸縮部材付属品受容ポートの中の第３の付属品受容ポートを介して、多重ベクトル延在アームに除去可能に取り付けられる、実施形態８２−８３のいずれか１つに記載の多重ベクトル延在デバイス。
【０２８８】
（実施形態８５）
少なくとも１つの運動取付点受容器は、複数の伸縮部材付属品受容ポートの中の第４の付属品受容ポートを介して、多重ベクトル延在アームに除去可能に取り付けられる、実施形態８２−８４のいずれか１つに記載の多重ベクトル延在デバイス。
【０２８９】
（実施形態８６）
ブレースはさらに、多重ベクトル延在アームによる接触からフレームを保護するように玉継手を中心として位置付けられる支持円錐を備える、実施形態７３−８５のいずれか１つに記載の多重ベクトル延在デバイス。
【０２９０】
（実施形態８７）
支持円錐は、天然ゴム、合成ゴム、ポリウレタン、シリコーン、またはそれらの組み合わせから成る、実施形態８６に記載の多重ベクトル延在デバイス。
【０２９１】
（実施形態８８）
抵抗に対して運動するための装置は、実施形態１−３４および５６−５７のいずれか１つに記載の装置である、実施形態７３−８７のいずれか１つに記載の多重ベクトル延在デバイス。
【０２９２】
（実施形態８９）
抵抗に対して運動するための装置のための多重ベクトル延在支持体であって、
装置のフレームに除去可能かつ調節可能に取り付けるためのブレースと、
フレームを受容し、多重ベクトル延在デバイスによる接触から保護するためにフレームに取り付けられる、弾力性支持体と、
を備える、多重ベクトル延在支持体。
【０２９３】
（実施形態９０）
ブレースは、装置のフレームに係合するためのばね荷重ピンを備える、実施形態８９に記載の多重ベクトル延在支持体。
【０２９４】
（実施形態９１）
弾力性支持体は、多重ベクトル延在デバイスを受容するための陥凹を画定する、実施形態８９−９０のいずれか１つに記載の多重ベクトル延在支持体。
【０２９５】
（実施形態９２）
弾力性支持体は、天然ゴム、合成ゴム、ポリウレタン、シリコーン、またはそれらの組み合わせから成る、実施形態８９−９１のいずれか１つに記載の多重ベクトル延在支持体。
【０２９６】
（実施形態９３）
多重ベクトル延在デバイスは、実施形態７３−８８のいずれか１つに記載の多重ベクトル延在デバイスである、実施形態８９−９２のいずれか１つに記載の多重ベクトル延在支持体。
【０２９７】
（実施形態９４）
抵抗に対して運動するための装置は、実施形態１−３４および５６−５７のいずれか１つに記載の装置である、実施形態８９−９３のいずれか１つに記載の多重ベクトル延在支持体。
【０２９８】
（実施形態９５）
複数のベクトルを有する複数の抵抗に対して運動する方法であって、
装置のフレームに除去可能かつ調節可能に取り付けるためのブレースと、
第１の付属品受容ポートと、第２の付属品受容ポートと、第３の付属品受容ポートとを備える、多重ベクトル延在アームと、
ブレースに対して多重ベクトル延在アームの有意な移動の自由度を可能にしながら、多重ベクトル延在アームをブレースに継合する玉継手と、
第１の付属品受容ポートを介して多重ベクトル延在アームに除去可能に取り付けられる、第１の運動取付点受容器と、
第２の付属品受容ポートを介して多重ベクトル延在アームに除去可能に取り付けられる、第２の運動取付点受容器と、
第３の付属品受容ポートを介して多重ベクトル延在アームに除去可能に取り付けられる、運動係合デバイスと、
を備える、多重ベクトル延在デバイスを取得するステップと、
第１の抵抗を第１の運動取付点受容器に取り付けるステップと、
第２の抵抗を第２の運動取付点受容器に取り付けるステップであって、第１の抵抗は、第１のベクトルを有し、第２の抵抗は、第２のベクトルを有し、第１のベクトルは、第２のベクトルと異なり、第１のベクトルおよび第２のベクトルは、それによって、複数のベクトルを有する複数の抵抗を形成する、ステップと、
複数のベクトルを有する複数の抵抗に対して運動係合デバイスを移動させ、それによって、複数のベクトルを有する複数の抵抗に対して運動するステップと、
を含む、方法。
【０２９９】
（実施形態９６）
多重ベクトル延在デバイスは、実施形態７３−８８のいずれか１つに記載の多重ベクトル延在デバイスである、実施形態９５に記載の方法。
【０３００】
（実施形態９７）
装置は、実施形態１−３４および５６−５７のいずれか１つに記載の装置である、実施形態９５−９６のいずれか１つに記載の方法。
【０３０１】
（実施形態９８）
抵抗に対して運動するための装置のための移動式部材であって、
第２の端部の反対側に第１の端部を有する、伸長区分と、
移動式部材を装置のフレームの第１の部材に固着させるための伸長区分の第１の端部における第１のフレーム係合デバイスと、
移動式部材をフレームの第２の部材に固着させるための伸長区分の第２の端部における第２のフレーム係合デバイスと、
を備える、移動式部材。
【０３０２】
（実施形態９９）
伸長区分は、正方形管類を備える、実施形態９８に記載の移動式部材。
【０３０３】
（実施形態１００）
第１の端部と第２の端部との間に、第１の移動方向に軸を有する、第１の移動式付属品受容ポートと、第２の移動方向に軸を有する、第２の移動式付属品受容ポートとを備える、実施形態９８−９９のいずれか１つに記載の移動式部材。
【０３０４】
（実施形態１０１）
伸長区分は、発泡ポリマー、クッション、またはそれらの組み合わせから成る、実施形態９８−９９のいずれか１つに記載の移動式部材。
【０３０５】
（実施形態１０２）
発泡ポリマーは、ラテックス気泡ゴム、ポリウレタンフォーム、スチレンブタジエンフォーム、またはそれらの組み合わせから選定される、実施形態１０１に記載の移動式部材。
【０３０６】
（実施形態１０３）
第１のフレーム係合デバイスは、第１の保定キーを受容するための第１のポートを有する、第１のロッドを備え、第１のロッドは、フレームの第１の部材の第１の付属品受容ポートに進入するように適合される、実施形態９８−１０２のいずれか１つに記載の移動式部材。
【０３０７】
（実施形態１０４）
第２のフレーム係合デバイスは、随意に、第２の保定キーを受容するための第２のポートを有する、第２のロッドを備え、第２のロッドは、フレームの第２の部材の第２の付属品受容ポートに進入するように適合される、実施形態９８−１０３のいずれか１つに記載の移動式部材。
【０３０８】
（実施形態１０５）
第１のロッドは、第２のロッドよりも長い、実施形態１０４に記載の移動式部材。
【０３０９】
（実施形態１０６）
第２のロッドは、第１のロッドよりも長い、実施形態１０４に記載の移動式部材。
【０３１０】
（実施形態１０７）
抵抗に対して運動するための装置のための足伸張デバイスであって、
装置のフレームに除去可能かつ調節可能に取り付けるためのブレースと、
ブレースヒンジによってブレースに取り付けられる、伸張足底部分と、
踵ヒンジによって足底部分に取り付けられる、踵部分と、
を備える、足伸張デバイス。
【０３１１】
（実施形態１０８）
ブレースは、装置のフレームに係合するためのばね荷重ピンを備える、実施形態１０７に記載の足伸張デバイス。
【０３１２】
（実施形態１０９）
踵部分は、非粘着表面を備える、実施形態１０７−１０８のいずれか１つに記載の足伸張デバイス。
【０３１３】
（実施形態１１０）
鋼鉄、アルミニウム、またはそれらの組み合わせから成る、実施形態１０７−１０９のいずれか１つに記載の足伸張デバイス。
【０３１４】
（実施形態１１１）
装置は、実施形態１−３４および５６−６７のいずれか１つに記載の装置である、実施形態１０７−１１０のいずれか１つに記載の足伸張デバイス。
【０３１５】
（実施形態１１２）
抵抗に対して運動するための装置のための足運動アタッチメントであって、
運動者の足を受容するための足場と、
足場を足に固着させるための１つ以上のストラップと、
抵抗を足場に係合させるための１つ以上の運動取付点受容器と、
を備える、アタッチメント。
【０３１６】
（実施形態１１３）
足場は、鋼鉄、アルミニウム、またはそれらの組み合わせから成る、実施形態１１２に記載の足運動アタッチメント。
【０３１７】
（実施形態１１４）
１つ以上のストラップは、面ファスナ布、スナップ、ボタン、バックル、またはそれらの組み合わせを備える、実施形態１１２−１１３のいずれか１つに記載の足運動アタッチメント。
【０３１８】
（実施形態１１５）
足場は、足の爪先の上部に係合するための爪先部分を備える、実施形態１１２−１１４のいずれか１つに記載の足運動アタッチメント。
【０３１９】
（実施形態１１６）
装置は、実施形態１−３４および５６−５７のいずれか１つに記載の装置である、実施形態１１２−１１５のいずれか１つに記載の足運動アタッチメント。
【０３２０】
（実施形態１１７）
抵抗に対して運動するための装置のための脚プレス付属品であって、
装置のフレームの水平部材に除去可能かつ調節可能に取り付けるための角度ガイドブレースを有する、角度ガイドと、
延在部材受容器が、角度ガイド内に弓状様式で移動し得るように、角度ガイドに係留される、延在部材受容器であって、
延在部材に係合するためのばね荷重ピンを備える、足パッドブレースを用いて、延在部材上で定位置に保持される足パッドを有する、延在部材を受容するように適合される、延在部材受容器と、
を備える、脚プレス付属品。
【０３２１】
（実施形態１１８）
延在部材は、１つ以上の延在運動取付点を提供するための複数の延在受容ポートを備える、実施形態１１７に記載の脚プレス付属品。
【０３２２】
（実施形態１１９）
フレームの水平部材は、水平部材に係合するための１つ以上のベンチブレースを有する、ベンチを受容するように適合され、１つ以上のベンチブレースは、水平部材に係合するための１つ以上のばね荷重ピンを備える、実施形態１１７−１１８のいずれか１つに記載の脚プレス付属品。
【０３２３】
（実施形態１２０）
装置は、実施形態１−３４および５６−５７のいずれか１つに記載の装置である、実施形態１１７−１１８のいずれか１つに記載の脚プレス付属品。
【０３２４】
（実施形態１２１）
抵抗に対して運動するための装置のための調節可能な弓状基部であって、
装置のフレームの１つ以上の垂直部材上の１つ以上の付属品受容ポートに係合するための１つ以上の格納式ピンを備える、ステージと、
ステージに添着される、角度ガイドと、
延在部材受容器が、角度ガイド内に弓状様式で移動し得るように、角度ガイドに係留される、延在部材受容器であって、ばね荷重ピンをさらに備える、延在部材受容器であって、延在部材を受容し、ばね荷重ピンを用いて延在部材を固着させるように適合される、延在部材受容器と、
を備える、調節可能な弓状基部。
【０３２５】
（実施形態１２２）
１つ以上の格納式ピンは、２つのばね荷重ピンを備える、実施形態１２１に記載の調節可能な弓状基部。
【０３２６】
（実施形態１２３）
延在部材は、１つ以上の運動係合デバイスおよび／または１つ以上の運動取付点受容器を提供するための複数の延在受容ポートを備える、実施形態１２１−１２２のいずれか１つに記載の調節可能な弓状基部。
【０３２７】
（実施形態１２４）
装置は、実施形態１−３４および５６−５７のいずれか１つに記載の装置である、実施形態１２１−１２３のいずれか１つに記載の調節可能な弓状基部。
【０３２８】
（実施形態１２５）
抵抗に対して運動するための装置のための角度伸縮式延在デバイスであって、
角度伸縮式延在デバイスを装置のフレームに選択的に取り付けるための角度選択ブレースであって、装置のフレーム内の付属品受容ポートに係合するための格納式ピンを備える、角度選択ブレースと、
角度選択ブレースに取り付けられる複数の角度選択ポートを備える、角度セレクタと、
ヒンジによって角度選択ブレースに接続される、角度選択ブラケットであって、ヒンジは、回転軸を画定し、伸縮延在角を確立するために、角度セレクタ上の複数の角度選択ポートの中の角度選択ポートに係合するための角度選択格納式ピンを備える、角度選択ブラケットと、
角度選択ブラケットから延在し、それぞれ、ばね荷重ピンを用いて選定された長さにおいて固着されるように適合される、２つ以上の入れ子式延在部材を備える、伸縮式延在アームであって、２つ以上の入れ子式延在部材は、１つ以上の延在運動取付点を提供するための複数の延在受容ポートを備える、伸縮式延在アームと、
を備え、伸縮角は、一方では、回転軸と複数の角度選択ポートの中の第１の角度選択ポートとの間の第１の想像上の線、および回転軸と複数の角度選択ポートの中の選定された角度選択ポートとの間の第２の想像上の線によって判定される、
角度伸縮式延在デバイス。
【０３２９】
（実施形態１２６）
装置のフレームの垂直部材上に嵌合するように適合される、実施形態１２５に記載の角度伸縮式延在デバイス。
【０３３０】
（実施形態１２７）
角度選択格納式ピンは、ばね荷重ピンを備える、実施形態１２５−１２６のいずれか１つに記載の角度伸縮式延在デバイス。
【０３３１】
（実施形態１２８）
伸縮式延在アームは、２つの入れ子式延在部材を備える、実施形態１２５−１２７のいずれか１つに記載の角度伸縮式延在デバイス。
【０３３２】
（実施形態１２９）
伸縮式延在アームは、３つの入れ子式延在部材を備える、実施形態１２５−１２８のいずれか１つに記載の角度伸縮式延在デバイス。
【０３３３】
（実施形態１３０）
装置は、実施形態１−３４および５６−５７のいずれか１つに記載の装置である、実施形態１２５−１２９のいずれか１つに記載の角度伸縮式延在デバイス。
【０３３４】
（実施形態１３１）
抵抗に対して運動するための装置のためのポータブルウェイトスタックアセンブリであって、
１つ以上のポータブル水平部材を相互に支持する、１つ以上のポータブル垂直部材を備える、ポータブルフレームと、
ポータブルフレームによって含有される、ポータブルウェイトスタックと、
ポータブルウェイトスタックを摺動可能に調節可能なポータブル運動取付点に選択的に接続する、複数のポータブル滑車を介してポータブルフレームを中心として配索される１つ以上のポータブルケーブルと、
フレームを安定させるための少なくとも１つのフッタと、
を備える、ポータブルウェイトスタックアセンブリ。
【０３３５】
（実施形態１３２）
ポータブルウェイトスタックアセンブリは、重量が約２００ポンド以下、約１５０ポンド以下、約１００ポンド以下、約７５ポンド以下、または約５０ポンド以下である、実施形態１３１に記載のポータブルウェイトスタックアセンブリ。
【０３３６】
（実施形態１３３）
ポータブルウェイトスタックアセンブリは、重量が少なくとも約５０ポンド、少なくとも約７５ポンド、少なくとも約１００ポンド、少なくとも約１５０ポンド、または少なくとも約２００ポンドである、実施形態１３１−１３２のいずれか１つに記載のポータブルウェイトスタックアセンブリ。
【０３３７】
（実施形態１３４）
１つ以上のポータブル垂直部材のうちの少なくとも１つは、第１のポータブル方向に軸を有する、第１のポータブル垂直付属品受容ポートと、第２のポータブル方向に軸を有する、第２のポータブル垂直付属品受容ポートとを備える、実施形態１３１−１３３のいずれか１つに記載のポータブルウェイトスタックアセンブリ。
【０３３８】
（実施形態１３５）
１つ以上のポータブル水平部材のうちの少なくとも１つは、第１のポータブル方向に軸を有する、第１のポータブル水平付属品受容ポートと、第３のポータブル方向に軸を有する、第２のポータブル水平付属品受容ポートとを備える、実施形態１３１−１３４のいずれか１つに記載のポータブルウェイトスタックアセンブリ。
【０３３９】
（実施形態１３６）
装置は、実施形態１−３４および５６−５７のいずれか１つに記載の装置である、実施形態１３１−１３５のいずれか１つに記載のポータブルウェイトスタックアセンブリ。
【０３４０】
（実施形態１３７）
抵抗に対して運動するための装置のためのフレームであって、
複数の水平部材を相互に支持する、複数の垂直部材を備え、
複数の垂直部材および複数の水平部材は、約１：４、約２：９、約１：５、約３：１０、約１：３、または約３：１０のアスペクト比を有する、長方形の占有面積を画定する、
フレーム。
【０３４１】
（実施形態１３８）
アスペクト比は、少なくとも約１：４、少なくとも約２：９、少なくとも約１：５、少なくとも約３：１０、少なくとも約１：３、または少なくとも約３：１０である、実施形態１３７に記載のフレーム。
【０３４２】
（実施形態１３９）
アスペクト比は、約１：４以下、約２：９以下、約１：５以下、約３：１０以下、約１：３以下、または約３：１０以下である、実施形態１３７−１３８のいずれか１つに記載のフレーム。
【０３４３】
（実施形態１４０）
複数の垂直部材のうちの垂直部材のうちの少なくともいくつかは、第１の方向に軸を有する、第１の垂直付属品受容ポートと、第２の方向に軸を有する、第２の垂直付属品受容ポートとを有する、実施形態１３７−１３９のいずれか１つに記載のフレーム。
【０３４４】
（実施形態１４１）
複数の水平部材のうちの水平部材のうちの少なくともいくつかは、第１の方向に軸を有する、第１の水平付属品受容ポートと、第３の方向に軸を有する、第２の水平付属品受容ポートとを有する、実施形態１３７−１４０のいずれか１つに記載のフレーム。
【０３４５】
（実施形態１４２）
フレームは、正方形管類、円形管類、六角形管類、またはそれらの組み合わせを備える、実施形態１３７−１４１のいずれか１つに記載のフレーム。
【０３４６】
（実施形態１４３）
フレームは、少なくとも約１フィート、少なくとも約２フィート、少なくとも約３フィート、少なくとも約４フィート、少なくとも約５フィート、または少なくとも約６フィートの奥行を有する、実施形態１３７−１４２のいずれか１つに記載のフレーム。
【０３４７】
（実施形態１４４）
フレームは、約１フィート以下、約２フィート以下、約３フィート以下、約４フィート以下、約５フィート以下、または約６フィート以下の奥行を有する、実施形態１３７−１４３のいずれか１つに記載のフレーム。
【０３４８】
（実施形態１４５）
フレームは、少なくとも約３フィート、少なくとも約４フィート、少なくとも約５フィート、少なくとも約６フィート、少なくとも約７フィート、少なくとも約８フィート、少なくとも約９フィート、少なくとも約１０フィート、少なくとも約１１フィート、少なくとも約１２フィート、少なくとも約１３フィート、少なくとも約１４フィート、または少なくとも約１５フィートの幅を有する、実施形態１３７−１４４のいずれか１つに記載のフレーム。
【０３４９】
（実施形態１４６）
フレームは、約３フィート以下、約４フィート以下、約５フィート以下、約６フィート以下、約７フィート以下、約８フィート以下、約９フィート以下、約１０フィート以下、約１１フィート以下、約１２フィート以下、約１３フィート以下、約１４フィート以下、または約１５フィート以下の幅を有する、実施形態１３７−１４５のいずれか１つに記載のフレーム。
【０３５０】
（実施形態１４７）
フレームは、少なくとも約４フィート、少なくとも約５フィート、少なくとも約６フィート、少なくとも約７フィート、少なくとも約８フィート、少なくとも約９フィート、少なくとも約１０フィート、少なくとも約１１フィート、または少なくとも約１２フィートの高さを有する、実施形態１３７−１４６のいずれか１つに記載のフレーム。
【０３５１】
（実施形態１４８）
フレームは、少なくとも約４フィート、少なくとも約５フィート、少なくとも約６フィート、少なくとも約７フィート、少なくとも約８フィート、少なくとも約９フィート、少なくとも約１０フィート、少なくとも約１１フィート、または少なくとも約１２フィートの高さを有する、実施形態１３７−１４７のいずれか１つに記載のフレーム。
【０３５２】
（実施形態１４９）
装置は、実施形態１−３４および５６−５７のいずれか１つに記載の装置である、実施形態１３７−１４８のいずれか１つに記載のフレーム。
【０３５３】
前述で記述されたように、本発明の詳細な実施形態が、本明細書に開示されるが、しかしながら、開示される実施形態は、種々の形態で具現化され得る、本発明の典型にすぎないことを理解されたい。多くの修正および他の変形例が、下記に請求されるような本発明の意図された範囲内に該当することを理解されたい。さらに、種々の実施形態の前述の説明は、必ずしも除外を含意しない。例えば、「いくつかの」実施形態は、本発明の範囲内の「他の」および「さらなる」実施形態の全てまたは一部を含み得る。加えて、「ａ」は、「唯一の」を意味せず、「ａ」は、「１つおよび１つを上回る」を意味することができる。
【図１】
2021520973.tif 000003
【図２】
2021520973.tif 000004
【図３】
2021520973.tif 000005
【図４】
2021520973.tif 000006
【図５】
2021520973.tif 000007
【図６】
2021520973.tif 000008
【図７】
2021520973.tif 000009
【図８】
2021520973.tif 000010
【図９】
2021520973.tif 000011
【図１０】
2021520973.tif 000012
【図１１】
2021520973.tif 000013
【図１２】
2021520973.tif 000014
【図１３】
2021520973.tif 000015
【図１４】
2021520973.tif 000016
【図１５】
2021520973.tif 000017
【図１６】
2021520973.tif 000018
【図１７】
2021520973.tif 000019
【図１８】
2021520973.tif 000020
【図１９】
2021520973.tif 000021
【図２０】
2021520973.tif 000022
【図２１】
2021520973.tif 000023
【図２２】
2021520973.tif 000024
【図２３】
2021520973.tif 000025
【図２４】
2021520973.tif 000026
【図２５】
2021520973.tif 000027
【図２６】
2021520973.tif 000028
【図２７】
2021520973.tif 000029
【図２８】
2021520973.tif 000030
【図２９】
2021520973.tif 000031
【図３０】
2021520973.tif 000032
【図３１】
2021520973.tif 000033
【図３２】
2021520973.tif 000034
【図３３】
2021520973.tif 000035
【図３４】
2021520973.tif 000036
【図３５】
2021520973.tif 000037
【図３６】
2021520973.tif 000038
【図３７】
2021520973.tif 000039
【図３８】
2021520973.tif 000040
【図３９】
2021520973.tif 000041
【図４０】
2021520973.tif 000042
【図４１】
2021520973.tif 000043
【図４２】
2021520973.tif 000044
【図４３】
2021520973.tif 000045
【図４４】
2021520973.tif 000046
【図４５】
2021520973.tif 000047
【図４６】
2021520973.tif 000048
【図４７】
2021520973.tif 000049
【図４８】
2021520973.tif 000050
【図４９】
2021520973.tif 000051
【図５０】
2021520973.tif 000052
【図５１】
2021520973.tif 000053
【図５２】
2021520973.tif 000054
【図５３】
2021520973.tif 000055
【図５４】
2021520973.tif 000056
【図５５】
2021520973.tif 000057
【図５６】
2021520973.tif 000058
【図５７】
2021520973.tif 000059
【図５８】
2021520973.tif 000060
【図５９】
2021520973.tif 000061
【図６０】
2021520973.tif 000062
【図６１】
2021520973.tif 000063
【図６２】
2021520973.tif 000064
【図６３】
2021520973.tif 000065
【図６４】
2021520973.tif 000066
【図６５】
2021520973.tif 000067
【図６６】
2021520973.tif 000068
【図６７】
2021520973.tif 000069
【図６８】
2021520973.tif 000070
【図６９】
2021520973.tif 000071
【手続補正書】
【提出日】令和2年12月15日(2020.12.15)
【手続補正１】
【補正対象書類名】特許請求の範囲
【補正対象項目名】全文
【補正方法】変更
【補正の内容】
【特許請求の範囲】
【請求項１】
抵抗に対して運動するための装置のための多重ベクトル延在デバイスであって、前記多重ベクトル延在デバイスは、
前記装置のフレームに除去可能かつ調節可能に取り付けるためのブレースと、
複数の付属品受容ポートを備える多重ベクトル延在アームと、
前記ブレースに対する前記多重ベクトル延在アームの有意な移動の自由度を可能にしながら、前記多重ベクトル延在アームを前記ブレースに継合する玉継手と、
前記複数の付属品受容ポートの中の第１の付属品受容ポートを介して前記多重ベクトル延在アームに除去可能に取り付けられる少なくとも１つの運動係合デバイスと、
前記複数の付属品受容ポートの中の第２の付属品受容ポートを介して前記多重ベクトル延在アームに除去可能に取り付けられる少なくとも１つの運動取付点受容器と
を備える、多重ベクトル延在デバイス。
【請求項２】
前記ブレースは、前記装置の前記フレームに係合するためのノブによって操作されるばね荷重ピンを備える、請求項１に記載の多重ベクトル延在デバイス。
【請求項３】
前記多重ベクトル延在アームは、正方形管類を備える、請求項１に記載の多重ベクトル延在デバイス。
【請求項４】
前記少なくとも１つの運動係合デバイスは、片手グリップを備える、請求項１に記載の多重ベクトル延在デバイス。
【請求項５】
前記少なくとも１つの運動係合デバイスは、両手バーを備える、請求項１に記載の多重ベクトル延在デバイス。
【請求項６】
前記少なくとも１つの運動取付点受容器は、弾性バンドを受容するためのＪ−フックを備える、請求項１に記載の多重ベクトル延在デバイス。
【請求項７】
前記少なくとも１つの運動取付点受容器は、アイボルトを備える、請求項１に記載の多重ベクトル延在デバイス。
【請求項８】
前記少なくとも１つの運動取付点受容器は、付属品受容ポート内に前記運動取付点受容器を固着させるためのばね荷重ピンを備える、請求項１に記載の多重ベクトル延在デバイス。
【請求項９】
前記少なくとも１つの運動係合デバイスは、付属品受容ポート内に前記運動係合デバイスを固着するためのばね荷重ピンを備える、請求項１に記載の多重ベクトル延在デバイス。
【請求項１０】
前記多重ベクトル延在アームは、少なくとも２つの伸縮部材を備え、前記複数の付属品受容ポートは、複数の伸縮部材付属品受容ポートを備える、請求項１に記載の多重ベクトル延在デバイス。
【請求項１１】
前記少なくとも２つの伸縮部材のうちの少なくとも１つは、少なくとも１つのばね荷重ピンを用いて前記多重ベクトル延在アームに選択的に固着される、請求項１０に記載の多重ベクトル延在デバイス。
【請求項１２】
前記少なくとも１つの運動係合デバイスは、前記複数の伸縮部材付属品受容ポートの中の第３の付属品受容ポートを介して、前記多重ベクトル延在アームに除去可能に取り付けられる、請求項１０に記載の多重ベクトル延在デバイス。
【請求項１３】
前記少なくとも１つの運動取付点受容器は、前記複数の伸縮部材付属品受容ポートの中の第４の付属品受容ポートを介して、前記多重ベクトル延在アームに除去可能に取り付けられる、請求項１０に記載の多重ベクトル延在デバイス。
【請求項１４】
前記ブレースは、前記多重ベクトル延在アームによる接触から前記フレームを保護するように前記玉継手の周りに位置付けられる支持円錐をさらに備える、請求項１０に記載の多重ベクトル延在デバイス。
【請求項１５】
前記支持円錐は、天然ゴム、合成ゴム、ポリウレタン、シリコーン、またはそれらの組み合わせを備える、請求項１４に記載の多重ベクトル延在デバイス。
【請求項１６】
抵抗に対して運動するための前記装置は、ディップスバー、多用途運動装置、腹筋運動ボード、テレビ、音響システム、メディアプレイヤー、またはそれらの任意の組み合わせをさらに備える、請求項１に記載の多重ベクトル延在デバイス。
【請求項１７】
前記多用途運動装置は、縦部材を支持する角度セレクタを備え、前記縦部材は、前記角度セレクタの近位で、対向する足首ブレースを係留し、前記角度セレクタから遠位で、多用途パッドを支持する、請求項１に記載の多重ベクトル延在デバイス。
【請求項１８】
複数のベクトルを有する複数の抵抗に対して運動する方法であって、前記方法は、
多重ベクトル延在デバイスを取得することであって、前記多重ベクトル延在デバイスは、
装置のフレームに除去可能かつ調節可能に取り付けるためのブレースと、
第１の付属品受容ポートと、第２の付属品受容ポートと、第３の付属品受容ポートとを備える多重ベクトル延在アームと、
前記ブレースに対する前記多重ベクトル延在アームの有意な移動の自由度を可能にしながら、前記多重ベクトル延在アームを前記ブレースに継合する玉継手と、
前記第１の付属品受容ポートを介して前記多重ベクトル延在アームに除去可能に取り付けられる第１の運動取付点受容器と、
前記第２の付属品受容ポートを介して前記多重ベクトル延在アームに除去可能に取り付けられる第２の運動取付点受容器と、
前記第３の付属品受容ポートを介して前記多重ベクトル延在アームに除去可能に取り付けられる運動係合デバイスと
を備える、ことと、
第１の抵抗を前記第１の運動取付点受容器に取り付けることと、
第２の抵抗を前記第２の運動取付点受容器に取り付けることであって、前記第１の抵抗は、第１のベクトルを有し、前記第２の抵抗は、第２のベクトルを有し、前記第１のベクトルは、前記第２のベクトルと異なり、前記第１のベクトルおよび前記第２のベクトルは、それによって、複数のベクトルを有する前記複数の抵抗を形成する、ことと、
複数のベクトルを有する前記複数の抵抗に対して前記運動係合デバイスを移動させ、それによって、複数のベクトルを有する複数の抵抗に対して運動することと
を備える、方法。
【手続補正２】
【補正対象書類名】明細書
【補正対象項目名】００２９
【補正方法】変更
【補正の内容】
【００２９】
その上さらなる付加的実施形態は、
複数の水平部材を相互に支持する、複数の垂直部材を備え、
複数の垂直部材および複数の水平部材は、約１：４、約２：９、約１：５、約３：１０、約１：３、または約３：１０のアスペクト比を有する、長方形の占有面積を画定する、
抵抗に対して運動するための装置のためのフレームを提供する。
本発明は、例えば、以下を提供する。
（項目１）
抵抗に対して運動するための装置であって、
複数の水平部材を相互に支持する複数の垂直部材を備えるフレームと、
前記フレームによって含有される少なくとも１つのウェイトスタックを備える前記抵抗と、
１つ以上のケーブルであって、前記１つ以上のケーブルは、前記少なくとも１つのウェイトスタックを１つ以上の運動取付点に選択的に接続する複数の滑車を介して前記フレームを中心として配索される、１つ以上のケーブルと、
少なくとも１つの浮動滑車であって、前記少なくとも１つの浮動滑車は、第２の端部の反対側に第１の端部を有する少なくとも１つの延在ケーブルを備える前記フレームに除去可能かつ調節可能に取り付けられ、前記第１の端部は、前記１つ以上の運動取付点に取付可能であり、前記第２の端部は、少なくとも１つの浮動運動取付点を提供する、浮動滑車と
を備え、
前記複数の垂直部材のうちの垂直部材のうちの少なくともいくつかは、第１の方向に軸を有する第１の垂直付属品受容ポートと、第２の方向に軸を有する第２の垂直付属品受容ポートとを有する、装置。
（項目２）
前記複数の水平部材のうちの水平部材のうちの少なくともいくつかは、前記第１の方向に軸を有する第１の水平付属品受容ポートと、第３の方向に軸を有する第２の水平付属品受容ポートとを有する、項目１に記載の装置。
（項目３）
前記フレームは、正方形管類を備える、項目１に記載の装置。
（項目４）
前記第１の方向は、前記第２の方向と略垂直である、項目１に記載の装置。
（項目５）
前記抵抗は、前記フレームによって含有される２つの独立ウェイトスタックを備える、項目１に記載の装置。
（項目６）
前記１つ以上の運動取付点のうちの少なくとも１つは、前記複数の垂直部材のうちの垂直部材のうちの１つに沿って摺動可能に調節可能である、項目１に記載の装置。
（項目７）
前記１つ以上の運動取付点のうちの少なくとも１つは、前記複数の水平部材のうちの水平部材のうちの１つに沿って摺動可能に調節可能である、項目１に記載の装置。
（項目８）
前記複数の垂直部材のうちの少なくとも１つの垂直部材は、垂直長を有し、実質的に垂直長全体に、第１の垂直付属品受容ポートと、第２の垂直付属品受容ポートとを備える、項目１に記載の装置。
（項目９）
前記複数の水平部材のうちの少なくとも１つの水平部材は、水平長を有し、実質的に水平長全体に、第１の水平付属品受容ポートと、第２の水平付属品受容ポートとを備える、項目１に記載の装置。
（項目１０）
前記第１の方向および前記第２の方向は、前記水平と略平行である、項目１に記載の装置。
（項目１１）
前記第３の方向は、前記水平に対して略法線である、項目２に記載の装置。
（項目１２）
前記フレームはさらに、前記複数の垂直部材の中の少なくとも１つの垂直部材の上に枢動可能に搭載される少なくとも１つのドアを備える、項目１に記載の装置。
（項目１３）
前記少なくとも１つのドアは、２つのドアを備える、項目１２に記載の装置。
（項目１４）
前記少なくとも１つのドアは、
少なくとも１つのドア水平部材を相互に支持する少なくとも１つのドア垂直部材を備え、
前記少なくとも１つのドア垂直部材は、第４の方向に軸を有する第１のドア垂直付属品受容ポートと、第５の方向に第２のドア垂直付属品受容ポートとを備える、項目１２に記載の装置。
（項目１５）
前記少なくとも１つのドア水平部材は、前記第４の方向に軸を有する第１のドア水平付属品受容ポートと、第６の方向に軸を有する第２のドア水平付属品受容ポートとを備える、項目１４に記載の装置。
（項目１６）
前記第４の方向は、前記第５の方向と略垂直である、項目１４に記載の装置。
（項目１７）
前記第４の方向および前記第５の方向は、前記水平と略平行である、項目１４に記載の装置。
（項目１８）
前記第６の方向は、前記水平に対して略法線である、項目１５に記載の装置。
（項目１９）
前記少なくとも１つのドア垂直部材は、正方形管類を備える、項目１４に記載の装置。
（項目２０）
前記少なくとも１つのドア水平部材は、正方形管類を備える、項目１４に記載の装置。
（項目２１）
前記フレームに搭載される少なくとも１つの装飾パネルを備える、項目１に記載の装置。
（項目２２）
前記少なくとも１つのドアに搭載される少なくとも１つの装飾パネルを備える、項目１２に記載の装置。
（項目２３）
前記少なくとも１つの装飾パネルは、少なくとも１つの中空頭ボルトを使用して搭載され、前記中空頭ボルトは、頭部と、ねじ山付きシャフトとを備え、前記頭部は、パネル搭載リベットを受容および保定するための軸方向陥凹を備える、項目２１に記載の装置。
（項目２４）
前記少なくとも１つのドアは、前記１つ以上の運動取付点、前記少なくとも１つの浮動運動取付点、またはそれらの組み合わせのうちの少なくとも１つを備える、項目１２に記載の装置。
（項目２５）
前記２つのドアはそれぞれ、前記１つ以上の運動取付点、前記少なくとも１つの浮動運動取付点、またはそれらの組み合わせのうちの少なくとも１つを備える、項目１３に記載の装置。
（項目２６）
前記少なくとも１つの浮動滑車は、前記第１の垂直付属品受容ポートのうちの１つ以上のもの、前記第２の垂直付属品受容ポートのうちの１つ以上のもの、またはそれらの組み合わせに結合することによって、前記フレームに除去可能かつ調節可能に取り付けられる、項目１に記載の装置。
（項目２７）
前記少なくとも１つの浮動滑車は、前記第１の水平付属品受容ポートのうちの１つ以上のもの、前記第２の水平付属品受容ポートのうちの１つ以上のもの、またはそれらの組み合わせに結合することによって、前記フレームに除去可能かつ調節可能に取り付けられる、項目２に記載の装置。
（項目２８）
前記少なくとも１つの浮動滑車は、前記第１のドア垂直付属品受容ポートのうちの１つ以上のもの、前記第２のドア垂直付属品受容ポートのうちの１つ以上のもの、またはそれらの組み合わせに結合することによって、前記フレームに除去可能かつ調節可能に取り付けられる、項目１４に記載の装置。
（項目２９）
前記少なくとも１つの浮動滑車は、前記第１のドア水平付属品受容ポートのうちの１つ以上のもの、前記第２のドア水平付属品受容ポートのうちの１つ以上のもの、またはそれらの組み合わせに結合することによって、前記フレームに除去可能かつ調節可能に取り付けられる、項目１５に記載の装置。
（項目３０）
少なくとも１つのバーベルを受容し、前記少なくとも１つのバーベルを用いた少なくとも１つの運動の実施を可能にするための少なくとも１つのパワーラックを備える、項目１に記載の装置。
（項目３１）
少なくとも１つのバーベルを受容し、前記少なくとも１つのバーベルを用いた少なくとも１つの運動の実施を可能にするための少なくとも１つのスミスマシンを備える、項目１に記載の装置。
（項目３２）
前記抵抗を提供または増強するための少なくとも１つの弾性バンド取付点を備える、項目１に記載の装置。
（項目３３）
前記抵抗を提供または増強するための少なくとも１つのフリーウェイト取付点を備える、項目１に記載の装置。
（項目３４）
前記抵抗は、前記少なくとも１つのウェイトスタック、少なくとも１つのフリーウェイトデバイス、少なくとも１つの弾性バンド、前記装置を用いて運動する個人の体重、またはそれらの組み合わせによって選択的に提供される、項目１に記載の装置。
【国際調査報告】
2021520973.tif 000072